(57)【要約】［課題］　本発明は、個人固有の咬合の観察から、個人個人が快適に睡眠をとることができる個人固有の枕の性状（高さ、硬さ、素材、大きさと形状）を科学的な根拠に基づいて解明し、個人個人が快適に睡眠をとることができる性状を持った個人固有の枕を製造するという科学的な根拠に基づいた「枕の製造方法」に関するものである。［解決手段］　個人固有の咬合の発現と個人個人が快適に睡眠をとることができる性状を持った個人固有の枕で睡眠をとりながらの成長との間に認められる関係図（図１から図１７）とそれらの説明文を解析資料に、個人固有の咬合の観察から、個人個人が方向性のある強い圧力で接触固定させる個人固有の「枕への接触固定領域」を解析し、個人固有の「方向性のある強い圧力で枕に接触固定させる領域」の図を作成する。この図を個人個人の基礎資料にして、先の図（図１から図１７）と比較対照させながらそれらの説明文に従い、上記した性状の枕を製造する。【選択図】図１
2004113806.tif 000002
【特許請求の範囲】
【請求項１】
　次の関係を明らかにした図（図１）、及びその解説文。
１）　就眠時における呼吸法を条件に、後頭部にある支点領域群（後頭部の上方に位置する支点領域、後頭部の上方下部に位置する支点領域、後頭結節の上方に位置する支点領域と後頭結節に位置する支点領域）と第７頚椎の直上に位置する支点領域のうちのいずれかの支点領域を所有している人、前歯部の咬合様式（正常咬合、上顎前歯の垂直被蓋、上顎前歯の水平被蓋、上下顎前歯の傾斜と外側がねじれて唇側に張り出している上顎中切歯）と枕の性状との間に認められる関係。
２）　就眠時における呼吸法を条件に、頚部の中央に位置する支点領域を所有し、さらに後頭部の上方下部に位置する支点領域、後頭結節の上方に位置する支点領域と後頭結節に位置する支点領域のうちのいずれかの支点領域を所有している人、前歯部の咬合様式（反対咬合、下顎前歯の垂直被蓋、下顎前歯の水平被蓋と上下顎前歯の傾斜）と枕の性状との間に認められる関係。
【請求項２】
　同一的な地図状模様で描くことができる人たちの「枕への接触固定領域」、この人たちの「枕への接触固定領域」の展開図とこの人たちの枕の性状を明らかにした図（図２と図３）、及びその解説文。
【請求項３】
　左右にある頚部の側方に位置する支点領域をひとつの単位で見た時、頚部の側方に位置する支点領域の広さ、大きな歯と小さな歯の分布状態と枕の性状との間に認められる関係を明らかにした図（図４）、及びその解説文。
【請求項４】
　右側（あるいは左側）の頚部の側方に位置する支点領域を８つの部分に分割した時、右側（あるいは左側）の特定部分の広さ、右側（あるいは左側）の特定上下顎同一名称歯の大きさと枕の性状との間に認められる次の関係を提示する上で必要な、右側（あるいは左側）の頚部の側方に位置する支点領域を８つの部分に分割した時、右側（あるいは左側）の特定部分の広さと右側（あるいは左側）の特定上下顎同一名称歯の大きさとの間に存在する相関関係を説明する右側だけの図（図６）、及びその解説文。
＃１．右側（あるいは左側）の頚部の側方に位置する支点領域内にある特定部分を全域で所有している人たちは、右側（あるいは左側）特定の上下顎同一名称歯が極めて小さく、直接、あるいは間接的にこの支点領域内にある特定部分の全域に方向性のある強い圧力を加えることができる枕を使用している。間接的に支点領域内にある特定部分に方向性のある強い圧力を加えることができる枕とは、枕の上に手、あるいは腕を乗せて手、あるいは指、あるいは腕で特定部分に圧力を加えることができる枕のことである。
＃２．右側（あるいは左側）の頚部の側方に位置する支点領域内にある特定部分を所有していない人たちは、右側（あるいは左側）特定の上下顎同一名称歯が極めて大きく、この支点領域内にある特定部分に方向性のある強い圧力を加えることができない枕を使用している。
【請求項５】
　右側（あるいは左側）の頚部の側方に位置する支点領域を１６の部分に分割した時、右側（あるいは左側）の待定部分の広さ、右側（あるいは左側）の特定歯の大きさと枕の性状との間に認められる関係を提示する時に必要な、右側（あるいは左側）の頚部の側方に位置する支点領域を１６の部分に分割した時、右側（あるいは左側）の特定部分の広さと右側（あるいは左側）の特定歯の大きさとの間に存在する関係を説明する図（図６）、及びその解説文。
＃１．右側（あるいは左側）の頚部の側方に位置する支点領域内にある特定部分を全域で所有している人たちは、右側（あるいは左側）の特定の歯が極めて小さく、この支点領域内にある特定部分の全域に直接、あるいは間接的に方向性のある強い圧力を加えることができる枕を使用している。間接的に特定部分に方向性のある強い圧力を加えることができる枕とは、枕の上に手、あるいは腕を乗せて手、あるいは指、あるいは腕でこの支点領域内にある特定部分に圧力を加えることができる枕のことである。
＃２．右側（あるいは左側）の頚部の側方に位置する支点領域内にある特定部分を比較的広い範囲で所有している人たちは、右側（あるいは左側）の特定の歯が比較的小さく、この支点領域内にある特定部分の比較的広い範囲に方向性のある強い圧力を加えることができる枕を使用しているか、間接的にこの支点領域内にある特定部分に方向性のある強い圧力を加えることができる枕を使用している。
＃３．右側（あるいは左側）の頚部の側方に位置する支点領域内にある特定部分を比較的狭い範囲で所有している人たちは、右側（あるいは左側）の特定の歯が比較的大きく、この支点領域内にある特定部分の比較的狭い範囲にしか方向性のある強い圧力を加えることができない枕を使用しているか、間接的にこの支点領域内にある特定部分に方向性のある強い圧力を加えることができる枕を使用している。
＃４．右側（あるいは左側）の頚部の側方に位置する支点領域内にある特定部分を所有していない人たちは、右側（あるいは左側）の特定の歯が極めて大きく、この支点領域内にある特定部分に方向性のある強い圧力を加えることができない枕を使用しているか、枕を使用していない。
【請求項６】
　頚部の側方に位置する支点領域内にある８つの部分の解剖学的な位置（左右対称）を頭頚部における骨格（あるいは筋肉）との関係で説明する解剖学的な図（図７）、及びその解説文。
【請求項７】
　後頭結節の上方に位置する支点領域の広さ、上顎前歯の長さと枕の性状との間に認められる関係を明らかにした図（図８）、及びその解説文。
【請求項８】
　下顎に位置する支点領域の広さ、臼歯の形状（尖り具合）と枕の性状との間に認められる関係を明らかにした図（図９）、及びその解説文。
【請求項９】
　歯列の状態（上顎犬歯が歯列アーチからはみ出した位置にある歯列）、側頭部に位置する支点領域と枕の性状との間に認められる関係を明らかにした図（図１０）、及びその解説文。
【請求項１０】
　側頭部の上方に位置する支点領域、上顎歯列アーチの大きさと枕の性状との間に認められる関係と、頚部の側方に位置する支点領域、上顎歯列アーチの大きさと枕の性状との間に認められる関係を明らかにした図（図１１）、及びその解説文。
【請求項１１】
　次の関係を明らかにした図（図１２）、及びその解説文。
＃１．馬蹄形状の上顎歯列アーチ、あるいは放物線状の上顎歯列アーチ、後頭部にある支点領域群（後頭部の上方に位置する支点領域、後頭部の上方下部に位置する支点領域、後頭結節の上方に位置する支点領域と後頭結節に位置する支点領域）のうちのいずれかの支点領域の形態と枕の性状との間に認められる関係。
＃２．細長い形状の上顎歯列アーチ、耳の後方上部に位置する支点領域と枕の性状との間に認められる関係。
＃３．前歯部で狭く臼歯部に行くに従って広くなる形態の上顎歯列アーチ、あるいは前歯部で狭く臼歯部に行くに従って極めて広くなる形態の上顎歯列アーチ、側頭部に位置する支点領域の形態と枕の性状との間に認められる関係。
＃４．前歯部で平らな形態の上顎歯列アーチ、首の付け根の側方に位置する支点領域と枕の性状との間に認められる関係。
【請求項１２】
　オトガイの側方に位置する支点領域の内容、臼歯の被蓋の内容と枕の性状との間に詔められる関係を明らかにした図（図１３）、及びその解説文。
【請求項１３】
　次の関係を明らかにした図（図１４）、及びその解説文。
＃１．就眠時の呼吸法が常に鼻呼吸であることを条件として、肩の背面に位置する支点領域、唇側に傾斜した上下顎前歯と枕の性状との間に認められる関係。
＃２．就眠時の呼吸法が常に鼻呼吸であることを条件として、肩の背面に位置する支点領域の広さ、唇側に傾斜した上下顎前歯の度合いと枕の性状との間に認められる関係。
＃３．就眠時の呼吸法が常に鼻呼吸であることを条件として、首の付け根の側方に位置する支点領域、舌側に傾斜した上下顎前歯と枕の性状との間に認められる関係。
＃４．就眠時の呼吸法が常に鼻呼吸であることを条件として、首の付け根の側方に位置する支点領域の広さ、舌側に傾斜した上下顎前歯の度合いと枕の性状との間に認められる関係。
【請求項１４】
　次の関係を明らかにした図（図１５）、及びその解説文。
＃１．就眠時の呼吸法を条件として、肩の背面に位置する支点領域を所有し、さらに後頭部にある支点領域群（後頭部の上方に位置する支点領域、後頭部の上方下部に位置する支点領域、後頭結節の上方に位置する支点領域と後頭結節に位置する支点領域）と第７頚椎の直上に位置する支点領域のうちのいずれかの支点領域を所有している人、前歯の咬合様式（正常咬合、前歯の垂直被蓋、前歯の水平被蓋、唇側に傾斜した上下顎前歯と外側がねじれて唇側に張り出している上顎中切歯）と枕の性状との間に認められる関係。
＃２．就眠時の呼吸法を条件として、首の付け根の側方に位置ナる支点領域を所有し、さらに後頭部にある支点領域群（後頭部の上方に位置する支点領域、後頭部の上方下部に位置する支点領域、後頭結節の上方に位置する支点領域と後頭結節に位置する支点領域）と第７頚椎の直上に位置する支点領域のうちのいずれかの支点領域を所有している人、前歯の咬合様式（正常咬合、前歯の垂直被蓋、前歯の水平被蓋、舌側に傾斜した上下顎前歯、舌側に傾斜した下顎前歯と外側がねじれて唇側に張り出している上顎中切歯）と枕の性状との間に認められる関係。
【請求項１５】
　頭頚部と肩の背面の表皮にモザイク状に存在し、成長期、常に加えられる方向性のある強い圧力に反応して特定の咬合様式に個人差を生じさせる１５種類の支点領域の作用内容と、１６の部分に分割した右（左）の頚部の側方に位置する支点領域において、成長期、常に加えられる方向性のある強い圧力に反応して右（左）の特定の歯（永久歯で１６種類、乳歯で１０種類）を小さくさせる右（左）の特定部分（永久歯で１６の部分、乳歯で１０の部分〉を説明する図（図１６）、及びそれらの解説文。
【請求項１６】
　頚部の側方に位置する支点領域を除く１４の各支点領域に必要とされる「位置固有の方向性のある強い圧力」と８つの部分に分割した頚部の側方に位置する支点領域の特定部分に必要とされる「位置固有の方向性のある強い圧力」を明らかにした図、及びその解説文。（図１７）
【請求項１７】
　個人個人の指の形態（長さ、太さと形状）に合った形の「布でできた指状の袋」を示した図、及びその解説文。（図１８）
【発明の詳細な説明】
【発明の詳細な説明】
［発明の属する技術分野］
【０００１】　本発明は、次の順序で、個人固有の咬合の観察から、個人個人が快適に睡眠をとることができる性状を持った「個人固有の枕」を科学的な根拠に基づいて製造する方法に関するものである。
【０００２】１．被験者が所有する個人固有の咬合の歯型模型を作成し、さらに頭部、頚部と肩の背面の表皮にモザイク状に存在し、成長期の就眠時に、常に加えられる方向性のある強い圧力に反応して、特定の咬合様式に個人差を生じさせる１５種類の支点領域の図と頚部の側方に位置する支点領域を１６分割した左右の図（図１６）を用意する。
【０００３】２．個人固有の咬合の発現と個人個人が快適に唾眠をとることができる性状を持った個人固有の枕で睡眠をとりながらの成長との間に認められる関係図（図１から図１７）と説明文を解析資料にして、個人固有の咬合の観察から、個人個人が方向性のある強い圧力で常に枕に接触固定させる部分の個人固有の「枕への接触固定領域」を解析する。
３．２で得られた解析結果を１で用意した、成長期、特定の咬合様式に個人差を生じさせる１５種類の支点領域、頚部の側方に位置する支点領域を１６分割した左右の図（図１６）に上書きし、個人固有の「方向性のある強い圧力で枕に接触固定させる領域」を作成する。
【０００４】４．３で得られた個人固有の「方向性のある強い圧力で枕に接触固定させる領域」を個人個人の基礎資料にして、先の図（図１から図１７）と比較対照しながら、個人個人が快適に睡眠をとることができる「個人固有の枕」の性状の構成要素である高さ、素材、大きさ、硬さと形状をひとつずつ正確に解明する。
【０００５】５．４で得られた解明結果を総合的な判断資料にして、個人個人が快適に睡眠をとることができる性状を持った「個人固有の枕」という科学的な根拠に基づいた枕を製造する。
［従来の技術］
【０００６】　従来における「個人個人の枕の性状」の解明方法、及び個人個人の枕の選択方法と製造方法は、頚椎の形態の測定調査と個人個人の好み、並びに個人個人の習慣の聞き取り調査によるものである。
［発明が解決しょうとする課題］
【０００７】　従来における「個人個人の枕の性状」の解明方法、及び個人個人の枕の選択方法と製造方法は、次に挙げる４つの事柄が科学的に解明されていなかった為、すべての方法に科学的な根拠がなく、誰もが個人個人の枕の性状を正確に解明できないばかりか、個人個人の枕を正確に選択することも製造することもできないという問題点があった。
　４つの事柄は次の通りである。
１．個人固有の枕の性状とその枕の使用方法に認められる個人差の由来
２．就眠時、個人個人が枕に常に接触固定させる特定領域の由来
３．枕の持つ意味
４．枕の役割
　そのため、多くの人が枕の選択で悩んでいたり、枕の製造販売会社に製造してもらった枕を使用しても枕の悩みを解決できないでいたりしているのが現状である。
【０００８】　本発明は、このような事情に配慮して行った筆者の調査と研究を基に考案されたものである。
　また、本発明は、筆者が行った次の２つの調査と研究で解明された１０の解析結果（前記した４つの事柄の解明を含む）を根拠に、産業界に対し、個人固有の咬合の観察から、個人個人が快適に睡眠をとることができる性状を持った「個人固有の枕」を科学的な根拠に基づいて製造する方法の提供を目的としている。
　前記の筆者が行った２つの調査と研究とは、次に挙げるタイトルの研究ドキュメントである。
１）研究ドキュメント１：「個人固有の咬合の成り立ち」の真相
２）研究ドキュメント２：個人個人が快適に睡眠をとることができる枕
【０００９】　また、前記の１０の解析結果とは、次に挙げる事柄のことである。
【００１０】１．「個人固有の咬合の成り立ち」の真相
　個人固有の咬合の成り立ちは、基本的に、就眠時の呼吸法を条件として、誰もが、誕生直後から９０日までの期間に、親によって付与された就眠時における頭頚部の安静形態での睡眠を余儀なくさせられたことに起因する人為的な現象結果である。
【００１１】２．個人固有の咬合の意味
　個人固有の咬合は、個人固有の就眠時における頭頚部の安静形態を反映した成長経歴である。
【００１２】３．個人固有の就眠時における頭頚部の安静形態の特徴
　個人固有の就眠時における頭頚部の安静形態は、生理的な因子（条件）によって制御されている個人固有の形質である。
【００１３】４．個人固有の就眠時における頭頚部の安静形態と個人固有の咬合形態との関係
　個人固有の就眠時における頭頚部の安静形態で睡眠を取りながらの成長と個人固有の就眠時における頭頚部の安静形態を反映した咬合形態の発現とには因果関係が存在する。
【００１４】５．個人固有の就眠時における頭頚部の安静形態の由来
　個人固有の就眠時における頭頚部の安静形態は、就眠時の呼吸法を条件として、本人が、誕生直後から生後９０日までの期間に、どのような方法で授乳時に頭頚部を支えられたのか、あるいはどのような方法で寝かせられたのか、その方法によって付与される後天的な形質である。
【００１５】６．個人固有の枕、個人固有の就眠時における頭頚部の安静形態と個人固有の咬合との関係
　個人固有の枕、個人固有の就眠時における頭頚部の安静形態と個人固有の咬合には、因果関係が存在する。
　個人固有の咬合の成り立ちと快適に睡眠をとることができる性状を持った個人固有の枕で唾眠をとりながらの成長とには因果関係が存在する。
【００１６】７．個人固有の枕の性状とその枕の使用方法に認められる個人差の由来
　これらの個人差は、基本的に、誕生直後から生後９０日までの期間の育児行為に起因する人為的な現象結果である。育児行為とは、母親など育児に携わるものが、授乳時において、赤ん坊をどのような方法で支え、赤ん坊の頭頚部のどの部分にどのような圧力を加えたのか、あるいは赤ん坊をどのような方法で寝かせ、赤ん坊のどの部分にどのような圧力を加えたのか、その方法と内容のことである。
【００１７】８．就眠時、個人個人が枕に常に接触固定させる特定領域の由来
　この領域は、本人が、誕生直後から生後９０日までの期間に、授乳時において、どのような方法で支えられ、頭頚部のどの部分にどのような圧力を加えられたのか、あるいはどのような方法で寝かせられ、どの部分にどのような圧力を加えられたのか、その方法と内容によって付与される領域である。
【００１８】９．枕の持つ意味
　個人固有の枕は、個人固有の「就眠時における頭頚部の安静形態」の出現を制御している個人固有の生理的な因子（条件）を満足させるためのものである。
【００１９】１０．枕の役割
　個人固有の枕は、個人固有の「就眠時における頭頚部の安静形態」を出現させる装置であるばかりか、成長期には、個人固有の咬合を形成させる装置であり、成長後には、完成した個人固有の咬合の位置関係を維持させる装置である。
［課題を解決するための手段］
【００２０】　上記目的を達成させるために、個人固有の咬合の観察から、個人個人が快適に睡眠をとることができる性状を持った「個人固有の枕」を科学的な根拠に基づいて製造する方法という本発明は、前記の筆者が行った２つの調査と研究を記述するという方法を採用する。
【００２１】　ただし、研究ドキュメント２の個人個人が快適に睡眠をとることができる枕についての記述は、全文であるが、研究ドキュメント１の「個人固有の咬合の成り立ち」の真相についての記述は、導入部と要約の部分だけである。この理由は、研究ドキュメント２が研究ドキュメント１の結論を受けて行われた調査と研究であることによる。
【００２２】前記の２つの研究ドキュメント
研究ドキュメント１：「個人固有の咬合の成り立ち」の真相
導入部
　ヒトの咬合は、個人間で著しく異なっている。そのため、咬合の成り立ちに関する研究が多くの研究者によって長いこと行なわれてきたが、これらの研究は、未だ結論を下せるまでに至っていない。ただし、個人個人の咬合は、遺伝、進化、あるいは食生活の急激な変化という多くの要因の複合的な関与が原因であるというのが普遍的な見解である。しかし、新しい科学的な発見により、このような見解がまったくの誤りであり、個人固有の咬合の成り立ちは、基本的に、就眠時の呼吸法を条件として、誰もが、誕生直後から９０日までの期間に、親によって付与された就眠時における頭頚部の安静形態での睡眠を余儀なくさせられたことに起因する人為的な現象結果であることが科学的に明らかになった。
【００２３】要約
　ヒト（ホモ　サピエンス）の咬合は、本来、整った大きな歯列を特徴とする単一的な形態であった。しかし、現代人（ホモ　サピエンス　サピエンス）の時代に、この咬合形態は個人間で著しく異なる形態に多様化した。その理由として、先駆的な研究者たちによって支持された見解が、「オーストラリアの先住民であるアボリジニの咬合形態の変遷」における研究で、次のように帰結された自然的な現象説である。
１．西洋文明と接触する前の彼らの単一的な咬合形態は、遺伝的形態である。
２．彼らの咬合形態から遺伝的形態が消失し、彼らの咬合形態が多様化した直接的な原因は、西洋文明との接触後に起こった食生活の急激な変化である。
　それ以来、多くの研究者が、このような見解に基づいて、「個人固有の咬合の成り立ち」の原因を明らかにする研究を行ってきた。そのため、この研究に関する論文と著書のどれもが、その原因は、遺伝、進化、あるいは食生活の急激な変化が主要因であると解釈している。しかし、筆者は、長年の臨床経験を通して、咬合形態に差異を生じさせる解剖学的な因子群のなかの一因子と就眠時における頭頚部の安静形態との間に相関関係の存在を認めたことを契機に、上記した解釈が誤りではないかと考え、多角的な観点から両者に関する調査と研究を行った。その結果、個人固有の咬合は、個人固有の就眠時における頭頚部の安静形態を反映した成長経歴であることが判明した。
　その根拠は、次のように解析できる科学的な事実が見つかったためである。
１）個人固有の就眠時における頭頚部の安静形態は、生理的な因子によって制御されている個人固有の形質である。
２）個人固有の就眠時における頭頚部の安静形態で唾眠を取りながらの成長と個人固有の就眠時における頭頚部の安静形態を反映した咬合形態の発現とには因果関係が存在する。
　この結果を受けて、筆者は、さらに、個人固有の就眠時における頭頚部の安静形態の由来に関する調査と研究を行った。
　その結果、個人固有の就眠時における頭頚部の安静形態は、就眠時の呼吸法を条件として、本人が、誕生直後から生後９０日までの期間に、どのような方法で授乳時に頭頚部を支えられたのか、あるいはどのような方法で寝かせられたのか、その方法によって付与される後天的な形質であることが明らかになった。
　新しい科学的な事実の発見は、個人固有の咬合の成り立ちが、基本的に人為的な現象であるという結論を導く。
【００２４】文献１：補綴臨床　（医歯薬出版）　ｖｏｌ．３５　Ｎｏ．１　「個人固有の咬合の成り立ち」の真相　Ｐａｒｔ　１　剣持思有　著　２００１年１２月１５日発売
文献２：補綴臨床　（医歯薬出版）　ｖｏｌ．３５　Ｎｏ．２　「個人固有の咬合の成り立ち」の真相　Ｐａｒｔ　２　剣持思有　著　２００２年３月８日発売
文献３：ｈｔｔｐ：／／ｓｈｏｅ．ｃｓｉｄｅ．ｃｏｍ／　にて公開
　２００３年１月１８日　「個人固有の咬合の成り立ち」の真相−修正版（日本語版と英語版）　剣持思有　著
【００２５】研究ドキュメント２：個人個人が快適に睡眠をとることができる枕
導入部
　個人個人は、個人間で著しく異なる性状を持った枕を個人間で異なる方法で使用して睡眠をとっている。これらの個人差の原因は、個人個人の頚椎の形態、習慣、好みの違いによると考えられている。そのため、枕は、この考えの基で選択されている。しかし、このような枕の選択方法はまったくの誤りであり、個人個人が快適に睡眠をとることができる個人固有の枕の性状は、基本的に、個人固有の咬合の観察から、正確に解明できることが科学的に明らかになった。
【００２６】要約
　ヒト（ホモ　サピエンス）は、枕を使用して睡眠をとる唯一の哺乳動物である。現代人である私たちが使用する枕は、高さ、素材、大きさ、硬さと形態が個人間で著しく異なるばかりか、その使用方法も個人間で異なる。これらの個人差の原因は、個人個人の頚椎の形態、習慣、好みの相違によると考えられている。そのため、誰もが、この考えの基で枕を選択しているが、多くの人が、快適に睡眠をとることができる性状を持った個人固有の枕を選択できず、悩んでいる。そこで、筆者は、個人固有の咬合は、基本的に、就眠時における呼吸法を条件として、誕生直後から生後９０日までの期間に、親によって付与される個人固有の就眠時における頭頚部の安静形態を反映した成長経歴であるという「個人固有の咬合の成り立ち」の解明を契機に、このような枕の選択方法は誤りではないかと考え、個人固有の枕、個人固有の就眠時における頭頚部の安静形態と個人固有の咬合の関係に関する調査と研究を行った。
　その結果、次の２つの事実が明らかになった。
１）個人固有の枕の性状とその枕の使用方法に詔められる個人差は、基本的に、誕生直後から生後９０日までの期間の育児行為に起因する人為的な現象結果である。
２）個人固有の枕は、個人固有の就眠時における頭頚部の安静形態を出現させる装置であるばかりか、成長期には、個人固有の咬合を形成させる装置であり、成長後には、完成した個人固有の咬合の位置関係を維持させる装置である。
　これらの根拠は、次の３つの科学的な事実による。
１．個人固有の就眠時における頭頚部の安静形態は、生理的な因子によって制御されている個人固有の形質である。
２．個人固有の枕、個人固有の就眠時における頭頚部の安静形態と個人固有の咬合には、因果関係が存在する。
３．生理的な因子は、就眠時における呼吸法を条件に、本人が、誕生直後から生後９０日までの期間に、授乳時において、どのような方法で支えられ、頭頚部のどの部分にどのような圧力を加えられたのか、あるいはどのような方法で寝かせられ、どの部分にどのような圧力を加えられたのか、その方法と内容によって付与される後天的な条件である。
　これらの新しい科学的な事実は、個人個人が快適に睡眠をとることができる個人固有の枕の性状は、基本的に、個人固有の咬合の観察から生理的な因子を解析することによって、正確に解明できるという結論を導く。
【００２７】７つの科学的な事実
　（１）から（４）は、個人固有の就眠時における頭頚部の安静形態が、生理的な因子によって制御されている個人固有の形質であると解析することができる科学的な事実であり、（５）、（６）と（７）は、快適に睡眠をとることができる性状を持った個人固有の枕、個人固有の就眠時における頭頚部の安静形態と個人固有の咬合には因果関係が存在すると解析することができる科学的な事実である。ただし、ここで言う就眠時における頭頚部の安静形態とは、「外部から観察することができる就眠時における頭頚部の安静形態（Ｒ−ＨＮ）」と「外部からでは観察することができない就眠時における咀嚼系部の安静形態（Ｒ−ＭＳ）」の総称である。その理由は、頭頚部には、頭蓋と頚椎の安静を同時にはからなければならない部と、下顎骨、舌、舌骨の三者の安静を同時にはからなければならない咀嚼系部の二箇所の機能単位が存在するためである。また、個人固有の咬合は、その形態に個人差を生じさせる、次の１０の解剖学的な因子によって構成されている。
１．上顎（下顎）前歯の垂直被蓋
２．上顎（下顎）前歯の水平被蓋
３．歯の大きさ
４．上顎前歯の長さ
５．臼歯の形態
６．歯列の状態
７．上顎歯列アーチの大きさとその形態
８．臼歯の被蓋
９．前歯の唇舌的な傾斜
１０．欠如歯の有無
【００２８】（１）　就眠時における頭頚部の安静形態が出現するメカニズ厶
（Ｒ−ＨＮ）の場合
　この部の就眠時における安静形態は、誰もが、無意識に行っている接触固定行為によって、初めて出現する。その行為とは、この部の安静に直接的に関与する個人間で著しく異なる、肩の背面をも含む場合がある頭部と頚部の特定領域を、個人間で、高さ、大きさ、硬さ、素材と形状の異なる枕（個人個人が快適に睡眠をとることのできる性状を持った個人固有の枕）の特定箇所に、あるいは直接、マットレスや床に特定の角度で接触させ、この部全体を動かないように固定する行為のことである。
（Ｒ−ＭＳ）の場合
　この部の就眠時における安静形態は、（Ｒ−ＨＮ）の下で認められる個人間で著しく異なる下顎骨の位置で、誰もが地球の重力の影響を受けながら、無意識に行っている「舌による接触固定行為」によって初めて出現する。その行為とは、舌を口蓋から上顎前歯部を経て下顎前歯部を通り、オトガイ上部に至る部分に継続的に軽く押し付け、舌自身を含めた下顎、舌骨の三者を動かないように同時に固定する行為のことである。この時、舌の先端部から中央部附近までの部分を除いた部分の辺縁部は、アメーバ状になって離開した上下歯の空隙に入り込んでいる。この行為は、起きている時であっても、この部の安静をはかっている時には就眠時と同様に認められる。しかし、その内容は就眠時の場合とは本質的に異なっているため、ここで言う舌による接触固定行為とは、就眠時の場合だけを言う。ただし、誰もがお酒を飲んだ時やひどく疲れた時は、口を大きく開け、一時的に舌の先端部だけを下顎前歯に継続的に軽く接触固定させている。
【００２９】（２）　就眠時における頭頚部の安静形態に差異を生じさせる外観的な因子
（Ｒ−ＨＮ）の場合
ａ）　仰向け、横向き、うつ伏のうち、個人個人が作り出すことのできる睡眠形態とその数
ｂ）　頭部に三次元的な傾斜角を付与する行為の有無
１．背骨をねじる
２．頚を横にねじる
３．頭部を横に折り曲げる
４．頭部を後方へ反らす、あるいは前屈させる
ｃ）　頭部の三次元的な位置
ｄ）　睡眠場所（ベッド、あるいはマットレス）
ｅ）　枕の使用の有無；使用している場合は使用している枕の数、枕の高さ、大きさ、硬さ、素材、形状
ｆ）　枕への接触固定領域
　この領域は、就眠時、個人個人が、寝返りを打ちながら、無意識に、「肩の背面をも含む場合がある頭部と頚部」の特定領域を枕などに接触固定させている領域のことである。
【００３０】（Ｒ−ＭＳ）の場合
ａ）　舌による接触固定行為の形態
　この形態には、就眠時の呼吸法の相違により、次の三つの異なるタイプがある。
１．タイプＲＴ−ＢＮ：上下歯が離開して生じた空隙のすべてに、薄くアメーバ状にした舌の一部を入り込ませているタイプ
　このタイプは、就眠時、口を閉じたまま、常に鼻で呼吸する人に認められる。
２．タイプＲＴ−ＢＭ：大臼歯部の空隙には舌をほんの僅かしか入り込ませず、その部分を気道にしているタイプ
　このタイプの場合、前歯部の空隙に入り込む舌の厚みが、極めて厚い。このタイプは、就眠時、口を開けたまま、常に口で呼吸する人に認められる。
３．タイプＲＴ−ＢＮ＆ＢＭ：辺縁部を除く舌の中央から後方部を筒のように窄めて中心部に空洞を作り、その空洞を気道にしているタイプ
　このタイプの場合、上下歯の空隙に入り込む舌の量は、前歯部でタイプＲＴ−ＢＮより多く、舌の中央には縦長の亀裂が認められる。このタイプは、就眠時、鼻呼吸と口呼吸を繰り返す人の口呼吸時に認められる。
【００３１】ｂ）　（Ｒ−ＨＮ）の下での下顎の三次元的な位置
　この位置には、次の三つの異なるタイプがある。
１．下顎が、靭帯によって支えられただけで自由な状態にあるタイプ
　このタイプは、下顎をどこにも接触させない人に認められる。
２．下顎が、枕によって圧力を受け、重力による影響を制限されているタイプ
　このタイプは、オトガイ部を除いた下顎を枕に接触させている人に認められる。
３．下顎が、左右どちらか一方の臼歯部の方向に大きく移動しているタイプ
　このタイプは、横向き時やうつ伏せ時、左右どちらか一方、あるいは両側のオトガイ部を含む下顎を交互に枕に強く接触固定させている人に認められる。
【００３２】（３）　枕への接触固定領域
　この領域は、個人個人の「肩の背面をも含む場合がある頭部と頚部」の表皮に個人間で著しく異なる個人固有の地図状模様で認められる。ただし、この地図状模様は、個人個人が作り出すことのできる睡眠形態の総数で描かれるため、人によっては、仰向けで一つ、左横向きで二つ、右横向きで二つというように、五つの異なる睡眠形態の総数で描かれる模様であったり、八つの異なる睡眠形態の総数で描かれる模様であったりする。このようにして、個人固有の地図状模様で描くことのできる個人固有の「枕への接触固定領域」は、個人個人が体得している領域であると同時に、ただ単に枕などに接触固定させれば、誰もがこの部の安静をはかることのできる領域ではなく、誰もがこの部の安静をはかるためには、一つの睡眠形態が占める個人固有の「地図状模様内における一部の領域」の部分部分に、個人個人がその部分部分で体得している、各位置で方向の異なる位置固有の圧力であると同時に、各位置で強さの異なる個人固有の許容圧力（この圧力は強すぎても、弱すぎてもいけない）を加える必要があるという極めて特異な領域である。この時に必要とされるこの圧力は、個人個人が快適に睡眠をとることができる性状を持った枕によって発生される。そのため、誰もが、この許容圧力以外では、この部にこの部の安静形態を作り出すことができない。このような生理的な意味を含んだ地図状模様は、多くの場合、「特定の方向に向う強い圧力を必要とする領域：支点領域」（複数）と「特定の方向に向う弱い圧力を必要とする領域：支点補助領域」（複数）で構成されている。しかし、それが、支点領域（複数）だけで構成されている場合もある。これらの存在位置は、個人差が著しく、ある人では支点領域になっている位置が、ある人では支点補助領域になっていたり、どこにも接触させない領域となっていたりする（図２と図３）。
　そればかりか、これらの領域の数も個人差が著しい。ただし、これらの領域に必要な圧力の方向だけは、位置固有の方向となっている。
【００３３】（４）　就眠時における頭頚部の安静形態が、常に、個人固有の就眠時における頭頚部の安静形態になるように、その出現を制御している生理的な因子の存在
（Ｒ−ＨＮ）の場合
　この部には、（Ｒ−ＨＮ）が常に個人固有の（Ｒ−ＨＮ）になるように、（Ｒ−ＨＮ）に差異を生じさせる外観的な因子の出現を制御している生理的な因子が存在する。この生理的な因子とは、次に挙げる二つの個人固有の生理的な条件のことである。
１．就眠時、個人個人が枕などに接触固定させる領域は、無意識下で寝返りを打ちながらであっても、必ず、個人固有の「枕への接触固定領域」という限定された領域内でなければならない。
２．就眠時、個人個人がこの領域内の部分部分に加える圧力は、部分部分で強さの異なる個人固有の許容圧力であると同時に、各支点領域（あるいは各支点補助領域）で方向の異なる位置固有の方向性のある圧力でなければならない。
【００３４】（Ｒ−ＭＳ）の場合
　（Ｒ−ＭＳ）は、次に挙げる二つの生理的な因子の複合的な働きによって、常に個人固有の（Ｒ−ＭＳ）になるように制御されている。一つは、（Ｒ−ＨＮ）を常に個人固有の（Ｒ−ＨＮ）として出現させる個人固有の生理的な条件のことである。このことを条件の一つに挙げる根拠は、この部の安静形態を作り出す「舌による接触固定行為」が、個人固有の（Ｒ−ＨＮ）の下で設定された下顎骨の位置で、地球の重力の影響を受けながら行われる行為であるためである。もう一つは、次に挙げる二つの生理的な条件のことである。
１．個人個人の就眠時における呼吸法は、特定の呼吸法でなければならない。
２．個人個人の「舌による接触固定行為」の形態は、就眠時における呼吸法に対応した特定の形態でなければならない。
＃１．タイプＲＴ−ＢＮの場合は、常に鼻呼吸である。
＃２．タイプＲＴ−ＢＭの場合は、常に口呼吸である。
＃３．タイプＲＴ−ＢＮ＆ＢＭの場合は、鼻呼吸と口呼吸を繰り返す呼吸法である。
【００３５】（５）　就眠時における頭頚部の安静形態、個人固有の咬合と個人固有の枕の三者間に認められる関係
【００３６】ａ）　上顎（下顎）前歯の被蓋（垂直被蓋と水平被蓋）、上下顎前歯の唇舌的な傾斜と遠心部がねじれて唇側に張り出している上顎中切歯
１）　就眠時における呼吸法を条件に、後頭部の上方に位置する支点領域、後頭部の上方下部に位置する支点領域、後頭結節の上方に位置する支点領域、後頭結節に位置する支点領域と第７頚椎の直上に位置する支点領域のうちのいずれかの支点領域を所有している人たち、前歯部の咬合様式（正常咬合、上顎前歯の垂直被蓋、上顎前歯の水平被蓋、上下顎前歯の傾斜と外側がねじれて唇側に張り出している上顎中切歯）と枕の性状との間には、関係が存在する。（図１）
２］就眠時における呼吸法を条件に、頚部の中央に位置する支点領域を所有し、さらに後頭部の上方下部に位置する支点領域、後頭結節の上方に位置する支点領域、後頭結節に位置する支点領域のうちのいずれかの支点領域を所有している人たち、前歯部の咬合様式（反対咬合、下顎前歯の垂直被蓋、下顎前歯の水平被蓋と上下顎前歯の傾斜）と枕の性状との間には、関係が存在する。（図１）
【００３７】ｂ］　歯の大きさ
　頚部の側方に位置する支点領域（左右対称）、この解剖学的な因子と枕の性状との間には、この支点領域の分類方法によって関係が存在する。
１．左右にある頚部の側方に位置する支点領域をひとつの単位で見た時、この支点領域の広さの度合い、大きな歯と小さな歯の分布状態と枕の性状との間には、次のような関係が存在する。（図４）
＃１．この支点領域を全域で所有している人たちは、すべての歯が極めて小さく、この支点領域の全域に方向性のある強い圧力を加えることができる枕（流動性の極めて高い性状の枕か変形させやすい性状の枕）を使用している。
＃２．頚部の側方に位置する支点領域をまったく所有していない人たちは、すべての歯が極めて大きく、この支点領域に方向性のある強い圧力を加えることができない枕（流動性のない素材でできた硬い枕か変形させ難い素材でできた枕）を使用している。
＃３．頚部の側方に位置する支点領域をいくつかの部分で所有している人たちは、大きな歯が多くて小さな歯が少なく、この支点領域のいくつかの部分に方向性のある強い圧力を枕の上に置いた手、あるいは指、あるいは腕で加えることができる枕（あまり流動性のない素材でできた枕か比較的変形させ難い素材でできた枕）を使用している。
＃４．頚部の側方に位置する支点領域を比較的広い部分で所有している人たちは、小さな歯が多くて大きな歯が少なく、この支点領域の比較的広い部分に方向性のある強い圧力を加えることができる枕（比較的流動性のある素材でできた枕か比較的変形させ易い素材でできた枕）を使用している。
２．右側（あるいは左側）の頚部の側方に位置する支点領域を８つの部分に分割した時、右側（あるいは左側）の頚部の側方に位置する支点領域内にある８つの特定部分と右側（あるいは左側）の特定上下顎同一名称歯の大きさとの間には相関関係が存在する。（図５）
　また、右側（あるいは左側）の頚部の側方に位置する支点領域内にある特定部分と右側（あるいは左側）の特定上下顎同一名称歯の大きさと枕の性状との間には、次のような関係が存在する。（左右対称）
＃１．右側（あるいは左側）のこの支点領域内にある特定部分を全域で所有している人たちは、右側（あるいは左側）特定の上下顎同一名称歯が極めて小さく、直接、あるいは間接的にこのこの支点領域内にある特定部分の全域に方向性のある強い圧力を加えることができる枕を使用している。間接的にこの支点領域内にある特定部分に方向性のある強い圧力を加えることができる枕とは、枕の上に乗せた手、あるいは指、あるいは腕で特定部分に圧力を加えることができる枕のことである。
＃２．右側（あるいは左側）のこの支点領域内にある特定部分を所有していない人たちは、右側（あるいは左側）特定の上下顎同一名称歯が極めて大きく、このこの支点領域内にある特定部分に方向性のある強い圧力を加えることができない枕を使用している。
３．右側（あるいは左側）の頚部の側方に位置する支点領域を１６の部分に分割した時、右側（あるいは左側）の頚部の側方に位置する支点領域内にある１６の特定部分と右側（あるいは左側）の特定の歯の大きさとの間には相関関係が存在する。（図６）
　また、右側（あるいは左側）の頚部の側方に位置する支点領域を１６の部分に分割した時、右側（あるいは左側）の頚部の側方に位置する支点領域内にある特定部分の広さと右側（あるいは左側）の特定の歯の大きさと枕の性状との間には、次のような関係が存在する。
＃１．右側（あるいは左側）のこの支点領域内にある特定部分を全域で所有している人たちは、右側（あるいは左側）の特定の歯が小さく、この支点領域内にある特定部分の全域に直接、あるいは間接的に方向性のある強い圧力を加えることができる枕を使用している。間接的にこの支点領域内にある特定部分に方向性のある強い圧力を加えることができる枕とは、枕の上に手、あるいは腕を乗せて手、あるいは指、あるいは腕でこの支点領域内にある特定部分に圧力を加えることができる枕のことである。
＃２．右側（あるいは左側）のこの支点領域内にある特定部分を比較的広い範囲で所有している人たちは、右側（あるいは左側）の特定の歯が比較的小さく、この支点領域内にある特定部分の比較的広い範囲に方向性のある強い圧力を加えることができる枕を使用しているか、間接的にこの支点領域内にある特定部分に方向性のある強い圧力を加えることができる枕を使用している。
＃３．右側（あるいは左側）のこの支点領域内にある特定部分を比較的狭い範囲で所有している人たちは、右側（あるいは左側）の特定の歯が比較的大きく、この支点領域内にある特定部分の比較的狭い範囲にしか方向性のある強い圧力を加えることができない枕を使用しているか、間接的にこの支点領域内にある特定部分に方向性のある強い圧力を加えることができる枕を使用している。
＃４．右側（あるいは左側）のこの支点領域内にある特定部分を所有していない人たちは、右側（あるいは左側）の特定の歯が極めて大きく、この支点領域内にある特定部分に方向性のある強い圧力を加えることができない枕を使用しているか、枕を使用していない。
４．頚部の側方に位置する支点領域内にある８つの部分の解剖学的な位置は、８つの特定部分と頭頚部における骨格（あるいは筋肉）との関係で表示できる。（図７）
【００３８】ｃ）　上顎前歯の長さ
　頚部の上方に位置する支点領域、この解剖学的な因子と枕の性状との間には、次のような関係が存在する。（図８）
１．頚部の上方に位置する支点領域を全域で所有している人は、極めて短い上顎前歯を持ち、この領域に方向性のある強い圧力を加えることができる形状の枕を使用している。
２．頚部の上方に位置する支点領域を比較的広い範囲で所有する人は、比較的短い上顎前歯を持ち、この範囲に方向性のある強い圧力を加えることができる形状の枕を使用している。
３．頚部の上方に位置する支点領域をまったく所有しない人は、極めて長い上顎前歯を持ち、この支点領域に方向性のある強い圧力を加えることができない形状の枕を使用している。
【００３９】ｄ）　臼歯の形状
　下顎に位置する支点領域、この解剖学的な因子と枕の性状との間には、次のような関係が存在する。（図９）
１．下顎に位置する支点領域を全域（頬骨の前方の部分をも含む）で所有し、さらにこの支点領域を両側で所有している人たちは、極めて尖った臼歯を持ち、この支点領域に方向性のある強い圧力を極めて広い範囲で加えることができる枕という流動性の高い素材でできた枕か、変形させやすい素材でできた枕を使用している。
２．下顎に位置する支点領域を比較的広い範囲（頬骨の前方の部分を含まない）で所有し、さらにこの支点領域を両側で所有している人たちは、尖った臼歯を持ち、この支点領域に方向性のある強い圧力を広い範囲で加えることができる枕という流動性の高い素材でできた枕か、変形させやすい素材でできた枕を使用している。
３．下顎に位置する支点領域を狭い範囲（頬骨の前方の部分を含まない）で所有している人たちは、噛む面が比較的なだらかな斜面の臼歯を持ち、この支点領域に方向性のある強い圧力を狭い範囲で加えることができる枕という比較的流動性の低い素材でできた枕か、比較的変形させ難い素材でできた枕を使用している。
４．下顎に位置する支点領域を所有しない人たち、あるいはこの支点領域を片側でしか所有していない人たちは、噛む面が最もなだらかな斜面の臼歯を持ち、この支点領域に方向性のある強い圧力を加えることができない枕という流動性のない素材でできた枕か、変形させ難い素材でできた枕を使用している。
【００４０】ｅ）　歯列の状態
例：上顎犬歯が歯列アーチからはみ出した位置にある歯列の場合
　この解剖学的な因子、側頭部に位置する支点領域と流動性が低く、端が強く高くなっている枕との間には関係が存在する。（図１０）ただし、この人たちは、頚部の側方に位置する支点領域内の上顎前歯と上顎犬歯の大きさに関係する部分を所有していないか、狭い領域でしか所有していないことを条件とする。
【００４１】ｆ）　上顎歯列アーチの大きさ
　側頭部の上方に位置する支点領域、この解剖学的な因子と枕の性状との間には、次のような関係が存在する。また、頚部の側方に位置する支点領域、この解剖学的な因子と枕の性状との間には、次のような関係が存在する。（図１１）
１．側頭部の上方に位置する支点領域を全域で所有している人たちは、極めて大きな上顎歯列アーチを持ち、流動性のない低い枕か極めて低い枕を使用している。（ただし、この場合、頚部の側方に位置する支点領域を所有しないことを条件にする。）
２．頚部の側方に位置する支点領域を全域で所有している人たちは、極めて小さい上顎歯列アーチと流動性の極めて高い素材でできた枕か極めて変形させやすい素材でできた枕を使用している。ただし、この場合、側頭部の上方に位置する支点領域をまったく所有しないことを条件にする。
【００４２】ｇ）　上顎歯列アーチの形状
　この解剖学的な因子、後頭部の上方に位置する支点領域、後頭部の上方下部に位置する支点領域、後頭結節の上方に位置する支点領域、後頭結節に位置する支点領域、側頭部に位置する支点領域、耳の後方上部に位置する支点領域と首の付け根の側方に位置する支点領域のうちのいずれかの支点領域を特定の形状で所有する人たちと枕の性状との間には、次のような関係が存在する。（図１２）
１．馬蹄形状の上顎歯列アーチを所有している人たちは、中心部を含んだ形態で、後頭部にある支点領域群（後頭部の上方に位置する支点領域、後頭部の上方下部に位置する支点領域、後頭結節の上方に位置する支点領域と後頭結節に位置する支点領域）のうちのいずれかの支点領域を持ち、中心部が凹んでいる枕を使用している。ただし、後頭部の上方が平らになっている人たちは、首の角度を０度にした時に最も安定する平らで極めて硬い枕を使用している。
２．放物線状の上顎歯列アーチを所有している人たちは、中心部を除く形態で、後頭部にある支点領域群（後頭部の上方に位置する支点領域、後頭部の上方下部に位置する支点領域、後頭結節の上方に位置する支点領域と後頭結節に位置する支点領域）のうちのいずれかの支点領域を持ち、首の角度を１５度前後にした時に最も安定する比較的平らな枕を所有している。
３．細長い形状の上顎歯列アーチを所有している人たちは、耳の後方上部に位置する支点領域を持ち、首の角度を３０度前後にした時に最も安定する端が高くなっていない枕を使用している。
４．前歯部で狭く臼歯部に行くに従って広くなる形態の上顎歯列アーチを所有している人たちは、側頭部に位置する支点領域を耳の上方で持ち、首の角度を５５度前後にした時に最も安定する端が高くなっている枕を使用している。
５．前歯部で狭く臼歯部に行くに従って極めて広くなる形態の上顎歯列アーチを所有している人たちは、側頭部に位置する支点領域を耳の上方から額の側方にまで達する広い範囲で持ち、端が強く高くなっている枕を使用している。
６．前歯部で平らな形態の上顎歯列アーチ、首の付け根の側方に位置する支点領域を所有している人たちは、首と肩の間に差し込み、抱きかかえるようにして使用できる枕を使用している。ただし、臼歯部の形態は、この支点領域に加えて、対象者が後頭部の上方に位置する支点領域、後頭部の上方下部に位置する支点領域、後頭結節の上方に位置する支点領域、後頭結節に位置する支点領域、耳の後方上部に位置する支点領域と側頭部に位置する支点領域のうち、どの支点領域をどのような形態で所有しているのかによって異なる。
【００４３】ｈ）　臼歯の被蓋
　オトガイの側方に位置する支点領域、この解剖学的な因子と枕の性状との間には、次のような関係が存在する。（図１３）
１．オトガイの側方に位置する支点領域を所有していない人は、上顎臼歯が下顎臼歯を被っている正常な被蓋関係を所有し、性状に条件を必要としない枕をこの支点領域に当てない方法で使用している。
２．オトガイの側方に位置する支点領域の右側だけを所有している人は、片側性の交差咬合（左側）を所有し、変形させやすい枕か、比較的変形させやすく、やわらかい枕を使用している。
３．オトガイの側方に位置する支点領域の左側だけを所有している人は、片側性の交差咬合（右側）を所有し、変形させやすい枕か、比較的変形させやすく、やわらかい枕を使用している。
４．オトガイの側方に位置する支点領域を両側で所有している人は、両側性の交差咬合（左右）を所有し、変形させやすい枕か、比較的変形させやすく、やわらかい枕を使用している。
【００４４】ｉ）　上下顎前歯の唇舌的な傾斜、上顎前歯の被蓋（垂直被蓋と水平被蓋）と遠心部がねじれて唇側に張り出している上下顎中切歯
Ａ．就眠時の呼吸法が常に鼻呼吸であることを条件とした場合
　肩の背面に位置する支点領域を所有している人、唇側に傾斜した上下の前歯と大きな枕（複数の枕を使用することが多い）との間、あるいは首の付け根の側方に位置する支点領域を所有している人、舌側に傾斜した上下の前歯と首と肩の間に差し込み、抱きかかえるようにして使用できる枕との間には関係が存在する。（図１４）
Ｂ．就眠時の呼吸法が常に鼻呼吸であることを条件として、肩の背面に位置する支点領域を所有している人、あるいは首の付け根の側方に位置する支点領域を所有している人に対し、その支点領域の広さという条件を新たに加えた場合
　肩の背面に位置する支点領域の広さ、唇側に傾斜した上下の前歯の「傾斜の度合い」と枕の性状、あるいは首の付け根の側方に位置する支点領域の広さ、舌側に傾斜した上下の前歯の「傾斜の度合い」と枕の性状との間には次のような関係が存在する。（図１４）
１．肩の背面に位置する支点領域を全域で所有している人は、極めて強く唇側に傾斜した上下の前歯を所有し、大きくて、肩の背面の下部にまで接触させる枕（複数の枕を使用することが多い）を使用している。
２．肩の背面に位置する支点領域を狭い領域で所有している人は、弱く唇側に傾斜した上下の前歯を所有し、大きくて、肩の背面の上部に接触させる枕（複数の枕を使用することが多い）を使用している。
３．首の付け根の側方に位置する支点領域を全域で所有する人は、極めて強く舌側に傾斜した上下の前歯を所有し、首と肩の間に差し込み、広い範囲で抱きかかえるようにして使用できる枕を使用している。
４．首の付け根の側方に位置する支点領域を狭い領域で所有する人は、弱く舌側に傾斜した上下の前歯を所有し、首と肩の間に差し込み、狭い範囲で抱きかかえるようにして使用できる枕を使用している。
Ｃ．就眠時の呼吸法を条件とした場合
１）　肩の背面に位置する支点領域を所有し、さらに後頭部の上方に位置する支点領域、後頭部の上方下部に位置する支点領域、後頭結節の上方に位置する支点領域、後頭結節に位置する支点領域と第７頚椎の直上に位置する支点領域のいずれかの支点領域を所有している人、前歯の咬合様式（正常咬合、上顎前歯の垂直被蓋、上顎前歯の水平被蓋、唇側に傾斜した上下顎前歯と外側がねじれて唇側に張り出している上顎中切歯）と枕の性状との間には、関係が存在する。（図１５）
２）　首の付け根の側方に位置する支点領域を所有し、さらに後頭部の上方に位置する支点領域、後頭部の上方下部に位置する支点領域、後頭結節の上方に位置する支点領域、後頭結節に位置する支点領域と第７頚椎の直上に位置する支点領域のいずれかの支点領域を所有している人、前歯の咬合様式（正常咬合、上顎前歯の垂直被蓋、上顎前歯の水平被蓋、舌側に傾斜した上下顎前歯、舌側に傾斜した下顎前歯と外側がねじれて唇側に張り出している上顎中切歯）と枕の性状との間には、関係が存在する。（図１５）
【００４５】（６）　就眠時の呼吸法を条件とした時、同一的な枕の性状、同一的な就眠時における頭頚部の安静形態と同一的な咬合形態との間に認められる関係
例）　通常、低い枕か極めて低い枕を使用して睡眠を取っているが、時には、枕を使用しなくても睡眠を取ることができるタイプに属するグループＨＣの場合（図２を参照）
ａ）　彼らの就眠時における頭頚部の安静形態
（Ｒ−ＨＮ）の場合
　彼らのすべてが、極めて同一的な地図状模様で描くことのできる「枕への接触固定領域」を所有し、さらに、この地図状模様内の同一位置に支点領域を所有している。
【００４６】（Ｒ−ＭＳ）の場合
　彼らのすべてが、就眠時、下顎をどこにも接触させない。
ｂ）　彼らの咬合形態の特徴
１．大きい歯
２．短い上顎前歯
３．噛む面がなだらかな臼歯
４．極めて整った歯列
５．前歯の垂直被蓋は比較的浅い
６．放物線状の大きな上顎歯列アーチ
７．正常な関係にある臼歯の被蓋
８．唇舌的に垂直な前歯−就眠時の呼吸法が常に鼻呼吸である人に限る。
ｃ）　就眠時の呼吸法が常に鼻呼吸である人の咬合形態は、西洋文明と接触する前のアボリジニの咬合形態に酷似している。
【００４７】（７）　頚部の側方に位置する支点領域を所有している人において、欠如歯と成長期における性状の著しく異なる枕への変更との間に認められる相関関係
　成長期において、個人固有の「枕への接触固定領域」に必要とされる圧力のすべてを腕、あるいは手を使用しながら発生させることができる枕から、腕、あるいは手を使用しても、個人固有の「枕への接触固定領域」に必要とされる圧力のすべてを発生させることができない枕への変更と欠如歯の発生とには相関関係が認められる。
【００４８】１．上顎側切歯（欠如歯）
　極めて低く比較的柔らかい枕から、比較的高くて比較的硬い枕に変更（変更時期：５才）
２．上顎犬歯（欠如歯）
　比較的高く、比較的硬い枕から、比較的高くて、硬い枕（変更時期：６才）
３．上顎第１小臼歯（欠如歯）
　比較的高く、比較的硬い枕から、極めて低くて、平らで比較的柔らかい枕に変更（変更時期：８才）
４．上顎第２小臼歯（欠如歯）
　比較的高く、比較的硬い枕から、極めて低くて、平らで比較的柔らかい枕に変更（変更時期：８才）
５．上顎第３大臼歯（欠如歯）
　比較的硬いマットレスから、柔らかいマットレスに変更（変更時期：１４才）
６．下顎第１小臼歯（欠如歯）
　比較的高く、比較的硬い枕から、極めて低くて、平らで比較的柔らかい枕（変更時期：８才）
７．下顎第２小臼歯（欠如歯）
　比較的高く、比較的硬い枕から、極めて低くて、平らで比較的柔らかい枕に変更（変更時期：８才）
８．下顎第３大臼歯（欠如歯）
　比較的高く、比較的硬い枕から、極めて低くて、平らで比較的柔らかい枕に変更（変更時期：８才）
【００４９】安静維持機能
　誰もが、就眠時、無意識下であっても、常に個人固有の就眠時における頭頸部の安静形態を作り出し、この部の安静状態を維持させることができる。この理由は、科学的な事実（１）（２）（３）（４）と生物学的な見地から、生体が、個人固有の生理的な因子に反応する「安静維持機能」という機能を備えているためであることが明らかになった。この機能は、地球の重力の影響下にあるすべての生物が、生命体にとって不可欠な安静という生理を必要に応じて得ることができるように、すべての種の各個体が、必然的に所有した地球の重力に対する対処機能のことである。この機能の目的は、無意識下で、就眠時、あるいは安静時の形態の出現を制御している個体の生理的な条件に従い、何らかの物理的な方法に基づく行為（安静維持行為）を用いて、対象となる機能部を動かないように固定し、そうすることで、すべての機能部（就眠時）、あるいは機能部の一部（安静時）に、地球の重力を生理的に解消することのできる形態を作り出させることにある。ただし、この生理的な条件は、ヒトを除く自然界のすべての種にとって、種固有の条件であるが、ヒトの場合だけが機能部ごとで所有する個人固有の条件である。そればかりか、ヒトの場合に限り、この機能によって作り出される安静形態は安静時と就眠時とでまったく異なる形態となる。その理由は、直立歩行をするヒトの場合、生理的な条件が両者間で異なるためである。
【００５０】　このような対処機能の存在は、次に挙げる事実によって証明される。
ａ）　すべての種にとって、就眠時における安静形態とは、地球の重力を生理的に解消することのできる形態であり、単に、地球の重力に逆らわないようにすれば、安静を得ることができる形態ではない。
【００５１】ｂ）　ヒトが就眠時における安静形態を作り出すためには、機能部単位で所有する個人固有の生理的な条件により、個人個人が、機能部ごとに地球の重力を生理的に解消することのできる個人固有の形態を作り出す必要がある。しかし、自然界で、ヒトを除く同一種に属する個体の場合、安静形態を作り出すためには、種固有の共通した生理的な条件により、そのすべてが、地球の重力を生理的に解消することのできる種固有の共通した形態を作り出す必要がある。ただし、種固有の共通した安静形態とは、同一種に属する個体のすべてが作り出すことのできる形態のことであり、一つの形態を意味しない。
【００５２】ｃ）　ヒトの場合、個人個人が、就眠時における安静形態を作り出すためには、すべての機能部に渡って、運動行為に関与する筋肉群を緊張状態から開放し、機能部ごとで所有する個人固有の生理的な条件に従い、必ず機能部ごとに「安静維持行為」を行う必要がある。この行為を行う方法には、特徴の異なる次の三つのタイプがある。
１．機能部の特定部分を何らかに接触し、さらに、その部分で対象となる機能部全体を動かないように固定する「接触固定行為」による方法
　咀嚼系を除くすべての機能部が、この方法で安静維持行為を行っている。
２．「舌による接触固定行為」と靭帯を利用した固定方法
　この方法は咀嚼系だけで行われる。
３．「舌による接触固定行為」と靭帯を利用した固定方法に、さらに下顎を枕に接触固定させる行為を加えた方法
　この方法も咀嚼系だけで行われる。
【００５３】　この機能の存在により、ほとんどすべての人が、睡眠中、無意識に寝返りを打っても、一つの睡眠形態が占める個人固有の「地図状模様内における一部の領域」を、枕（個人個人が快適に睡眠をとることができる性状を持った個人固有の枕）の形態を変えたり、枕の下に腕を差し込んだりと工夫して、この領域の部分部分に必要とされる「位置固有の方向を持った個人固有の許容圧力」を発生させることのできる状態にした枕の表面に接触固定させ、常に個人固有の（Ｒ−ＨＮ）を出現させている。しかし、なかには、そのままでも、この領域の特定部分に必要とされる個人固有の方向性のある許容圧力が発生するマットレスや床の表面に接触固定させている人もいる。その理由は、就眠時、すべての睡眠形態で、枕を使用しなければ、この領域に必要とされる許容圧力を発生させることができない人、それとは反対に、すべての睡眠形態で、枕を使用すると、それを発生させることができない人がいるためである。また、誰であろうと、旅行先での就眠時、ホテルに常備されている枕が個人固有の生理的な条件をまったく満たすことのできない枕であれば、その枕を使用し、個人個人が作り出すことのできるすべての睡眠形態で挑戦してみても、この部にこの部の個人固有の安静形態を作り出すことができず、疲労回復につながる睡眠を取ることができない。この原因は、安静維持機能が機能しないためである。枕が替わると寝られないというのは、このような理由による。
【００５４】作用因子
　個人固有の枕、就眠時における頭頚部の安静形態と個人固有の咬合の関係から、個人個人の咬合を形成する二つの作用因子の存在とその形成のメカニズムが明らかになった。
（ａ）　二つの作用因子
ｉ．　（Ｒ−ＨＮ）に由来する作用因子
　この作用因子は、枕などへの接触固定領域である「肩の背面をも含む場合がある頭部と頚部」の表皮にモザイク状に認められる支点領域群のことである。（図１６ｘの１）
　オトガイの側方の支点領域を除く支点領域群は、「成長期の就眠時に、特定の支点領域内に常に加えられる方向性のある強い圧力に反応して、特異な方法で、就眠時の呼吸法に関係しない特定の解剖学的な因子の形態を特定の形態に形成させる特異な生体の機能」を制御している個所である。ただし、これらの支点領域が解剖学的な因子に作用する方法は、支点領域の存在位置によって異なる。また、多くの支点領域は、作用に関する条件を持っていないが、一部の支点領域は、作用する時の優先権、あるいは作用させるためには必ず同一支点領域を左右で所有しなければならないという作用に関する条件を持っている。そればかりか、各支点領域が解剖学的な因子に作用する度合いは、支点領域の広さで異なり、その内容は、支点領域内での存在部位で異なる。
【００５５】　その中でも、頚部の側方に位置する支点領域は特異である。（図１６：ｘの２とｘの３）
　また、各支点領域に必要な圧力の方向は、位置固有である。（図１７）多くの人は、各支点領域に必要な方向性のある強い圧力を快適に睡眠をとることができる性状を持った個人固有の枕で発生させている。（科学的な事実の５を参照）
　個人個人は、このような支点領域群の一部を個人間で異なる位置に、個人間で異なる数と形態で所有している。個人個人の咬合形態が個人間で著しく異なっているのは、このためである。ただし、支点領域群が作用因子として機能するのは、成長期だけである。
　このような意味を持つ支点領域には、次の１５種類の単位領域があり、成長期、次のようにして、個人個人の咬合に作用する。
２１３（１２）　後頭部の上方に位置する支点領域
　この支点領域は、上顎前歯に極めて浅い垂直被蓋を発生させる。ただし、誰もが、第７頚椎の直上に位置する支点領域を所有しないことを条件にする。この支点領域で中心部を除く部分は、上顎歯列アーチの形態を放物線状にするが、中心部を含んだ部分は、この形態を馬蹄形状にする。ただし、この場合、誰もが側頭部に位置する支点領域を所有しないことを条件にする。
２１４（１３５）　側頭部の上方に位置する支点領域
　この支点領域は、大きな上顎歯列アーチを発生させる。頚部の側方に位置する支点領域を所有せず、この支点領域だけを広い範囲で所有する場合、この形態は極めて大きくなる。
２１５（１３２）　側頭部に位置する支点領域
　この支点領域は、前歯部で狭く、臼歯部に行くに従って広くなる上顎歯列アーチを発生させる。
２１６（１３）　後頭部の上方下部に位置する支点領域
　この支点領域は、上顎前歯に浅い垂直被蓋を発生させる。この支点領域で中心部を除く部分は、上顎歯列アーチの形態を放物線状にするが、中心部を含んだ部分は、この形態を馬蹄形状にする。ただし、この場合、誰もが側頭部に位置する支点領域を所有しないことを条件にする。
２１７（１４）　後頭結節の上方に位置する支点領域
　この支点領域は、上顎前歯に比較的深い垂直被蓋を発生させる。この支点領域で中心部を除く部分は、上顎歯列アーチの形態を放物線状にするが、中心部を含んだ部分は、この形態を馬蹄形状にする。ただし、この場合、側頭部に位置する支点領域を所有しないことを条件にする。
２１８（７３）　頚部の側方に位置する支点領域
　この支点領域は、左右のそれぞれで、１６種類の歯を小さくさせる１６の部分に分かれ、特定部分で特定の歯を小さくさせる。（図１６：ｘの２とｘの３）また、この支点領域は、小さな上顎歯列アーチをも発生させる。
２１９（１５）　後頭結節に位置する支点領域
　この支点領域は、上顎前歯に極めて深い垂直被蓋を発生させる。この支点領域で中心部を除く部分は、上顎歯列アーチの形態を放物線状にするが、中心部を含んだ部分は、この形態を馬蹄形状にする。ただし、この場合、側頭部に位置する支点領域を所有しないことを条件にする。
２２０（１１５）　頚部の上方に位置する支点領域
　この支点領域は、短い上顎前歯を発生させる。ただし、この支点領域を広い範囲で所有することは、この歯を極めて短くさせるが、狭い場合は、この歯をより長くさせる。この支点領域をまったく所有しない場合、この歯は極めて長くなる。
２２１（１６）　頚部の中央に位置する支点領域
　この支点領域は、反対咬合を発生させる。ただし、この支点領域が右（あるいは左）の側方にある場合は、右（あるいは左）の前歯部の１、２本が反対咬合となる。
２２２（１１）　第７頚椎の直上に位置する支点領域
　この支点領域は、切端咬合を発生させる。ただし、この支点領域が右（あるいは左）側方にある場合は、右（あるいは左）の前歯部の１、２本が切端咬合となる。
２２３（１５１）　頚の付け根の側方に位置する支点領域
　この支点領域は、舌側に傾斜した上下の前歯を発生させる。さらに、この支点領域は、上顎歯列アーチの形態を前歯部で平らな形状にする。
２２４（１６１）　肩の背面に位置する支点領域
　この支点領域は、唇側に傾斜した上下の前歯を発生させる。
２２５（１２２）　下顎に位置する支点領域
　この支点領域は、尖った臼歯を発生させる。ただし、この支点領域を両側に所有することを条件とする。この支点領域を全域で所有することは、極めて尖った臼歯になるが、狭い場合は、平らな臼歯になる。しかし、この支点領域をまったく所有しない場合、臼歯は極めて平らになる。
２２６（１５２）　オトガイの側方に位置する支点領域
　この支点領域は、交差咬合を発生させる。ただし、この支点領域を右（あるいは左）の片側だけに所有すると、左（あるいは右）の片側性の交差咬合となるが、この支点領域を両側に所有すると、両側性（左右）の交差咬合となる。
２２７（１４６）　耳の後方上部に位置する支点領域
　この支点領域は、細長い上顎歯列アーチを発生させる。ただし、側頭部に位置する支点領域を所有しないことを条件にする。
【００５６】ｉｉ．　（Ｒ−ＭＳ）に由来する作用因子
　この作用因子は、舌による接触固定行為が行われている成長期、舌の特定領域とその接触部分との間で継続的に発生する方向性のある強い圧力のことである。（成長期の舌による接触固定行為は、舌の特定領域とその接触部分との間に方向性のある弱い圧力をも継続的に発生させているが、この弱い圧力は、個人個人の咬合に個人差を生じさせる決定的な作用因子ではない。）この強い圧力は、発生する位置と発生する数が個人間で異なる。そればかりか、この強い圧力は、発生原因が異なる次の三つがあり、それぞれで作用する対象と方向が異なる。ただし、この強い圧力は、個人個人が成長した後、周辺の圧力と変わらない弱い圧力となり、作用因子としての働きを終える。
【００５７】１）　支点領域に起因する圧力
　この圧力は、舌の特定部分で自発的に発生する圧力を発生源とするが、常に発生する訳ではなく、舌による接触固定行為が行なわれて、初めて発生するという極めて特異な圧力である。そればかりか、この圧力は、発生する位置と作用する方向が次のように支点領域で異なる。
＃１．後頭部に位置する支点領域群（後頭部の上方に位置する支点領域、後頭部の上方下部に位置する支点領域、後頭結節の上方に位置する支点領域、後頭結節に位置する支点領域）と第７頚椎の直上に位置する支点領域の場合
　この圧力は、アメーバ状になった舌の中央前方の部分と上下顎前歯の切端との間で発生し、上下方向に作用する。この圧力は、すべての人に発生し、前歯の垂直被蓋を形成する。この圧力の強さは、個人個人が所有する支点領域で異なる。この圧力が比較的強いと前歯の垂直被蓋は深くなるが、この圧力がかなり強いと、この垂直被蓋は浅くなる。
＃２．頚の付け根の側方に位置する支点領域の場合
　この圧力は、＃１で記述した舌の部分より少し奥の部分と上下顎前歯の歯根部との間で発生し、唇側に向かって作用する。この圧力は、この支点領域を所有している人だけに発生し、上下顎前歯を舌側に傾斜させる。
＃３．肩の背面に位置する支点領域の場合
　この圧力は、＃１で記述した舌の部分より少し奥の部分と上下顎前歯の切端に近い部分との間で発生し、唇側に向かって作用する。この圧力は、この支点領域を所有している人だけに発生し、上下顎前歯を唇側に傾斜させる。
＃４．頚部の中央に位置する支点領域の場合
　この圧力は、＃１で記述した舌の部分より少し奥の部分と下顎前歯の中央部から下顎骨に至る部分との間で発生し、唇側に向かって作用する。この圧力は、この支点領域を所有している人だけに発生し、反対咬合を出現させる。
【００５８】２）　就眠時の呼吸法の相違に起因する圧力
　この圧力は、舌による接触固定行為の形態によって、主として、舌の中央部と前歯の特定部分との間で発生させられる。ただし、この圧力が発生する位置と作用する方向は、舌による接触固定行為に認められる形態の相違と個人個人が所有する支点領域で異なる。就眠時、常に口呼吸である人のタイプＲＴ−ＢＭの場合、この圧力は、この人たちの厚い舌によって発生させられる。ただし、その度合いは、舌の厚みがより厚ければ、より強い圧力を発生させるというように、舌の厚みの違いによって異なる。また、この圧力は、人によって、上顎前歯の切端に近い部分で唇側に向かう極めて強い圧力として発生したり、上顎前歯の切端で上方に向かう極めて強い圧力として発生したり、上顎前歯の切端と上顎小臼歯の咬合面の両方で、上方に向かう極めて強い圧力として発生する。これらの圧力が広い水平被蓋と著しい開咬を生じさせる。就眠時、鼻呼吸と口呼吸を繰り返す人のタイプＲＴ−ＢＮ＆ＢＭの場合、この圧力は、シリンダー状にした舌の膨らんだ部分で発生させられる。この圧力は、人によって、上顎中切歯の切端付近の遠心部で唇側に向かって作用したり、上顎前歯の切端付近で唇側に向かって作用したりする。これらの圧力が、狭い水平被蓋、弱い開咬と上顎前歯（あるいは上顎中切歯）における特有な形態を出現させる。しかし、就眠時、常に鼻呼吸である人のタイプＲＴ−ＢＮの場合、このような圧力は発生しない。
【００５９】３）　舌の自重に起因する圧力
　この圧力は、主として、地球の重力の影響を受けて膨らんだ舌の後方部分と臼歯との間で発生し、歯列を押し広げる。この圧力が発生する位置とこの圧力の方向は個人間で異なる。この個人差は、個人固有の「枕への接触固定領域」によって作り出される下顎の三次元的な位置と地球の重力との関係が原因である。
【００６０】（ｂ）　個人個人の咬合形態が形成されるメカニズム
　個人個人の咬合形態は、成長期に、次のようにして、個人個人の就眠時における呼吸法と個人固有の「枕への接触固定領域」内に存在する個人固有の支点領域群を反映した形態に形成される。
【００６１】ｉ．　上顎前歯の垂直被蓋、下顎前歯の垂直被蓋（反対咬合）、唇側に傾斜した上下顎前歯と舌側に傾斜した上下顎前歯
【００６２】　これらの形態は、次のようにして形成される。
１）　成長期の就眠時、特定領域に位置する支点領域の表皮が、常に、枕、マットレス、あるいは手（腕）の一部によって加えられる方向性のある強い圧力に反応して、この位置にある個人固有の支点領域の形状を認識し、生体にその情報を伝達する。同時に、特定の支点領域を所有してない情報も、特定の支点領域に関する情報として生体に伝達される。
２）　生体は、その情報に基づいて、「接触固定行為」を行う時の舌に生理的な性状の形成を開始し、舌の特定部分で強い圧力を発生させる舌という特定領域に位置する個人固有の支点領域を反映した舌に形成する。
３）　このようにして形成された舌によって行われる「接触固定行為」に伴う方向性のある強い圧力が、上記した解剖学的な形態を、特定領域に位置する個人固有の支点領域を反映した形態に形成する。
【００６３】ｉｉ．　歯の大きさ、上顎前歯の長さと臼歯の形状
　これらの形態は、次のようにして形成される。
１）　成長期の就眠時、特定領域に位置する支点領域群の表皮が、ｉの場合と同様の方法で、生体にその情報を伝達する。
２）　生体は、その情報を発育期の歯胚に伝達し、これらの形態を個人固有の支点領域の情報に基づいた形態に形成する。
【００６４】ｉｉｉ．　上顎歯列アーチの大きさ
　この形態は、次のようにして形成される。
１）　成長期の就眠時、上顎歯列アーチの大きさに関係する支点領域（側頭部の上方に位置する支点領域と頚部の側方に位置する支点領域）の表皮が、ｉの場合と同様の方法で、生体にその情報を伝達する。
２）　生体は、その情報に基づき、上顎歯列アーチの大きさをこの領域に位置する個人固有の支点領域を反映した形態に形成する。
【００６５】ｉｖ．　上顎歯列アーチの形状
　この解剖学的な因子は、特定領域に位置する個人固有の支点領域（群）が、個人個人にさまざまな安静形態を作り出すことによって、次のように形成される。
１）　就眠時には、誰もが、ヒト固有の安静維持機能の働きによって、無意識に、個人固有の「枕への接触固定領域」の範囲内で、常に、個人固有の生理的な条件を満たすことのできる個人固有の枕の特定部分に頭頚部の特定部分を特定の三次元的な角度で接触固定させ、常に、個人固有の睡眠形態で睡眠を取ることを余儀なくさせられている。しかし、人によっては、特定の睡眠形態で睡眠を取っている時、枕の使用に加え、常に、手、あるいは腕の一部を頭頚部の特定部分に特定の三次元的な角度で押し当てて、個人固有の生理的な条件を満たしている。この時、個人個人の口腔内では、「舌による接触固定行為」が、個人固有の睡眠形態によって設定された個人固有の下顎の三次元的な位置で行なわれ、常に、舌との接触部分に方向性のある弱い圧力を継続的に発生させている。しかし、成長期のこの行為は、地球の重力の影響を受けて常に個人間で異なる特定の方向に垂れ下がって膨らんだ部分、あるいは縮んで膨らんだ部分と特定の「舌との接触部分」との間に舌の自重に起因する方向性のある強い圧力を継続的に発生させる。
【００６６】２）　この圧力が、この解剖学的な因子を、特定領域に位置する個人固有の支点領域の形態を反映した形状に形成する。ただし、この形態には、次の６つの基本的な形態がある。
【００６７】＃１．馬蹄形状の形態の場合
　後頭部の中央を含む形態で後頭部に位置する支点領域群（後頭部の上方に位置する支点領域、後頭部の上方下部に位置する支点領域、後頭結節の上方に位置する支点領域と後頭結節に位置する支点領域）のうちのいずれかの支点領域を所有する人は、誰もが背骨を曲げることなく、仰向けで正面を向いた姿勢で睡眠をとる。この睡眠姿勢は、接触固定を行う舌を縮ませることで、舌の後方部分を膨らませる。この膨らんだ部分で発生する方向性のある強い圧力がこの形態を形成する。
【００６８】＃２．放物線状の形態の場合
　後頭部の中央を除く形態で後頭部に位置する支点領域群（後頭部の上方に位置する支点領域、後頭部の上方下部に位置する支点領域、後頭結節の上方に位置する支点領域と後頭結節に位置する支点領域）のうちのいずれかの支点領域を所有する人は、仰向け時、誰もが背骨と顎を左右のどちらか一方にねじり、さらに首をわずか折り曲げて睡眠をとる。この睡眠姿勢は、舌を沈下させることで、上記した＃１の部分よりも後方の部分を膨らませる。この膨らんだ部分で発生する方向性のある強い圧力がこの形態を形成する。
【００６９】＃３．細長い形態の場合
　耳の後方上部に位置する支点領域を所有する人は、僅かに背骨をねじり、首を折り曲げることなくわずかに横に曲げ、ほとんど仰向けで睡眠をとっている。この睡眠姿勢は、臼歯部で舌を膨らませない。この舌の形態に起因する単調な圧力がこの形態を形成する。
【００７０】＃４．前歯部で狭く、臼歯部に行くに従って広くなる形態の場合
　側頭部に位置する支点領域を耳の上部で所有する人は、常に、横向きの姿勢で耳の上部を枕に接触固定させて睡眠を取る傾向がある。この睡眠姿勢は、舌を臼歯部で膨らませ、前歯部で細くさせる。これらの部分部分で発生する変化に富んだ圧力がこの形態を形成する。
【００７１】＃５．前歯部では狭く、臼歯部に行くに従って極めて広くなる形態の場合
　側頭部に位置する支点領域を耳の上部から額の側方までの広い範囲で所有する人は、常に、横向きの姿勢で耳の上部よりも額寄りの側頭部を枕に接触固定させ、さらに体を内側に傾斜させて睡眠をとる傾向がある。この睡眠姿勢は、舌を臼歯部で強く膨らませ、前歯部で細くさせる。これらの部分部分で発生する変化に富んだ圧力がこの形態を形成する。
【００７２】＃６．前歯部で平らな形態の場合
　首の付け根の側方に位置する支点領域を所有する人は、仰向けの姿勢の時、常に左（あるいは右）に首を強くねじらせて睡眠を取っている。このような睡眠姿勢は、舌を前歯部で左（あるいは右）に垂れ下げることで、前歯の中心部で接触する舌の部分を薄くし、犬歯部付近で接触する舌の部分を膨らませる。その結果、舌とその接触部分で発生する圧力は、前歯の中心部で極めて弱くなるが、犬歯部付近で強くなる。この変化に富んだ圧力が、この形態を形成する。臼歯部の形態は上記した＃１から＃５の形成過程に従って形成される。
【００７３】ｖ．　歯列の状態
　犬歯が歯列アーチからはみ出した上顎歯列アーチの場合
　この咬合形態は、歯の大きさと歯列アーチの大きさとの関係に相反する作用をする支点領域群の存在によって、次のようにして発生する。
１）　側頭部に位置する支点領域を所有する人は、前歯部では狭く、臼歯部に行くに従って広くなる上顎歯列アーチを所有する。この場合、この人たちが頚部の側方に位置する支点領域を所有していないと、歯の大きさは大きくなる。
２）　その結果、上顎前歯部で最後に萌出する犬歯は、萌出スペースを失い、歯列アーチからはみ出した位置に萌出する。
【００７４】ｖｉ．　交差咬合という特異な臼歯の被蓋
　この咬合形態は、常に、オトガイの側方に位置する支点領域を枕に接触させて睡眠を取っている人に発生する。
１）　常に、オトガイの側方に位置する支点領域を枕に接触させる睡眠方法は、常に、下顎を反対側に移動させる。このような状態下で臼歯が萌出してくると、臼歯の被蓋は移動させられた位置で設定される。
２）　その結果、臼歯の被蓋は、正常な場合と反対の関係に形成される。ただし、交差咬合を左右の両方で所有する人の場合、この咬合形態は、右向きになった時には、常に右のオトガイの側方部分を枕に接触させ、左向きになった時には、常に左のオトガイの側方部分を枕に接触て睡眠を取る人に発生する。
【００７５】ｖｉｉ．　広い上顎前歯の水平被蓋と著しい開咬
　この咬合形態は、就眠時、口呼吸をする人が、タイプＲＴ−ＢＭで行っている「舌による接触固定行為」によって、次のように形成される。ただし、彼らの舌は厚い。
１）　上顎中切歯が萌出する７才前後に、「舌による接触固定行為」がタイプＲＴ−ＢＭで行われると、上顎前歯に接触する舌の中央部分で彼らの厚い舌に起因する極めて強い方向性のある圧力が発生する。この圧力の方向は、個人個人の垂直被蓋の度合いを決定する支点領域の影響を受けて決定される。そのため、第７頚椎の直上に位置する支点領域を所有する人の場合、この圧力は、上顎前歯を上方に押し上げる強い圧力となるが、後頭部に位置する支点領域群（後頭部の上方に位置する支点領域、後頭部の上方下部に位置する支点領域、後頭結節の上方に位置する支点領域と後頭結節に位置する支点領域）のうちのいずれかを所有する人の場合、この圧力は、上顎前歯を前方に押し出す強い圧力となる。
【００７６】２）　その結果、第７頚椎の直上に位置する支点領域を所有する人の場合、この方向性のある圧力が、上下歯の間に広い空隙を形成して、著しい開咬を発生させる。それに対して、後頭部に位置する支点領域群（後頭部の上方に位置する支点領域、後頭部の上方下部に位置する支点領域、後頭結節の上方に位置する支点領域と後頭結節に位置する支点領域）のうちのいずれかの支点領域を所有する人の場合、この方向性のある圧力が、上顎前歯全体を前方に移動させると同時に、上下歯の間に広い空隙を形成して、広い上顎前歯の水平被蓋を生じさせる。
【００７７】ｖｉｉｉ．　外側が唇側にねじれて唇側に張り出している上顎中切歯
　この咬合形態は、就眠時、鼻呼吸と口呼吸を繰り返す人が７才前後になる前から行っている「舌による接触固定行為」によって、次のようにして形成される。ただし、この人たちは、この行為をタイプＲＴ−ＢＮ＆ＢＭで行っている。
１）　７才前後は、上顎中切歯が萌出していても、歯根の部分は未完成であると同時に、隣接する歯はまだ存在しない時期である。そのため、この時期に、「舌による接触固定行為」がタイプＲＴ−ＢＮ＆ＢＭで行われると、シリンダー状にした舌の部分で上顎中切歯の遠心部を唇側に押し出す強い圧力が発生する。
２）　この方向性のある強い圧力が、上顎中切歯の近心部を中心にして唇側に回転させ、この咬合形態を形成する。この咬合形態は、口で呼吸することを可能にした形態である。
【００７８】ｉｘ．　狭い水平被蓋と弱い開咬
　この咬合形態は、就眠時、常に鼻呼吸である人が、９才前後に鼻疾患に感染し、この頃から行い始めた「舌による接触固定行為：タイプＲＴ−ＢＮ＆ＢＭ」によって、次のようにして形成される。
１）　９才以降は、すでに上顎中切歯も隣接する歯も萌出し、さらに歯根も形成されつつあるか、すでに完成している時期である。そのため、後頭部に位置する支点領域群（後頭部の上方に位置する支点領域、後頭部の上方下部に位置する支点領域、後頭結節の上方に位置する支点領域と後頭結節に位置する支点領域）のうちのいずれかを所有している人の場合、この時期に、「舌による接触固定行為」がタイプＲＴ−ＢＮ＆ＢＭによって行われると、シリンダー状にした舌の部分で、常に上顎前歯４本の切端部を唇側に押し出す強い圧力が発生する。この圧力は、気道を形成するための圧力である。ただし、この行為は、個人個人の垂直被蓋を決定する支点領域の影響をも受けながら行われるため、第７頚椎の直上に位置する支点領域を所有している人の場合、この強い圧力は、上顎前歯４本の切端部を上方に押し上げる圧力となる。
【００７９】２）　その結果、第７頚椎の直上に位置する支点領域を所有している人の場合、この方向性のある強い圧力が、上下歯の間に弱い空隙のある開咬を生じさせる。それに対して、垂直被蓋の度合いを決定する支点領域を他の特定領域（後頭部の上方に位置する支点領域、後頭部の上方下部に位置する支点領域、後頭結節の上方に位置する支点領域と後頭結節に位置する支点領域）で所有する人の場合、この方向性のある圧力が、上下歯の間に狭い空隙のある水平被蓋を持った上顎前歯を形成する。これらの咬合形態もまた、口で呼吸することを可能にした形態である。
【００８０】ｘ．　唇側に傾斜した上顎前歯
　この咬合形態は、肩の背面に位置する支点領域を所有しない人で、就眠時、鼻呼吸と口呼吸を繰り返す人がタイプＲＴ−ＢＮ＆ＢＭで行う「舌による接触固定行為」と就眠時、常に口呼吸の人が行うタイプＲＴ−ＢＭによって、次のようにして形成される。
【００８１】１）　「舌による接触固定行為」が、タイプＲＴ−ＢＮ＆ＢＭあるいはタイプＲＴ−ＢＭで行われると、シリンダー状にした舌の部分、あるいは厚い舌の表面で、常に上顎前歯の切端を唇側に押し出す強い圧力が発生する。
２）　この方向性のある圧力が、上顎前歯を唇側に傾斜させ、この咬合形態を発生させる。ただし、頚の付け根の側方に位置する支点領域をも所有する人は、上下顎前歯が舌側に傾斜しているため、この圧力を軽減させたり、相殺させたりする。第７頚椎の直上に位置する支点領域を所有している人の場合、シリンダー状にした舌の部分、あるいは厚い舌で発生する圧力は、上顎前歯を上方に押し上げる圧力となる。これらの理由により、この人たちの場合、唇側に傾斜した上顎前歯は発生しない。
【００８２】ｘｉ．　欠如歯
　歯胚の発育方向は、成長期の就眠時、誰もが、個人固有の形態で少なくとも一つは所有する「歯胚の発育に関与する支点領域群：頚部の側方に位置する支点領域、頚部の上方に位置する支点領域と下顎に位置する支点領域（図１６を参照）」に無意識に、枕、手あるいは腕で、常に、位置固有の方向性のある強い圧力を加えることによって、維持されている。しかし、頚部の側方に位置する支点領域を所有する人の中で、枕の変更により、成長期のある時期から、個人固有のこの支点領域に必要とされる圧力を一部分でまったく発生させることができない人が出現した場合、その部分に加えられる圧力を必要とするその人の発育途上の特定歯胚は、発育の方向を失って発育を止め、その人の咬合（特定の歯）に欠如歯を生じさせる。
【００８３】　このような人が出現する理由は、成長期に、子供の枕が性状の異なる枕に変えられると、その子供は、手と腕を使用しても、個人固有のこの領域に必要とされる圧力のすべてを発生させることが物理的にできなくなるためである。この現象が発生する原因は、上記した歯胚の発育に関係する３つの支点領域のうち、頚部の側方に位置する支点領域だけが、部分部分で著しく異なる方向性の圧力を必要とする領域であることに起因する。この人に発生する欠如歯の種類は、この圧力が加えられなくなった部分がどこであるのか、その時期がいつかによって異なる。特定の歯に欠如歯が発生した人の場合、これ以降、この人たちは、右あるいは左の頚部の側方に位置する支点領域内の特定部分に継続的な圧力を加えることができなくなる。例えば、右の上顎犬歯が欠如歯である人の場合、この人は右の頚部の側方に位置する支点領域内にある上顎犬歯を小さくさせる部分に枕を当てて睡眠をとることができなくなる。（図１６：ｘの２とｘの３を参照）
【００８４】生理的な因子の由来
（Ｒ−ＨＮ）の場合
常に、（Ｒ−ＨＮ）を個人固有の（Ｒ−ＨＮ）として出現させる生理的な因子の由来
　この生理的な因子は、親など育児に携わる者が、誕生直後から生後９０日までの期間に、日常的に行った授乳時に頭頚部を支える行為、寝かせ方など、個人間で著しく異なる育児行為によって、個人個人に体得させたことに由来することが明らかになった。その根拠は、個人固有の（Ｒ−ＨＮ）の出現を制御している生理的な因子（ｉ．個人固有の「枕ヘの接触固定領域」ｉｉ．この領域内の各支点領域と各支点補助領域に必要とされる位置固有の方向性を持った個人固有の許容圧力）と、彼らの親など育児に携わった者が、誕生直後から生後９０日までの期間における育児に際して、「肩の背面をも含む場合がある頭部と頚部」の特定部位に方向性のある圧力を常に加えた行為の総合内容とを比較対照すると、両者は完全に一致するためである。上記した期間での育児に際して、親などが圧力を加えた行為とは、次の行為のことである。
【００８５】１．授乳などの理由で赤ん坊を抱きかかえる時、手、あるいは腕で赤ん坊の頭部と頚部の個人間で著しく異なる特定領域を接触固定して、常に、その特定領域の部分部分に強さも方向も異なる圧力を加える行為
２．赤ん坊を寝かせ付ける時、枕や折り畳んだタオルなどに頭部、あるいは頭部と頚部の特定領域を接触固定させて、その特定領域の部分部分に強さも方向も異なる圧力を発生させる行為
３．赤ん坊を寝かせ付ける時、赤ん坊に極めて厚い素材でできた服を着せ、肩の背面に強い圧力を発生させる行為
【００８６】　下記した証言は、母親など育児に携わった者の証言集からの抜粋である。
ａ）　授乳時における頭頚部の支え方に由来する場合
例１
　仰向け時、頚部上方（後頭結節下部から頚部上方にかけての部分）の側方寄りの部分と、後頭部上方下部の側方寄りの部分を極めて低い枕に強く接触固定させて睡眠を取っているグループＨＣ（図２を参照）に属する人たちの場合
　母親は、授乳時、常に、後頭結節の上方から頚部上方に至る側方寄りの部分を腕に当てていたと証言している。また、母親は、赤ん坊を寝かせる時、後頭部上方の側方寄りの部分に圧力が加わる薄いタオルを頭部の下に敷いていたとも証言している。
【００８７】例２
　切端咬合（図１−タイプＮＢを参照）を所有する人の第７頚椎の直上に認められる支点領域とその領域に必要な位置固有の方向性を持った強い圧力の場合
　母親は、この時、常に、手を赤ん坊の後ろに回し、掌の下部を第七頚椎の直上に支点となるように当てて固定していたと証言している。
【００８８】例３
　側頭部の額寄りに特定の方向に向う強い圧力を必要とする支点領域を所有している人の場合（図１２−ｏの５を参照）
　母親は、授乳時、側頭部から後頭部を通り反対側の側頭部にかけての部分を掴むようにして固定していたと証言している。
【００８９】ｂ）　赤ん坊が生まれた時の季節と衣服との関係に由来する場合
例
　グループＳ−ＧＵとグループＮＰ−ＮＢ（図３を参照）に属する人の肩の背面に認められる支点領域とその領域に必要な位置固有の方向性を持った強い圧力の場合
　母親は、赤ん坊の生まれた季節が冬であったため、誕生直後から暖かくなるまで、乳児期には、肩の背面に強い圧力を発生させる極めて厚い素材でできた服を着せ、仰向けで寝かせていたと証言している。
【００９０】ｃ）　赤ん坊への接し方に由来する場合
例
　反対咬合（図１のタイプＮＣ−ＨＣ、タイプＮＣ−ＧＵとタイプＮＣ−Ｇを参照）を所有する人の頚部中央に認められる支点領域とその領域に必要な位置固有の方向性を持った強い圧力の場合
　母親、あるいは父親は、日常的に、赤ん坊の頚の下に腕を差し込んで枕の変りにする「腕枕」を行って寝かせていたと証言している。
【００９１】（Ｒ−ＭＳ）の場合
就眠時の呼吸法の由来
　この呼吸法の由来は、被験者とその親の証言により、成長期に、慢性鼻疾患に罹患した経験の有無とその疾患への罹患時期に関係していることが明らかになった。
ａ）　常に鼻呼吸の人
　この呼吸法は、成長期に、慢性鼻疾患に罹患した経験がない人に認められる。
ｂ）　常に口呼吸の人
　このタイプの人は、乳児期から、口呼吸であり、生後一週間前後から授乳を終えるまでの期間の授乳後、頻繁に、呼吸困難による引き付けを起こした経験を持つ。このタイプの場合、就眠時には常に鼻づまり現象を起こしている。また、このタイプの場合、両親のいずれかが感染性の慢性鼻疾患に罹患している。
ｃ）　鼻呼吸と口呼吸を繰り返す人
　このタイプの人は、３才前後から９才前後までの期間に慢性鼻疾患に罹患した経験があり、その疾患に罹患した時期から現在に至るも、就眠間際や明け方には頻繁に鼻づまり現象を起こす。
【００９２】ヒト固有の形質
　ヒトの就眠時における頭頚部の安静形態は、下記した三つの理由から、就眠時の呼吸法を条件として、誕生直後から生後一週間前後までの期間を最も重要な期間とする、誕生直後から生後９０日までの期間に、親などによって付与される、ヒト固有の後天的な形質であると解釈できる。
【００９３】ａ）　ヒト以外の哺乳動物の赤ん坊は、そのすべてが、誕生直後から、歩行できたり、母親にしがみつくことができたり、あるいは生後一週間前後で活動することができるようになるのに対し、ヒトの赤ん坊は、誕生直後から生後９０日までの期間、物を掴むことも、頚を自由に動かすことも、頭部を支えて座ることもできないという「ヒトの赤ん坊における特異性」の生物学的な意味
【００９４】　この意味は、次のように解釈できる。
　ほとんどすべての哺乳動物の赤ん坊は、胎児期に、羊水の中という無重力状態に近い環境で発育するにも拘らず、羊水内で発生する一気圧の水圧と僅かに存在する上下方向から地球の重力を感じ取ることによって、最初に、地球の重力を生理的に解消することができる種固有の安静形態を確立させ、そのうえで、地球の重力に対応した種固有の運動機能を獲得して生まれてくる。このように、地球の重力に対応した運動機能の獲得には、運動機能を機能させる起点として、地球の重力を生理的に解消することができる安静形態の確立が必要である。しかし、ヒトの赤ん坊だけは、胎児期に、羊水の中で活動することができても、地球の重力を生理的に解消することができる安静形態がまったく形成されていない状態で生まれてくる。このような状態で生まれてくるヒトの赤ん坊は、圧力に対して極めて敏感であるため、親などが日常的に行う育児行為に伴う、「肩の背面をも含む場合がある頭部と頚部」の特定領域に加えられる「方向性のある強い圧力」に反応して、直ちに、それらに対応した就眠時における機能部の安静形態の形成を開始する。それには、すべての機能部の中でも、最初に、就眠時における全身の安静形態を決定する就眠時における頭頚部の安静形態を確立させ、その形態に対応した頭頚部の運動機能を水平位で獲得する必要があるが、ヒトの場合、ヒト固有の形質により、その確立までには、およそ三ヵ月間が必要とされる。そのため、このような意味を持つヒトの就眠時における頭頚部の安静形態は、一度、設定されると、生涯において、二度と変えることができない個人固有の形質となる。そればかりか、このような意味を有するヒトの就眠時における頭頚部の安静形態は、親などが日常的に行う育児方法が個人間で著しく異なれば、個人固有の就眠時における頭頚部の安静形態になり、その育児方法が同一民族で同一的であれば、民族固有の就眠時における頭頚部の安静形態になる。
【００９５】ｂ）　（Ｒ−ＨＮ）の形成過程
ステージ１（開始時期）：誕生直後
　上記した状態で生まれてくるヒトの赤ん坊は、直ちに、地球の環境に順応する必要があることが根拠である。
ステージ２（方向づけ期）：１週間前後
　この時期に、親が誕生直後からうつ伏せで育てた赤ん坊を仰向けで寝かせようとすると、赤ん坊は泣き出し、うつ伏せにするまで泣くことを止めない。また、親が誕生直後から横向きで育てた赤ん坊を抱きかかえる時、横向きに抱かないと、赤ん坊は泣き出し、横向きに抱くまで泣くことを止めない。上記したことが根拠である。
ステージ３（確立時期）：生後９０日前後
　この時期になると、赤ん坊は、物を掴むことと頭部を支えて座ることができるようになることが根拠である。
【００９６】ｃ）　（Ｒ−ＭＳ）の形成過程：就眠時の呼吸法と「舌による接触固定行為」に認められる三つの異なる形態の獲得過程
ステージ１（開始時期）：誕生直後
　赤ん坊のすべてが、常に鼻で呼吸する。この時、「舌による接触固定行為」の形態はタイプＲＴ−ＢＮとなる。
ステージ２（方向づけ期）：生後１週間前後
　この時期の赤ん坊は、通常、鼻呼吸で「方向づけ」される。この場合、「舌による接触固定行為」の形態はタイプＲＴ−ＢＮで「方向づけ」される。しかし、この時期までに、赤ん坊が慢性鼻疾患に罹患すると、赤ん坊は就眠時に常に口で呼吸することになる。この場合、「舌による接触固定行為」の形態はタイプＲＴ−ＢＭで「方向づけ」される。
ステージ３（確立時期）：生後９０日前後
　赤ん坊のすべてが、この時期までに個人固有の就眠時の呼吸法を常に、鼻呼吸か口呼吸で確立される。常に鼻呼吸の場合、「舌による接触固定行為」の形態はタイプＲＴ−ＢＮとなるが、常に口呼吸の場合、この形態はタイプＲＴ−ＢＭとなる。
ステージ４（緊急避難型獲得期）：生後９０日以降
　この時期に、赤ん坊が慢性鼻疾患に罹患すると、就眠時、この赤ん坊は鼻呼吸と口呼吸を繰り返して行う。「舌による接触固定行為」の形態は、鼻呼吸時にはタイプＲＴ−ＢＮであるが、口呼吸時にはタイプＲＴ−ＢＮ＆ＢＭとなる。
【００９７】解析
（１）　個人個人の就眠時における頭頚部の安静形態は、「科学的な事実（１）（２）（３）（４）」と「安静維持機能」から、生理的な因子によって制御されている個人固有の形質であると解析できる。このことは、就眠時、誰もが、個人固有の就眠時における頭頸部の安静形態で睡眠を取ることを余儀なくさせられていることを意味する。
【００９８】（２）　個人固有の咬合形態は、個人固有の就眠時における頭頚部の安静形態を反映した成長経歴であると解析できる。その根拠は、次の二つの事実である。
ａ）　個人個人の就眠時における頭頚部の安静形態は、（１）で、生理的な因子によって制御されている個人固有の形質であることが明らかにされた。
ｂ）　「科学的な事実（５）（６）（７）」、「安静維持機能」と「作用因子」から、個人固有の就眠時における頭頚部の安静形態で睡眠を取りながらの成長と個人固有の就眠時における頭頚部の安静形態を反映した咬合形態の発現とには因果関係が存在すると解析できる。
【００９９】（３）　個人個人の就眠時における頭頚部の安静形態の出現を制御している生理的な因子の由来は、「生理的な因子の由来」と「ヒト固有の形質」の記述から、次のように解析できる。
【０１００】ａ）　（Ｒ−ＨＮ）が常に個人固有の（Ｒ−ＨＮ）になるように、その出現を制御している二つの生理的な因子
【０１０１】１．就眠時、個人個人が枕に接触させる領域は、必ず、個人固有の「枕への接触固定領域（支点領域と支点補助領域）」という限定された領域内でなければならないという生理的な因子
　この生理的な因子は、誕生直後から生後一週間前後までの期間を最も重要な期間とする、誕生直後から生後９０日までの期間に、親など、育児に携わる者が赤ん坊に日常的に行った次の行為とその内容に由来する。
＃１．頭頚部にある領域の場合
ｉ．　授乳時、母親の手、あるいは腕で赤ん坊の頭部を支える行為
ｉｉ．　就眠時、枕、あるいはマットレスに子供の頭頚部を接触させる行為
ｉｉｉ．　就眠時、腕を赤ん坊の頚部の下に差し込み、枕の代わりにする行為
＃２．肩の背面にある領域の場合
　就眠時、赤ん坊に厚い素材でできた服を着せて寝かせる行為
＃３．支点領域
　この領域は、親など、育児に携わる者が、上記した行為によって、強い圧力を加えた部分である。
＃４．支点補助領域
　この領域は、親など、育児に携わる者が、上記した行為によって弱い圧力を加えた部分である。
【０１０２】２．個人個人が、この領域内の部分部分に加える圧力は、位置固有の方向性を持った個人固有の許容圧力でなければならないという生理的な因子
　この生理的な因子は、上記した期間に、親など、育児に携わる者が赤ん坊に日常的に行った次の行為とその内容に由来する。
【０１０３】＃１．各支点領域に必要とされる強い圧力
ｉ．　頭頚部にある領域の場合
　常に、この部の同一部分に手の一部分（指全体、指の先端部、掌の側方、掌の下部）、あるいは腕の内側の特定部分で強い圧力を加える行為
ｉｉ．　肩の背面にある領域の場合
　就眠時、赤ん坊に厚い素材でできた服を着せて寝かせることによって、この部分に強い圧力を発生させる行為
【０１０４】＃２．各支点補助領域に必要とされる弱い圧力
ｉ．　頭頚部にある領域の場合
　常に、この部の同一部分に、強い圧力を発生させない手の一部分で、弱い圧力を加える行為
ｉｉ．　肩の背面にある領域の場合
　就眠時、赤ん坊に厚い素材でできた服を着せて寝かせることによって、この部分の一部に弱い圧力を発生させる行為
【０１０５】＃３．位置固有の方向を持った圧力
ｉ．　この圧力の由来
　母親などが、上記した行為によって発生させた圧力の方向である。
ｉｉ．　上記した行為によって発生させた圧力が位置固有の方向性を持った圧力になる原因
　この原因は、上記した行為のすべてが、赤ん坊の頭頚部、あるいは肩の背面の各特定領域に特定の方向に向かう圧力を発生させるという、いくつかの限られた人類共通の方法で行われるためである。
【０１０６】＃４．個人固有の許容圧力
ｉ．　個人間で著しく異なる手と腕の大きさ、太さ、形態
ｉｉ．　使用するベッド（マットレス）の硬さの違い
ｉｉｉ．　赤ん坊に着せる服の厚みの違い
【０１０７】ｂ）　（Ｒ−ＭＳ）が常に個人固有の（Ｒ−ＭＳ）になるように、その出現を制御している「個人個人の就眠時における呼吸法」とこの呼吸法に対応した「舌による接触固定行為」の特定形態という生理的な因子
　個人個人の就眠時における呼吸法は、誕生直後から９才前後までの期間に、慢性鼻疾患に罹患した経験の有無とこの疾患への罹患時期に由来する。また、個人個人の「舌による接触固定行為」の形態は、誰もが、就眠時、気道を確保しながら、この行為を行うことができるように、生体が、舌の形成期に、この行為の形態を個人個人の就眠時における呼吸法に対応した形態に形成したことに由来する。
＃１．タイプＲＴ−ＢＮは、誕生直後から現在に至るまで、慢性鼻疾患に罹患しなかった人が、就眠時に行う鼻で気道を確保した鼻呼吸に由来する。
＃２．タイプＲＴ−ＢＭは、誕生直後から生後９０日までの期間に、慢性鼻疾患に罹患したことによって、就眠時、常に鼻詰まり現象を生じさせる人が、就眠時に、常に行う口で気道を確保した口呼吸に由来する。
＃３．タイプＲＴ−ＢＮ＆ＢＭは、生後４ヶ月から９才前後までの期間に、慢性鼻疾患に罹患したことによって、主として、就眠間際や明け方に鼻詰まり現象を生じさせる人が、鼻詰まり時に行う口で気道を確保した口呼吸に由来する。
【０１０８】（４）　作用因子の存在と個人固有の咬合を形成するメカニズムの解明結果から、人の咬合に個人間で著しく異なる個人固有の咬合を発現させる直接的な原因は、誰もが、就眠時の呼吸法を条件として、個人固有の就眠時における頭頚部の安静形態で睡眠を取ることを余儀なくさせられたことに起因する次の二つの圧力であると解析できる。
ａ）　ひとつは、誰もが、成長期の就眠時、無意識に、個人間で形状と性状の異なる個人固有の枕、手と腕という「圧力を発生させる因子」を個人個人の生理的な条件に従った個人固有の使用方法で、個人間で著しく異なる「頭頚部の特定領域」に自ら当てて発生させる「方向性のある強い個人固有の許容圧力」のことである。
ｂ）　もうひとつは、誰もが、「舌による接触固定行為亅を行っている成長期の就眠時、個人間で著しく異なる「特定の歯の特定部分」と個人間で著しく異なる「舌の特定部分」との間で発生する方向性のある強い圧力のことである。ただし、この圧力の方向と強さの度合いは、個人間で著しく異なる。
【０１０９】（５）　ヒトの咬合に個人間で著しく異なる個人固有の咬合の発現を可能にさせた根源的な原因は、ヒト固有の安静維持機能と「生後９０日間は首が座らない」というヒト固有の形質が持つ意味の解明結果から、地球の重力の存在を基礎的な条件として、種であるヒトが、先天的に所有する「生後９０日間は首が座らない」というヒト固有の形質であると解析できる。
【０１１０】（６）　ヒトは、次のようなヒトの咬合形態に多様化現象の発現を可能にさせる特異なコントロールシステムを所有していると解析できる。
システム１
　ヒトの赤ん坊は、ヒトという種固有の形質により、地球の重力に対応した安静形態をまったく備えていない状態で誕生させられる。
【０１１１】システム２
　最初に、就眠時における頭頚部の安静形態（Ｒ−ＨＮ）の形成が、誕生直後から、次の行為によって開始させられる。その行為とは、母親など育児に携わる者が、赤ん坊の頭頚部を支えて授乳させる時、あるいは寝かせ付ける時、常に、赤ん坊の頭頚部における特定領域の部分部分に方向性のある強い圧力、あるいは弱い圧力を加えたり、発生させたりする行為のことである。同時に、就眠時における咀嚼系部の安静形態（Ｒ−ＭＳ）を出現させる「舌による接触固定行為」の形成が、下顎の三次元的な位置で、就眠時の呼吸法を条件にした生体の働きによって、次のように開始させられる。就眠時、常に鼻で呼吸するほとんどすべての赤ん坊の場合、その形態の形成は、気道としての鼻で呼吸することを最優先させる生体の生命維持機能とヒト固有の安静維持機能の働きにより、タイプＲＴ−ＢＮの形態になるように開始させられる。
【０１１２】　しかし、誕生直後に慢性鼻疾患に罹患したことで、就眠時、常に口で呼吸するようになった赤ん坊の場合、その形態の形成は、ヒト固有の安静維持機能の働きと生体の防御機能により、気道の確保を可能にさせるタイプＲＴ−ＢＭの形態になるように開始させられる。ただし、誕生後の早い時期から生後９０日までの期間に、慢性鼻疾患に罹患したことで、就眠時、常に口で呼吸するようになった赤ん坊の場合、その形態の形成は、上記した場合と同様の理由で、タイプＲＴ−ＢＭの形態になるように変更させられる。慢性鼻疾患に罹患した時期が早ければ早い程、この疾患に罹患した赤ん坊の舌は、より厚い舌に形成される。（Ｒ−ＨＮ）と（Ｒ−ＭＳ）の形成が開始されると、直ちに、他の機能部の就眠時における安静形態の形成が、母親など育児に携わる者によって取らされた睡眠姿勢（仰向け、横向き、あるいはうつ伏せ）と着せられた服の厚みに起因する圧力によって、開始させられる。ヒトは、就眠時における機能部の安静形態の形成を完了させるまでに、９０日間という極めて長い期間を必要とするが、このおよその形態は、生後一週間前後で方向づけされてしまう。
【０１１３】システム４
　生後三ヶ月間を経過すると、ヒトの赤ん坊の（Ｒ−ＨＮ）と（Ｒ−ＭＳ）の形成が、ヒトという種固有の形質により、完了させられる。その結果、ヒトの赤ん坊は、ヒト固有の安静維持機能の働きによって、母親など育児に携わる者の育児行為が頭頚部の特定領域の部分部分に方向性のある強い圧力、あるいは弱い圧力を加えたり、発生させられたりした内容を記憶（体得）させられ、常に、その特定領域（個人個人の「枕への接触固定領域」）の部分部分に自ら同様の圧力を加える方法で睡眠を取ることを余儀なくさせられる。この時、就眠時、常に鼻で呼吸するほとんどすべての赤ん坊は、「舌による接触固定行為」を個人固有のタイプＲＴ−ＢＮで行うが、誕生直後から生後９０日までの期間に、慢性鼻疾患に罹患したことで、就眠時、常に口で呼吸するようになった赤ん坊は、この行為を個人固有のタイプＲＴ−ＢＭで行うことを余儀なくさせられる。
【０１１４】　しかし、就眠時に常に鼻呼吸であったが、生後３ヶ月以降に慢性鼻疾患に罹患して、就眠時、口呼吸と鼻呼吸を繰り返すことになった人のこの行為の形態は、生体の防御機能により、緊急避難型であるタイプＲＴ−ＢＮ＆ＢＭの形態に変更させられる。これ以降、この人は、個人固有のタイプＲＴ−ＢＮ＆ＢＭで「舌による接触固定行為」を行うことを余儀なくさせられる。ただし、この形態への変更可能期間は、９才前後までである。（Ｒ−ＨＮ）と（Ｒ−ＭＳ）の形成が完了するとはぼ同時に、他の機能部の就眠時における安静形態が、ヒト固有の安静維持機能と方向性のある発育成長を促進させる生体の働きにより、常に、母親など育児に携わる者によって取らされていた睡眠姿勢を基本形として、個人固有の（Ｒ−ＨＮ）に対応した形態で完了させられる。その結果、赤ん坊は、頭頚部の場合と同様に、母親など育児に携わる者によって取らされた睡眠姿勢に伴う内容を記憶させられ、常に、各機能部の特定領域に自ら同様の圧力を加える方法で睡眠を取ることを余儀なくさせられる。（Ｒ−ＨＮ）の形成が完了したことで、ヒトの赤ん坊が座ることができるようになると、直ちに、リラックスしている時の安静形態の形成が、ヒト固有の安静維持機能の働きによって、個人固有の（Ｒ−ＨＮ）と（Ｒ−ＭＳ）を反映した形態になるように開始させられる。
【０１１５】システム４
　「舌による接触固定行為」の作用と肩の背面をも含む場合がある頭頚部の特定領域に常に加えられる方向性のある強い圧力に反応して咬合形態を形成するという生体の特異な機能（図１６を参照）の作用によって、１８才前後まで（智歯の萌出期）に個人固有の（Ｒ−ＨＮ：個人固有の「枕への接触固定領域」によって作り出される安静形態）と個人固有の（Ｒ−ＭＳ：この場合、個人固有のタイプＲＴ−ＢＮ）を反映した形態に形成される。それに対して、就眠時、常に口で呼吸する人、及び口呼吸と鼻呼吸を繰り返す人の咬合形態は、慢性鼻疾患に罹患した時期を条件として、就眠時、口で呼吸することができる形態を基本形に、上記した就眠時、常に鼻呼吸である人の場合と同様の方法で、１８才前後までに、個人固有の（Ｒ−ＨＮ：個人固有の「枕への接触固定領域」によって作り出される安静形態）と個人固有の（Ｒ−ＭＳ：この場合、個人固有のタイプＲＴ−ＢＭ、あるいはタイプＲＴ−ＢＮ＆ＢＭ）を反映した形態に形成される。
【０１１６】　（成長期に、短時間でしかうつ伏せを取ることができない人が、枕が合わないという理由で、常に、うつ伏せで睡眠を取らざるを得なくさせられると、この人たちの骨格の発育は、方向性のある発育を促進させる生体の働きに逆行させられ、正常な発育を阻害される。その結果、この人たちは、生体の拒絶反応によって、これまでとは異なる反対の方向から発生する圧力を受けるようになった膝関節部に、発育方向の転換に伴う激しい痛みを生じさせられる。）
　この時に必要とされる方向性のある強い圧力は、個人固有の枕によって、個人固有の特定領域に発生させられる。しかし、成長期のある時期から、この圧力を頚部の側方に位置する支点領域における個人固有の特定領域の一部分で発生させることができない枕に変更させられた子供の場合、欠如歯がこの子供の特定の歯に発生する。これ以降、この人の個人固有の枕は、作用因子から、頚部の側方に位置する支点領域において、この特定歯を形成する歯胚の発育に関係する部分に圧力を加えることができない性状の枕に変更させられる。
【０１１７】（７）　上記した（１）−（６）から、個人個人の咬合は、就眠時の呼吸法を条件として、誕生直後から生後１週間前後までの期間を最も重要な期間とする、誕生直後から生後９０日までの期間に、本人が、授乳時、どのようにして頭頸部を支えられていたのか、あるいは寝かされていたのか、その方法によって付与された個人固有の就眠時における頭頚部の安静形態を反映した成長経歴であると解析できる。
【０１１８】（８）　また、個人固有の枕の性状とその枕の使用方法に認められる個人差は、上記した（１）と（３）の解析結果から、基本的に、誕生直後から生後９０日までの期間の育児行為に起因する人為的な現象結果であると解析できる。
【０１１９】（９）　快適に睡眠をとることができる性状を持った個人固有の枕は、安静維持機能から、個人固有の生理的な因子を満足させると解析できる。
【０１２０】（１０）　個人固有の枕は、上記した（９）から、個人固有の就眠時における頭頸部の安静形態を出現させる装置であると解析できる。
【０１２１】（１１）　成長期の個人固有の枕は、上記した（６）と作用因子（ｘｉ：欠如歯）から、個人固有の咬合を形成させる装置であると解析できる。
【０１２２】（１２）　成長後の就眠時、すべての歯における個人固有の位置とその傾斜角は、次の２つの事実から、舌による接触固定行為によって、上下方向に移動したり、舌側方向に傾斜したりしないように、常に維持されていると解析できる。
２つの事実
＃１．成長後の就眠時、個人個人の舌による接触固定行為は、常に、すべての上下歯の咬合面と舌側面の２つの面に方向性のある弱い圧力を加えている。（作用因子を参照）
＃２．成長後の就眠時、この接触固定行為は、個人固有の枕を使用して出現させた個人固有の（Ｒ−ＨＮ）の下で行われる。（科学的な事実−４を参照）
【０１２３】（１３）　成長後の個人固有の枕は、上記した（１２）から、完成した個人固有の咬合の位置関係を維持させる装置であると解析できる。
【０１２４】（１４）上記した（１）−（１３）から、個人固有の枕、個人固有の就眠時における頭頸部の安静形態と個人固有の咬合には因果関係があると解析できる。
【０１２５】（１５）したがって、個人個人が快適に睡眠をとることができる個人固有の枕の性状は、次のような順序と方法で正確に解明できる。
ａ）　被験者の咬合の特徴を詳細に観察する。
ｂ）　この観察結果を、個人固有の咬合の発現と個人個人が快適に睡眠をとることができる性状を持った個人固有の枕で睡眠をとりながらの成長との間に認められる関係図（図１から図１７）を解析資料にして、この被験者の「枕への接触固定領域」における各支点領域の位置と形態を解析する。多くの歯を喪失したり、元の歯の形状が解らない人工歯を所有したりしているため、個人固有の咬合が明暸でない人の場合、この人たちが所有する各支点領域の位置と形態は、手法（２）で記した方法で解明する。この時、この人たちが所有する各支点補助領域も、手法（２）の方法で解明できるが、この領域の解明は、左程重要ではない。
ｃ）　この解析結果から、この被験者が所有する個人固有の「枕への接触固定領域」のイラスト（支点領域のみ）を作成する。
ｄ）　このイラストを個人個人の基礎資料にして、個人固有の咬合の発現と個人個人が快適に睡眠をとることができる性状を持った個人固有の枕で睡眠をとりながらの成長との間に認められる関係図（図１から図１７）と比較対照させながら、この被験者が所有する各支点領域に必要な方向性のある強い圧力を発生させることができる個人固有の枕の性状（高さ、硬さ、素材、大きさと形状）をひとつずつ解析する。
ｅ）　最後に、この解析結果を基にして、この被験者が快適に睡眠をとることができる性状を持った個人固有の枕の総合的な判断をする。
【０１２６】結論
１．個人個人が快適に睡眠をとることができる個人固有の枕の性状とその枕の使用方法に認められる個人差は、基本的に、誕生直後から生後１週間前後までの期間を最も重要な期間とする、誕生直後から生後９０日までの期間の育児行為に起因する人為的な現象結果である。
　基本的と明記した理由は、この個人差は、欠如歯の出現によっても発生するためである。
２．個人個人が快適に睡眠をとることができる個人固有の枕、個人固有の就眠時における頭頚部の安静形態と個人固有の咬合には因果関係がある。このことは、個人個人が快適に睡眠をとることができる個人固有の枕の性状は、基本的に、個人固有の咬合の観察から生理的な因子を解析することによって、正確に解明できることを意味する。
　基本的と明記した理由は、人によっては多くの歯を失っていたり、元の天然の歯の形態とはまったく異なる形態の人工物を多く所有していたり、全ての歯を失っていたりしているためである。
３．個人個人が枕を選択する時、あるいは製造してもらう時、その枕の性状は、個人固有の就眠時における頭頚部の安静形態を制御している生理的な因子を満足させる個人固有の装置にしなければいけない。
【０１２７】手法
（１）　「科学的な事実」（１）−（７）は、成人した日本人１０２人を対象にした、次に挙げる調査で発見された。
１．咬合形態の観察（模型の作成）
２．睡眠形態の聞き取りと直接的な観察
３．就眠時における頭頚部の安静形態下で、肩の背面をも含む頭頚部へ圧力を加えた時の反応の観察
４．鼻疾患に罹患した経験の有無
５．就眠時、個人個人が使用している枕の形状と性状、及び枕への接触固定領域
６．就眠時と起きている時における舌の観察
７．頭蓋の観察
【０１２８】（２）　「７つの科学的な事実」の（３）で明らかにした「枕への接触固定領域」と各支点領域に必要とされる位置固有の方向性のある強い圧力は、睡眠姿勢の直接的な観察と次に挙げる一連の実験によって解明された。
実験の方法
１．第一の実験
ａ．　被験者に座ってもらう。
ｂ．　実験者の手の全領域、あるいはその一部（指、掌、あるいは掌の下部）を用いて、被験者の頭頚部と肩の背面の特定領域に方向性のある強い圧力を加える。
ｃ．　この圧力を加えた時の被験者の反応を観察し、被験者が不快を感じる領域（枕をどこにも接触させない領域）、心地よさを感じる領域（支点領域）とどちらとも言えない領域（支点補助領域）という３つの領域のデータを収集する。
ｄ．　これらのデータを基に、これらの領域の範囲を３つの面（後方、上方と側方）からイラスト化する。さらに、このイラストに圧力の方向を意味する矢印を加える。
ｅ．　この図の正誤を被験者に確認してもらう。
【０１２９】２．第二の実験
ａ．　被験者に枕とタオルを渡して、睡眠姿勢を再現してもらい、被験者が枕に強く接触させている領域と軽く接触させている領域を実験者の指で確認する。この時、手、あるいは腕を頭頚部のどこかしらに当てている行為があるかないかをも確認する。被験者の多くはこの行為を意識せずに行っているため、被験者から、起床時に手、あるいは腕の痺れを経験したことがあるかないかを聞く。「ある」と答えた人の場合、その被験者は、就眠時、必ず、手、あるいは腕をどこかしらに当てているので、それらのどの部分を頭頚部のどの部分に当てると心地よさを感じるのか、その被験者にその行為を実験してもらう。（この時、被験者が手、あるいは腕を当てた部分も、支点領域である。）
ｂ．　この実験で得られたデータを基に、先にイラスト化した枕への接触固定領域に修正を加え、より正確な図を作成する。
ｃ．　再度、この修正図の正誤を被験者に確認してもらう。
【０１３０】３．第三の実験
ａ．　枕とタオルを取りはずし、被験者に手を後頭部（人によっては、後頭部から頚部にかけての部分）で組んでもらい、さらに睡眠形態を作ってもらう。この時、被験者が、手、あるいは腕のどの部分で強い圧力を発生させているのか、頭頚部のどの領域にその圧力を加えているのか、どのような方向にその圧力を加えているのかを本人に言ってもらい、そのデータを取る。
【０１３１】　この行為に関するデータを収集するのは、次のような理由による。
＃１．この行為は、主に、人が何かに寄りかかって頭頚部の安静を図っている時に認められる。（また、この行為は、個人個人が頭頚部の安静を図りながら腹筋を強化する運動時にも認められる。）
＃２．この行為は、本来、誰もが、無意識下で、両腕を用いて一時的に頭頚部と腕部自身の安静を図るために行う「接触固定行為」である。
＃３．この行為は、常に、頭頚部における個人固有の特定位置で個人固有の形態を取りながら行われる。そのため、この行為が行われる頭頚部の特定位置とその位置で作られる形態は、個人間で異なるばかりか、同一人物であっても、その時に取っている姿勢によって異なる。この理由は、この行為が行われるときの形態が、個人固有の外部から観察することができる就眠時における頭頚部の安静形態の出現を制御している生理的な因子と地球の重力によって、制御されているためである。
＃４．この行為が行われている時、誰もが、この時の姿勢に対応した頭頚部の個人固有の位置で個人固有の形態を作り、常に、手、あるいは腕の特定部分を用いて、個人固有の頭頚部における支点領域群の一部に位置固有の方向性のある強い圧力を加えている。
＃５．この行為の形態と圧力に関する内容は、個人固有の「枕への接触領域」と同様に個人間で著しく異なる。
ｂ．　被験者に座った姿勢でこれと同様な行為を行ってもらい、そのデータを取る。
ｃ．　これらのデータを比較対照し、より正確な図を作成する。
【０１３２】４．この図（＃３）と先の図（＃２）とを比較対照し、最終的な図を作成する。
【０１３３】（３）　「７つの科学的な事実」の（５）で明らかにした、特定の解剖学的な因子と特定の支点領域との間で認められる関係と特定の支点領域が必要とする位置固有の方向性のある強い圧力の方向は、次のようにして解明された。
１）　この関係を解明する基準作りのため、資料から、「枕への接触固定領域」が小さい人で、上顎前歯の垂直被蓋が極めて浅い人とそうでない人を選択する。
２）　次の実験を行う。
＃１．第一段階
　これらの被験者を、極めて浅い上顎前歯の垂直被蓋を所有する人のグループとそれ以外のグループに分ける。
＃２．第二段階
　（ｂ）で行った第一の実験と同じ手法を用いて、どちらのグループが後頭部上方に位置する支点領域を所有しているかどうかを確認する。
＃３．第三段階
　（ｂ）で行った第二の実験と同じ手法を用いて、それを再確認する。
＃４．第四段階
　（２）で行った第三の実験と同じ手法を用いて、どちらのグループが、手を後頭部の上方に当てるのかを確認する。さらに、手を後頭部の上方に当てる人の場合、その領域のどの部分に強い圧力を加えているかどうかを確認する。
【０１３４】３）　その結果、極めて浅い上顎前歯の垂直被蓋とを所有する人は、後頭部の上方に方向性のある強い圧力を加えていることが明らかになった。
４）　極めて浅い上顎前歯の垂直被蓋と後頭部の上方に位置する支点領域との間に認められる相関関係を基準にした消去法という解析方法によって、他の解剖学的な因子と特定の支点領域との相関関係と特定の支点領域が必要とする位置固有の方向性のある強い圧力の方向を一つずつ明らかにした。
５）　その結果、特定の解剖学的な因子と特定の支点領域との間に認められる関係が、図１と図４から図１７で図解したような関係で解明された。
【０１３５】（４）　「安静維持機能」は、すべての生物に共通して認められる安静時の機能を地球環境における必然性という観点から考察した筆者の研究によって、その存在が明らかになった。
【０１３６】（５）　「作用因子」で明らかにした４つの支点領域（＃１．後頭部に位置する支点領域群＃２．頚の付け根の側方に位置する支点領域＃３．肩の背面に位置する支点領域＃４．頚部中央に位置する支点領域）に起因して、舌で発生する特異な圧力の存在は、次に挙げる二つの事実の解析結果から明らかになった。
１）　二つの事実
ａ．　上記した支点領域のうち、特定の支点領域を共通して所有する人たちの特定の解剖学的な因子の形態は、その人たちの睡眠姿勢が個人間で異なっていても、必ず、その人たちが共通して所有する特定の支点領域を反映した形態になっている。
ｂ．　口腔内では、就眠時、舌による接触固定行為に伴って、舌との接触部分で継続的な圧力が発生している。成長期におけるこの圧力は、顎骨を成長させ、顎骨が成長すると舌自身を成長させ、成長した舌がさらに顎骨を成長させるという役割を担っている。
２）　解析結果：上記した特定の支点領域を反映した特定の解剖学的な因子の形態（咬合形態）の形成は、「接触固定行為」を行っている成長期の舌の特定部分で、自発的に発生する方向性のある強い圧力が原因であると解析できる。このことは、成長期の就眠時であれば、舌による接触固定行為が行われている時に、舌の特定部分で上記した支点領域に起因する強い圧力が継続的に発生していることを意味する。
【０１３７】（６）　「生理的な因子の由来」は、次に挙げる被験者に対する調査で明らかになった。この被験者は、先の調査で被験者となった１０２人の日本人の一部とその被験者の母親、そして、新たに加えた６歳以上の成長期の子供２０人とその子供の母親、あるいは両親である。子供に対して行った調査内容は、先に成人で行った調査と同一のものである。母親に対する調査は、誕生直後から９０日までの期間に、母親など育児に携わった者が過去に経験した育児方法に関する調査とその子供の鼻疾患に関する調査である。
【０１３８】（７）　ヒト固有の形質において、就眠時における全機能部の安静形態のなかで、最初に形成され、確立される機能部は、頭頚部であると結論した根拠は、次に挙げる二つの事実の解析結果による。
１）　１０２人を対象にした調査結果から明らかになった二つの事実
＃１．　額の中央外側に位置する支点領域と前頭部（額の中央上方）に位置する支点領域、あるいは、下顎に位置する支点領域（頬部を含む広い部分）を所有している人は、うつ伏せで睡眠を取ることができるが、それ以外の人は、うつ伏せで睡眠を取ることができない。ただし、額の中央外側に位置する支点領域と前頭部（額の中央上方）に位置する支点領域は、作用を持たない単なる支点領域である。
＃２．　中心部を含んだ形態で後頭部に位置する支点領域を所有する人たち道路を横断する時、必ず、首と体を一緒に回転させて左右の確認を行う。この人たちは、仰向け時、常に、真正面を向いた形態で睡眠をとり、馬蹄形状をした上顎歯列アーチを所有している。
２）　解析結果：二つの事実から、頭頚部を除く、就眠時における機能部の安静形態は、そのすべてが、就眠時における頭頚部の安静形態に対応した形態で形成、確立されたと解析できる。このことは、すべての機能部の就眠時における安静形態のなかで、最初に形成され、確立される機能部は、頭頚部であることを意味する。
【０１３９】（８）　頚部の側方に位置する支点領域内にあり、１６種類の歯を小さくさせる１６の特定領域は次のようにして解明された。
１）　調査対象として、特定の歯を選択する。
２）　特定の名称の歯が小さくなっている人たちの頚部の側方に位置する支点領域の形態を調査し、その歯を小さくさせる領域を次の方法で解析する。（この時、小さな歯を少ない数でしか所有していない人を選択する。ただし、被験者が他にも小さい歯を所有している場合、その歯も調査と解析の対象にする。）
＃１．この人たちが所有するこの支点領域で、共通した位置にある部分を見つける。
＃２．左右の歯の大きさを比較対照する。さらに、この支点領域の左右の形態と比較する。これらの調査結果を解析し、およその位置を特定する。
＃３．１６種類のすべての歯を対象にして、この解析を行う。
２）　上記した１の結果を基に、歯を小さくさせる１６の特定部分の形態と位置のおよその分布図を作成する。
【０１４０】３）　さらに、上記した２で明らかにした分布図を正確に解明するために、次の方法で、欠如歯を持った人の頚部の側方に位置する支点領域の形態を解明する。
＃１．特定の歯が欠如歯である人を選択する。
＃２．指先でこの人たちの頚部の側方に位置する支点領域の部分部分に圧力を加え、（２）で作成した分布図に被験者が極端な不快感を覚える部分を記す。この作業を１６種類のすべての歯を対象にして行う。
＃３．（２）で作成したこの支点領域の分布図を修正する。
　欠如歯を持っている人を調査する理由は、この人たちは、この支点領域の特定部分に加えられる圧力を極端に嫌うためである。右上顎犬歯が欠如歯である人の場合、この人は、右の頚部の側方に位置する支点領域内にある上顎犬歯を小さくさせる部分に加えられる圧力を極端に嫌うためである。（図１６のｘの２とｘの３を参照）また、左右の下顎中切歯が欠如歯である人の場合、この人は、右の頚部の側方に位置する支点領域内にある右の下顎中切歯を小さくさせる部分と左の頚部の側方に位置する支点領域内にある左の下顎中切歯を小さくさせる部分に加えられる圧力を極端に嫌うためである。
　（ただし、筆者の場合、第１大臼歯と第２大臼歯が欠如歯となっている人のデータを所有する機会がなかった）
４）　その結果、頚部の側方に位置する支点領域内にあり、３２本の特定歯を小さくさせる３２の特定領域の正確な分布図を完成させることができた。ただし、乳歯の２０本の特定歯を小さくさせる２０の特定領域の正確な分布図は、乳歯で小さい特定歯は同一部位に生えてくる特定永久歯でも小さく、乳歯で大きい特定歯は同一部位に生えてくる特定永久歯でも大きいという相関関係の存在によって解明された。
文献４：ｈｔｔｐ：／／ｓｈｏｅ．ｃｓｉｄｅ．ｃｏｍ／ｐｉｌｌｏｗ／にて公開　２００３年１月１８日　個人個人が快適に睡眠をとることができる枕（日本語版と英語版）剣持思有　著
［発明の実施の形態］
【０１４１】　発明の実施の形態に基づき概要を説明する。
（１）　被験者が所有する個人固有の咬合の歯型模型を作成し、さらに頭部、頚部と肩の背面の表皮にモザイク状に存在し、成長期の就眠時に、常に加えられる方向性のある強い圧力に反応して、特定の咬合様式に個人差を生じさせる１５種類の支点領域と頚部の側方に位置する支点領域を１６分割した図（図１６）を用意する。
（２）　個人固有の咬合の発現と個人個人が快適に唾眠をとることができる性状を持った個人固有の枕で睡眠をとりながらの成長との間に認められる関係図（図１から図１７）と説明文を解析資料にして、被験者が所有する「個人固有の咬合の歯型模型」の詳細な観察から、被験者が所有する支点領域とその広さという被験者が強い圧力で常に枕に接触固定させる個人固有の「枕への接触固定領域」を次のように各支点領域単位で解析する。この時、被験者の頭部の形態を参考資料にする。
【０１４２】ａ．　被験者が所有する前歯の垂直被蓋の度合いから、被験者は後頭部にある支点領域群（後頭部の上方に位置する支点領域、後頭部の上方下部に位置する支点領域、後頭結節の上方に位置する支点領域と後頭結節に位置する支点領域）と第７頚椎に位置する支点領域のうち、どの支点領域をどの部分で所有しているのかを解明する。
ｂ．　被験者が所有する前歯の被蓋関係（正常咬合、あるいは反対咬合）から、被験者は、頚部の中央に位置する支点領域に関する情報を解明する。
ｃ．　被験者が所有する歯の大きさ（全体像と１本１本の歯）から、頚部の側方に位置する支点領域に関する情報を解明する。
ｄ．　被験者が所有する上顎前歯の長さから、被験者の頚部の上方に位置する支点領域に関する情報を解明する。
ｅ．　被験者が所有する「上顎犬歯が歯列アーチからはみ出した位置にある歯列」から、側頭部に位置する支点領域と頚部の側方に位置する支点領域に関する情報を解明する。
ｆ．　被験者が所有する上顎歯列アーチの大きさから、被験者の側頭部の上方に位置する支点領域と頚部の側方に位置する支点領域に関する情報を解明する。
ｇ．　被験者が所有する上顎歯列アーチの形態から、被験者の後頭部にある支点領域群（後頭部の上方に位置する支点領域、後頭部の上方下部に位置する支点領域、後頭結節の上方に位置する支点領域と後頭結節に位置する支点領域）、耳の後方上部に位置する支点領域、側頭部に位置する支点領域と首の付け根の側方に位置する支点領域に関する情報を解明する。
ｈ．　被験者が所有する臼歯の被蓋から、被験者のオトガイの側方に位置する支点領域に関する情報を解明する。
ｉ．　被験者が所有する臼歯の形態（尖り具合）から、被験者の下顎に位置する支点領域に位置する支点領域に関する情報を解明する。
ｊ．　被験者が所有する上下顎前歯の唇舌的な傾斜から、肩の背面に位置する支点領域と首の付け根に位置する支点領域に関する情報を解明する。
ｋ．　欠如歯の有無から、頚部の側方に位置する支点領域に関する詳細な情報を解明する。（被験者が欠如歯を所有している場合、この被験者は、頚部の側方に位置する支点領域で、特定名称の欠如歯に対応する特定部分に圧力を加えることができない。）
【０１４３】（３）　（２）で得られた被験者の資料を（１）で用意した図１６に上書きし、被験者固有の「強い圧力で枕に接触固定させる領域」の図を作成する。被験者の頭部が変形している場合、変形状態をこの図に記録する。
【０１４４】　ただし、まだ歯が生え揃わない成長期の子供の場合、あるいは多くの歯を失っていたり、元の天然の歯の形態とはまったく異なる形態の人工物を多く所有していたり、全ての歯を失っていたりしていることで、「個人固有の咬合の歯型模型」の観察からでは個人固有の「方向性の強い圧力で枕に接触固定させる領域」を解明することができない成人の場合、術者は、次のようにして被験者固有の「強い圧力で枕に接触固定させる領域」の図を作成することも可能である。
＃１．被験者に楽な姿勢で椅子に座ってもらい、頭部、あるいは頭頚部で手を組んでもらう。次に、被験者に横になってもらい、被験者が取ることのできるさまざまな姿勢で同様の行為を行ってもらう。
＃２．術者は、被験者が＃１の行為で頭部、あるいは頭頚部のどの部分に強い圧力を加えているのかを確認し、図１６に上書きする。
＃３．術者は、＃２で得られた資料を参考資料にして、手の全領域、あるいはその一部（指、掌、あるいは掌の下部）で被験者の頭頚部と肩の背面にある１５種類の各支点領域に方向性のある強い圧力を加えて被験者の反応を観察し、被験者が心地良さを感じる領域を別の色のペンで図１６に上書きする。術者が被験者の１５種類の各支点領域に方向性のある強い圧力を加えた時、被験者が心地よさを感じる領域は支点領域であるが、被験者が不快を感じる領域は、枕をどこにも接触させない領域であり、被験者がどちらとも言えないと感じる領域は、支点補助領域である。成長期の子供の場合、この行為に対する反応が顕著である。
＃４．術者は＃２と＃３で図１６に上書きされた図を調整し、正確な被験者固有の「方向性の強い圧力で枕に接触固定させる領域」を作成する。
　この時、術者は、被験者から、起床時に手、あるいは指の痺れを自覚した経験があるかどうかを聞く。「ある」と答えた人は、必ず、手、あるいは腕を頭頚部と枕の間に入れているので、被験者からその状態を聞く。就眠時、頭頚部と枕の間に手、あるいは腕を入れて、手、あるいは指、あるいは腕で頭頚部に直接方向性のある強い圧力を加えている人の場合、術者はその状態を図１６に上書きする。また、術者は被験者の後頭部が変形しているかどうかをも調査し、変形が見られる場合、その状態を図１６に記録する。
【０１４５】（４）　（３）で得られた被験者固有の「強い圧力で枕に接触固定させる領域」のイラストをこの被験者の基礎資料にして、先の図（図１から図１７）と比較対照させながら、その説明文に従い、個人個人が快適に睡眠をとることができる個人固有の枕の性状（高さ、素材、大きさ、硬さと形状）を次のようにしてひとつずつ正確に解明する。
ａ）　枕の高さ
　この高さは、次の支点領域に関する被験者の情報から解明する。
１．後頭部にある支点領域群（後頭部の上方に位置する支点領域、後頭部の上方下部に位置する支点領域、後頭結節の上方に位置する支点領域と後頭結節に位置する支点領域）（図１と図１６を参考）
２．第７頚椎に位置する支点領域（図１と図１６を参考）
３．側頭部の上方に位置する支点領域
４．肩の背面に位置する支点領域（図１５と図１６を参考）
ｂ）　枕の素材
　この素材は、次の支点領域に関する被験者の情報から解明する。
１．頚部の側方に位置する支点領域（図４、図５、図６、図７、図１６と図１７を参考）
２．首の付け根の側方に位置する支点領域（図１２、図１４、図１５と図１６を参考）
３．オトガイの側方に位置する支点領域（図１３と図１６を参考）
４．下顎に位置する支点領域（図９と図１６を参考）
５．側頭部の上方に位置する支点領域（図１１と図１６を参考）
ｃ）　枕の大きさ
　この大きさは、次の支点領域（群）に関する被験者の情報から解明する。
１．肩の背面に位置する支点領域（図１４、図１５と図１６を参考）
２．被験者固有の「強い圧力で枕に接触固定させる領域」の全体像（図２、図３を参考）
ｄ）　枕の硬さ
　この硬さは、次の支点領域に関する被験者の情報と被験者の後頭部の変形（図１を参考）に関する情報から解明する。
１．後頭部にある支点領域群（後頭部の上方に位置する支点領域、後頭部の上方下部に位置する支点領域、後頭結節の上方に位置する支点領域と後頭結節に位置する支点領域）（図１と図１６を参考）
２．第７頚椎に位置する支点領域（図１と図１６を参考）
３．頚部の側方に位置する支点領域（図４、図５、図６、図７、図１６と図１７を参考）
ｅ）　枕の形状
　この形状は、次の支点領域に関する被験者の情報から解明する。
１．後頭部にある支点領域群（後頭部の上方に位置する支点領域、後頭部の上方下部に位置する支点領域、後頭結節の上方に位置する支点領域と後頭結節に位置する支点領域）（図１と図１６を参考）
２．第７頚椎に位置する支点領域（図１と図１６を参考）
３．頚部の中央に位置する支点領域（図１と図１６を参考）
４．頚部の側方に位置する支点領域（図４、図５、図６、図７、図１６と図１７を参考）
５．Ｍ部の上方に位置する支点領域（図８を参考）
６．側頭部に位置する支点領域（図１０、図１１と図１６を参考）
７．耳の後方上部に位置する支点領域（図１２と図１６を参考）
８．肩の背面に位置する支点領域（図１４、図１５と図１６を参考）
９．首の付け根の側方に位置する支点領域（図１２、図１４、図１５と図１６を参考）
【０１４６】（５）　（４）で得られた解明結果を総合的な判断資料にして、個人個人が快適に睡眠をとることができる性状を持った「個人固有の枕」という科学的な根拠に基づいた枕を製造する。
［実施例］
【０１４７】　実施例として、次の特徴を持った人（被験者Ａ）の咬合を取り上げ、被験者Ａが快適に睡眠をとることができる性状を持った「個人固有の枕」を解明する。この時、被験者Ａの頭蓋の形態を参考資料にする。
資料
１）　被験者Ａの咬合形態の特徴
＃１．上顎前歯の垂直被蓋−極めて浅い（ただし、右側の側切歯と犬歯は、切端咬合である。）
＃２．上顎前歯の水平被蓋−なし
＃３．歯の大きさ−大きい、あるいは比較的大きい（ただし、左右の上下顎犬歯は小さく、左右の下顎中切歯と下顎第２大臼歯は、比較的小さい。）
ａ．右上顎犬歯７．０ｍｍ＞左上顎犬歯６．６ｍｍ
ｂ．右下顎中切歯５．１ｍｍ＜右下顎中切歯５．６ｍｍ
ｃ．右下顎第２大臼歯１０．８ｍｍＸ１０．５ｍｍ＜左下顎第２大臼歯１１．４ｍｍＸ１０．６ｍｍ
＃４．上顎前歯の長さ−極めて長い
＃５．臼歯の形態−噛む面が極めてなだらか
＃６．歯列の状態−整っている
＃７．上顎歯列アーチの大きさとその形態−比較的大きくて馬蹄形状
＃８．臼歯の被蓋−正常
＃９．前歯の被蓋−正常
＃１０．前歯の唇舌的な傾斜−上下歯共に垂直的
２）　被験者Ａの頭蓋の形態
　後頭部の上方に位置する支点領域の部分−広範囲で平らになっている
　側頭部の上方に位置する支点領域の部分−比較的広い範囲で平らになっている
【０１４８】（１）被験者Ａが所有する個人固有の咬合の歯型模型を作成し、さらに頭部、頚部と肩の背面の表皮にモザイク状に存在し、成長期の就眠時に、常に加えられる方向性のある強い圧力に反応して、特定の咬合様式に個人差を生じさせる１５種類の支点領域の図と頚部の側方に位置する支点領域を１６分割した図（図１６）を用意する。
（２）上記したこの被験者の咬合形態の特徴と頭蓋の形態から、この被験者固有の「方向性のある強い圧力で枕に接触固定させている領域」を次のようにして解明する。
１．被験者Ａが所有する上顎前歯の垂直被蓋と上顎歯列アーチの形態の特徴から、被験者Ａは後頭部にある支点領域群（後頭部の上方に位置する支点領域、後頭部の上方下部に位置する支点領域、後頭結節の上方に位置する支点領域と後頭結節に位置する支点領域）の中で、次の支点領域を所有していると解明できる。
＃１．後頭部の上方に位置する支点領域（中心部を含む形態）
＃２．第７頚椎の直上に位置する支点領域（右側）
２．被験者Ａが所有する上顎前歯の水平被蓋と前歯の唇舌的な傾斜の特徴から、この被験者は就眠時、常に鼻呼吸であり、タイプＲＴ−ＢＮで「舌による接触固定行為」を行っていると解明できる。
３．被験者Ａが所有する歯の大きさに関する特徴から、次の事柄が解明できる。
＃１．大きな歯が多くて小さな歯が少ないという被験者Ａの歯の大きさに関する特徴から、被験者Ａは頚部の側方に位置する支点領域を狭い範囲で所有し、枕と頭頚部の間に指を入れている。
＃２．被験者Ａが所有する左右上下顎犬歯の大きさの特徴から、被験者Ａは就眠時、右の頚部の側方に位置する支点領域内の右上顎犬歯を小さくさせる部分と右下顎犬歯を小さくさせる部分に広い範囲で指を当て、さらに左の頚部の側方に位置する支点領域内の左上顎犬歯を小さくさせる部分と左下顎犬歯を小さくさせる部分に広い範囲で指を当てている。（図１６：ｘの２とｘの３を参照）ただし、右上顎犬歯（７．０ｍｍ）は左上顎犬歯（６．６ｍｍ）よりも大きいという被験者Ａが所有する左右上顎犬歯の大きさの違いと右下顎犬歯（６．３ｍｍ）は左下顎犬歯（６．０ｍ）よりも大きいという被験者Ａが所有する左右下顎犬歯の大きさの違いから、被験者Ａの場合、上顎犬歯を小さくさせる部分の広さと下顎犬歯を小さくさせる部分の広さは、次のように左右で異なっている。
ａ．被験者Ａの場合、右の上顎犬歯を小さくさせる部分の広さは、左の上顎犬歯を小さくさせる部分よりも狭い。
ｂ．被験者Ａの場合、右の下顎犬歯を小さくさせる部分の広さは、左の下顎犬歯を小さくさせる部分よりも狭い。
＃３．被験者Ａが所有する左右下顎中切歯の大きさの特徴から、被験者Ａは就眠時、頚部の側方に位置する支点領域の下顎中切歯を小さくさせる左右の部分に比較的広い範囲で指を当てている。ただし、右下顎中切歯（５．６ｍｍ）は左下顎中切歯（５．１ｍｍ）よりも大きいという被験者Ａが所有する左右下顎中切歯の大きさの違いから、被験者Ａの場合、下顎中切歯を小さくさせる部分の広さは、次のように左右で異なっている。
　被験者Ａの場合、右の下顎中切歯を小さくさせる部分の広さは、左の下顎中切歯を小さくさせる部分よりも狭い。
＃４．被験者Ａが所有する左右下顎第２大臼歯の大きさの特徴から、被験者Ａは就眠時、右の頚部の側方に位置する支点領域内の右下顎第２大臼歯を小さくさせる部分と左の頚部の側方に位置する支点領域内の左下顎第２大臼歯を小さくさせる部分に比較的広い範囲で指を当てている。ただし、右下顎第２大臼歯（１０．８ｍｍＸ１０．５ｍｍ）は左下顎第２大臼歯（１１．４ｍｍＸ１０．６ｍｍ）よりも小さいという被験者Ａが所有する左右下顎第２大臼歯の大きさの違いから、被験者Ａの場合、下顎第２大臼歯を小さくさせる部分の広さは次のように左右で異なっている。
　被験者Ａの場合、右下顎第２大臼歯を小さくさせる部分の広さは、左下顎第２大臼歯を小さくさせる部分よりも広い。
４．被験者Ａが所有する上顎前歯の長さから、被験者Ａは頚部の上方に位置する支点領域を所有していない。
５．被験者Ａが所有する臼歯の形態から、被験者Ａは下顎に位置する支点領域を所有していない。
６．被験者Ａが所有する歯列の状態と上顎歯列アーチの形態から、被験者Ａは側頭部に位置する支点領域を所有していない。
７．被験者Ａが所有する上顎歯列アーチの形態から、被験者Ａは耳の後方上部にに位置する支点領域を所有していない。また、被験者Ａが所有するこの形態から、被験者Ａは仰向け時、真正面を向いて睡眠をとっている。
８．被験者Ａが所有する上顎歯列アーチの大きさから、被験者Ａは側頭部の上方に位置する支点領域を比較的広い範囲で所有している。
９．被験者Ａが所有する臼歯の被蓋から、被験者Ａはオトガイの側方に位置する支点領域を所有していない。
１０．被験者Ａが所有する前歯の被蓋から、被験者Ａは頚部の中央に位置する支点領域を所有していない。
１１．被験者Ａが所有する前歯の唇舌的な傾斜から、被験者Ａは肩の背面に位置する支点領域と首の付け根の側方に位置する支点領域を所有していない。
【０１４９】（３）（２）で得られた解析結果と被験者Ａの頭蓋の形態を（１）で用意した図１６に他の色のペンで上書きし、被験者Ａ固有の「方向性の強い圧力で枕に接触固定させる領域」を作成する。（図１９）
【０１５０】（４）（３）で作成した被験者Ａ固有の「方向性の強い圧力で枕に接触固定させる領域」の図から、被験者Ａが快適に睡眠をとることができる個人固有の枕の性状を次のようにして解明する。
１．枕の高さ
　被験者Ａが所有する「後頭部の上方に位置する支点領域と側頭部の上方に位置する支点領域」から、枕の高さは極めて低いと解明できる。
２．枕の素材
　被験者Ａは、頚部の側方に位置する支点領域、首の付け根の側方に位置する支点領域、オトガイの側方に位置する支点領域と下顎に位置する支点領域を所有していないことから、流動性が低く、変形させ難い素材を必要とすると解析できる。
３．枕の大きさ
＃１．被験者Ａ固有の「強い圧力で枕に接触固定させる領域」の全体像から、被験者Ａの枕の大きさは比較的小さいと解明できる。また、この全体像から、被験者Ａは仰向けと横向きはできるが、うつ伏せを取ることができないと解析できる。
＃２．被験者Ａは肩の背面に位置する支点領域を所有していないことから、被験者Ａの枕の縦幅は後頭部の上方に位置する攴点領域から第７頚椎の直上までであると解明できる。
＃３．被験者Ａは、頚部の側方に位置する支点領域に指を当てていることから、被験者Ａの枕の横幅は枕の上に手を乗せることができる幅であると解明できる。
４．枕の硬さ
＃１．被験者Ａが所有する後頭部の上方に位置する支点領域とこの部分の頭蓋の形態から、被験者Ａが後頭部に当てる枕の部分は極めて硬いと解明できる。
＃２．被験者Ａは、頚部の側方に位置する支点領域に指を当てていることから、首の部分の硬さは、被験者Ａが手を乗せても痛くない硬さを必要とすると解明できる。
５．枕の形状
＃１．被験者Ａが所有する頚部の側方に位置する支点領域の形態から、枕の形状は、被験者Ａが首の部分を枕の上から指を当てることができる形状にしなければならないと解明できる。ただし、被験者Ａが手に支障をきたした時、枕の形状は、指を当てる個所に布でできた指状の袋を縫い付けた形状にしなければならないと解明できる。この布でできた指状の袋は、個人個人の指の形態（長さ、太さと形状）に合った形にする。（図１８）
＃２．被験者Ａは、下顎の中央に位置する支点領域を所有していないことから、枕の形状は、被験者Ａの首の部分に接触しない形状にする必要があると解明できる。
＃３．被験者Ａは、第７頚椎の直上に位置する支点領域を右側だけで所有していることから、被験者Ａが首の部分に枕の上から指を当てることができる形状にしなければならないと解明できる。
【０１５１】（５）（４）で得られた解明結果から、被験者Ａが快適に睡眠をとることができる性状を持った個人固有の枕は、次のような性状を持った枕であると最終的な判断をし、製造する。
Ａ．被験者Ａが健康時に必要とする快適に睡眠をとることができる性状を持った個人固有の枕
１）全体の大きさ
＃１．枕の縦幅は、後頭部の上方に位置する支点領域の上部から第７頚椎の位置までである。
＃２．枕の横幅は、枕の上に手を乗せることができる幅である。
２）後頭部の部分の性状
＃１．この部分は極めて低い（１ｃｍ前後）。
＃２．この部分は極めて硬い素材にする。
　＃１と＃２から、この部分は直径１ｃｍ弱の１本のロープを次々に接着して平らな形状にし、さらにタオルで被ったものにする。
３）頚部の部分の性状
＃１．この部分は盛り上がった形状にするが、被験者Ａの頚部に接触しない形状にする。また、この部分は、被験者Ａがこの部分の外側に手を乗せた時、指を頚部の側方に当てることができる形状にする。下地は後頭部の部分で使用したものと同一のものにする。
＃２．この部分の素材は、流動性が低く変形させ難い綿にすると同時に、被験者Ａがこの部分に手を乗せても痛くない綿にする。
Ｂ．被験者Ａが手に支障をきたした時に必要とする快適に睡眠をとることができる性状を持った個人固有の枕の場合
　この枕は、前記のＡの枕を用い、被験者Ａが指を乗せている特定部分に布でできた指状の袋（図１８）を縫い付けて製造する。特定部分に縫い付ける指状の袋の形態は、被験者Ａの特定指の形状と首の特定部分に当てている角度を反映させた形態で作成する。また、この指状の袋に入れる素材は、被験者Ａの指の硬さを反映したものにする。
［発明の効果］
【０１５２】　本発明は、これまでに説明したような内容で構成されているので、以下に記載されるような効果を発揮する。
　誰もが、前記した発明の実施の形態に従えば、個人固有の咬合の観察から、個人個人が快適に睡眠をとることができる性状を持った個人固有の枕を極めて正確に科学的な根拠に基づいて製造することができるため、枕の製造販売業者は、顧客に安心して枕の提供を行うことができるようになる。
　したがって、本発明は産業界に寄与できる。
【図面の簡単な説明】
【図１】　この図は、次の関係を示す図である。　１）就眠時における呼吸法を条件に、後頭部にある支点領域群（後頭部の上方に位置する支点領域、後頭部の上方下部に位置する支点領域、後頭結節の上方に位置する支点領域と後頭結節に位置する支点領域）と第７頚椎の直上に位置する支点領域のうちのいずれかの支点領域を所有している人、前歯部の咬合様式（正常咬合、上顎前歯の垂直被蓋、上顎前歯の水平被蓋、上下顎前歯の傾斜と外側がねじれて唇側に張り出している上顎中切歯）と枕の性状との間に認められる関係。　２）就眠時における呼吸法を条件に、頚部の中央に位置する支点領域を所有し、さらに後頭部の上方下部に位置する支点領域、後頭結節の上方に位置する支点領域と後頭結節に位置する支点領域のうちのいずれかの支点領域を所有している人、前歯部の咬合様式（反対咬合、下顎前歯の垂直被蓋、下顎前歯の水平被蓋と上下顎前歯の傾斜）と枕の性状との間に認められる関係。
【図２】　これらの図は、同一的な地図状模様で描くことができる人たちの「枕への接触固定領域」、この人たちの「枕への接触固定領域」の展開図とこの人たちの枕の性状を示す図である。
【図３】　これらの図は、同一的な地図状模様で描くことができる人たちの「枕への接触固定領域」、この人たちの「枕への接触固定領域」の展開図とこの人たちの枕の性状を示す図である。
【図４】　これらの図は、左右にある頚部の側方に位置する支点領域をひとつの単位で見た時、この支点領域を所有している人の広さ、大きな歯と小さな歯の分布状態と枕の性状との間に認められる関係を示す図である。
【図５】　これらの図は、右側（あるいは左側）の頚部の側方に位置する支点領域を８つの部分に分割した時、右側（あるいは左側）の特定部分と特定の上下顎右側（あるいは左側）同一名称歯の大きさ、枕の性状との間に認められる次の関係を提示する上で必要な、右側（あるいは左側）の８つの部分に分割した頚部の側方に位置する支点領域の特定部分の広さと右側（あるいは左側）の特定上下顎同一名称歯の大きさとの間に存在する相関関係を説明する右側だけの図である。　１）右側（あるいは左側）の頚部の側方に位置する支点領域内にある特定部分を全域で所有している人たちは、右側（あるいは左側）特定の上下顎同一名称歯が極めて小さく、直接、あるいは間接的にこの支点領域内にある特定部分の全域に方向性のある強い圧力を加えることができる枕を使用している。間接的に支点領域内にある特定部分に方向性のある強い圧力を加えることができる枕とは、枕の上に手、あるいは腕を乗せて手、あるいは指、あるいは腕で特定部分に圧力を加えることができる枕のことである。　２）右側（あるいは左側）の頚部の側方に位置する支点領域内にある特定部分を所有していない人たちは、右側（あるいは左側）特定の上下顎同一名称歯が極めて大きく、この支点領域内にある特定部分に方向性のある強い圧力を加えることができない枕を使用している。
【図６】　右側（あるいは左側）の頚部の側方に位置する支点領域を１６の部分に分割した時（左右対称）、右側（あるいは左側）の頚部の側方に位置する支点領域内にある特定部分の広さと右側（あるいは左側）の特定歯の大きさ、枕の性状との間に認められる関係を提示する時に必要な、右側（あるいは左側）の１６の部分に分割した頚部の側方に位置する支点領域内にある特定部分の広さと右側（あるいは左側）の特定歯の大きさとの間に存在する関係を説明する図である。　１）右側（あるいは左側）の頚部の側方に位置する支点領域内にある特定部分を広い範囲で所有している人たちは、右側（あるいは左側）の特定の歯が小さく、この支点領域内にある特定部分の広い範囲に直接、あるいは間接的に方向性のある強い圧力を加えることができる枕を使用している。間接的に特定部分に方向性のある強い圧力を加えることができる枕とは、枕の上に手、あるいは腕を乗せて手、あるいは指、あるいは腕でこの支点領域内にある特定部分に圧力を加えることができる枕のことである。　２）右側（あるいは左側）の頚部の側方に位置する支点領域内にある特定部分を比較的広い範囲で所有している人たちは、右側（あるいは左側）の特定の歯が比較的小さく、この支点領域内にある特定部分の比較的広い範囲に方向性のある強い圧力を加えることができる枕を使用しているか、間接的にこの支点領域内にある特定部分に方向性のある強い圧力を加えることができる枕を使用している。　３）右側（あるいは左側）の頚部の側方に位置する支点領域内にある特定部分を比較的狭い範囲で所有している人たちは、右側（あるいは左側）の特定の歯が比較的大きく、この支点領域内にある特定部分の比較的狭い範囲にしか方向性のある強い圧力を加えることができない枕を使用しているか、間接的にこの支点領域内にある特定部分に方向性のある強い圧力を加えることができる枕を使用している。　４）右側（あるいは左側）の頚部の側方に位置する支点領域内にある特定部分を所有していない人たちは、右側（あるいは左側）の特定の歯が極めて大きく、この支点領域内にある特定部分に方向性のある強い圧力を加えることができない枕を使用しているか、枕を使用していない。
【図７】　これらの図は、頚部の側方に位置する支点領域内にある８つの部分の位置（左右対称）を解剖学的に説明する図である。
【図８】　これらの図は、後頭結節の上方に位置する支点領域の広さ、上顎前歯の長さと枕の性状との間に認められる関係を示す図である。
【図９】　これらの図は、下顎に位置する支点領域の広さ、臼歯の形状（尖り具合）と枕の性状との間に認められる関係を示す図である。
【図１０】　これらの図は、側頭部に位置する支点領域、上顎犬歯が歯列アーチからはみ出した位置にある歯列と枕の性状との間に認められる関係を示す図である。ただし、この人たちは、頚部の側方に位置する支点領域内の上顎前歯と上顎犬歯の大きさに関係する部分を所有していないか、狭い領域でしか所有していないことを条件とする。
【図１１】　これらの図は、側頭部の上方に位置する支点領域、上顎歯列アーチの大きさと枕の性状との間に認められる関係、及び頚部の側方に位置する支点領域、上顎歯列アーチの大きさと枕の性状との間に認められる関係を示す図である。
【図１２】　これらの図は、次の関係を示す図である。　１）馬蹄形状の上顎歯列アーチ、あるいは放物線状の上顎歯列アーチ、後頭部にある支点領域群（後頭部の上方に位置する支点領域、後頭部の上方下部に位置する支点領域、後頭結節の上方に位置する支点領域と後頭結節に位置する支点領域）の形状と枕の性状との間に認められる関係。　２）細長い形状の上顎歯列アーチ、耳の後方上部に位置する支点領域と枕の性状との間に認められる関係。　３）前歯部で狭く臼歯部に行くに従って広くなる形態の上顎歯列アーチ、あるいは前歯部で狭く臼歯部に行くに従って極めて広くなる形態の上顎歯列アーチ、側頭部に位置する支点領域の形状と枕の性状との間に認められる関係。　４）前歯部で平らな形態の上顎歯列アーチ、首の付け根の側方に位置する支点領域と枕の性状との間に認められる関係。
【図１３】　これらの図は、オトガイの側方に位置する支点領域の内容、臼歯の被蓋の内容と枕の性状との間に認められる関係を示す図である。
【図１４】　これらの図は、次の関係を示す図である。　１）就眠時の呼吸法が常に鼻呼吸であることを条件として、肩の背面に位置する支点領域、唇側に傾斜した上下顎前歯と枕の性状との間に認められる関係。　２）就眠時の呼吸法が常に鼻呼吸であることを条件として、肩の背面に位置する支点領域の広さ、唇側に傾斜した上下顎前歯の度合いと枕の性状との間に認められる関係。　３）就眠時の呼吸法が常に鼻呼吸であることを条件として、首の付け根の側方に位置する支点領域、舌側に傾斜した上下顎前歯と枕の性状との間に認められる関係。　４）就眠時の呼吸法が常に鼻呼吸であることを条件として、首の付け根の側方に位置する支点領域の広さ、舌側に傾斜した上下顎前歯の度合いと枕の性状との間に認められる関係。
【図１５】　この図は、次の関係を示す図である。　１）就眠時の呼吸法を条件として、肩の背面に位置する支点領域を所有し、さらに後頭部の上方に位置する支点領域、後頭部の上方下部に位置する支点領域、後頭結節の上方に位置する支点領域、後頭結節に位置する支点領域と第７頚椎の直上に位置する支点領域のうちのいずれかの支点領域を所有している人、正常咬合、上顎前歯の垂直被蓋、上顎前歯の水平被蓋、唇側に傾斜した上下顎前歯と外側がねじれて唇側に張り出している上顎中切歯という前歯の咬合様式と枕の性状との間に認められる関係。　ただし、この場合、後頭部における枕の高さは、肩の背面に当てている部分の厚みが加算され、さらに背面の傾斜角が付与されるので、この支点領域を所有していない人の場合よりかなり高くなる。　２）就眠時の呼吸法を条件として、首の付け根の側方に位置する支点領域を所有し、さらに後頭部の上方に位置する支点領域、後頭部の上方下部に位置する支点領域、後頭結節の上方に位置する支点領域、後頭結節に位置する支点領域と第７頚椎の直上に位置する支点領域のうちのいずれかの支点領域を所有している人、正常咬合、上顎前歯の垂直被蓋、上顎前歯の水平被蓋、舌側に傾斜した上下顎前歯、舌側に傾斜した下顎前歯と外側がねじれて唇側に張り出している上顎中切歯という前歯の咬合様式と枕の性状との間に認められる関係。
【図１６】　これらの図は、頭頚部と肩の背面の表皮にモザイク状に存在し、成長期、常に加えられる方向性のある強い圧力に反応して特定の咬合様式に個人差を生じさせる１５種類の支点領域の作用内容を説明する図と、１６の部分に分割した右（左）の頚部の側方に位置する支点領域において、成長期、常に加えられる方向性のある強い圧力に反応して右（左）の特定の歯（永久歯で１６種類、乳歯で１０種類）を小さくさせる右（左）の特定部分（永久歯で１６の部分、乳歯で１０の部分）を説明する図である。
【図１７】　これらの図は、頚部の側方に位置する支点領域を除く１４の各支点領域に必要とされる「位置固有の方向性のある強い圧力」と８つの部分に分類した頚部の側方に位置する支点領域に必要とされる「位置固有の方向性のある強い圧力」を示す図である。
【図１８】　これらの図は、枕に縫い付ける布でできた指状の袋を示す図である。　サイズが示されていないのは、個人個人の指の形態（長さ、太さと形状）を観察し、個人個人の指の形態に合った形で作成するためである。
【図１９】　これらの図は、図１６に上書きした、被験者Ａ固有の「強い圧力で枕に接触させる領域」を示す図である。（黒く塗られている部分）ただし、本来、１６の部分に分割した頚部の側方に位置する支点領域の図を使用すべきだが、白黒表示であるため、８つの部分に分割した頚部の側方に位置する支点領域の図を便宜的に使用してある。
【符号の説明】
ａ　就眠時の呼吸法が常に鼻呼吸で、頚部の中央に位置する支点領域を所有していない人の場合。
　この人たちは、正常咬合（正常な垂直被蓋）を共通して所有している。しかし、垂直被蓋の度合いは、対象者が後頭部にある支点領域群（後頭部の上方に位置する支点領域、後頭部の上方下部に位置する支点領域、後頭結節の上方に位置する支点領域と後頭結節に位置する支点領域）と第７頚椎の直上に位置する支点領域のうちのどの支点領域を所有しているのかによって異なる。
ｂ　就眠時の呼吸法が常に鼻呼吸で、頚部の中央に位置する支点領域を所有している人の場合。
　この人たちは、反対咬合を共通して所有している。ただし、この支点領域を外側の部分で所有している人の場合、右側（あるいは左側）の部分に所有する人は、右側（あるいは左側）の上顎切歯の一本だけが交差咬合になっている。垂直被蓋の度合いは、対象者が後頭部の上方下部に位置する支点領域、後頭結節の上方に位置する支点領域と後頭結節に位置する支点領域のうちのどの支点領域を所有しているかによって異なる。
ｃ　就眠時の呼吸法が常に口呼吸で、頚部の中央に位置する支点領域を所有していない人の場合。
　この人たちは、正常咬合（正常な垂直被蓋）を共通して所有しており、前歯部、あるいは前歯から臼歯にかけての部分の上下歯との間に広い空隙が存在する水平被蓋と唇側に傾斜した上顎前歯を所有している。垂直被蓋の度合いは、対象者が後頭部にある支点領域群（後頭部の上方に位置する支点領域、後頭部の上方下部に位置する支点領域、後頭結節の上方に位置する支点領域と後頭結節に位置する支点領域）と第７頚椎のうちのどの支点領域を所有しているかによって異なる。
ｄ　就眠時の呼吸法が常に口呼吸で、頚部の中央に位置する支点領域を所有している人の場合。
　この人たちは、反対咬合を共通して所有している。また、この人たちは、前歯部、あるいは前歯から臼歯にかけての部分の上下歯との間に広い空隙が存在する水平被蓋、及び唇側に傾斜した上顎前歯を共通して所有している。垂直被蓋の度合いは、対象者が後頭部の上方下部に位置する支点領域、後頭結節の上方に位置する支点領域と後頭結節に位置する支点領域のうちのどの支点領域を所有しているのかによって異なる。
ｅ　就眠時、鼻呼吸と口呼吸を繰り返す呼吸法で、頚部の中央に位置する支点領域を所有していない人の場合。
　この人たちは、正常咬合を共通して所有している。しかし、垂直被蓋の度合いは、対象者が後頭部にある支点領域群（後頭部の上方に位置する支点領域、後頭部の上方下部に位置する支点領域、後頭結節の上方に位置する支点領域と後頭結節に位置する支点領域）と第７頚椎のうち、どの支点領域を所有しているかによって異なる。また、この人たちは、慢性鼻疾患に罹患した時期を条件として、次の咬合様式を所有している。
　　７才前後までに慢性鼻疾患に罹患した人の場合−この人たちは、遠心部がねじれて唇側に張り出した上顎中切歯を共通して所有している。この歯は、近心部で接触するが遠心部で接触せず、上下歯との間に空隙がある。
　　８才以降に慢性鼻疾患に罹患した人の場合−この人たちは、上下歯の間に狭い空隙のある上顎前歯を共通して所有している。
ｆ　就眠時、鼻呼吸と口呼吸を繰り返す呼吸法で、頚部の中央に位置する支点領域を所有している人の場合。
ｇの１　これらの図は、個人固有の「枕への接触固定領域」を３つの面から見た図である。
ｇの２　これらの図は、個人固有の「枕への接触固定領域」の展開図である。
ｇの３　これらの図は、同一的な地図状模様で描くことができる「枕への接触固定領域」を所有する人の基本的な睡眠姿勢と枕の性状を示す図である。
ｈの１　これらの図は、左右の頚部の側方に位置する支点領域を全域で所有している人（黒く塗られている部分）は、すべての歯が極めて小さく、左右のこの支点領域の全域に方向性のある強い圧力を加えることができる枕（流動性の極めて高い性状の枕か変形させやすい性状の枕）を使用しているという関係を示す図である。
ｈの２　これらの図は、頚部の側方に位置する支点領域をまったく所有していない人たちは、すべての歯が極めて大きく、この支点領域に方向性のある強い圧力を加えることができない枕（流動性のない素材でできた硬い枕か変形させ難い素材でできた枕）を使用しているという関係を示す図である。
ｈの３　これらの図は、左右の頚部の側方に位置する支点領域をいくつかの部分（黒く塗られている部分）で所有している人たちは、大きな歯が多くて小さな歯が少なく、この支点領域のいくつかの部分に方向性のある強い圧力を枕の上に置いた手、あるいは指、あるいは腕で加えることができる枕（あまり流動性のない素材でできた枕か比較的変形させ難い素材でできた枕）を使用しているという関係を示す図である。
ｈの４　これらの図は、左右の頚部の側方に位置する支点領域を比較的広い部分（黒く塗られている部分）で所有している人たちは、小さな歯が多くて大きな歯が少なく、この支点領域の比較的広い部分に方向性のある強い圧力を加えることができる枕（比較的流動性のある素材でできた枕か比較的変形させ易い素材でできた枕）を使用しているという関係を示す図である。
ｉの１　この図は、頚部の側方に位置する支点領域を８つの部分に分割した時の拡大図である。（後方から見た右側だけの図）
ｉの２　この図は、頚部の側方に位置する支点領域を８つの部分に分割した時の拡大図である。（右側方から見た図）
ｊの１　この図は、頚部の側方に位置する支点領域を１６の部分に分割した時の拡大図である。（後方から見た右側だけの図）黒く塗られている部分は、下顎の歯の大きさに関係し、白抜きの部分は、上顎の歯の大きさに関係する。
ｊの２　この図は、頚部の側方に位置する支点領域を１６の部分に分割した時の拡大図である。（右側方から見た図）黒く塗られている部分は、下顎の歯の大きさに関係し、白抜きの部分は、上顎の歯の大きさに関係する。
ｋの１　この図は、頚部の側方に位置する支点領域の位置を頭頚部における骨格（あるいは筋肉）との関係で示した解剖学的な図である。（後方から見た図）
ｋの２　この図は、８つの部分に分割した「頚部の側方に位置する支点領域」の各特定部分の位置を解剖学的に説明する図である。（後方から見た右側だけの図）
ｌの１　これらの図は、頚部の上方に位置する支点領域を全域（黒く塗られている部分）で所有している人は、極めて短い上顎前歯を持ち、この領域に方向性のある強い圧力を加えることができる形状の枕を使用しているという関係を示す図である。
ｌの２　これらの図は、頚部の上方に位置する支点領域を比較的広い範囲（黒く塗られている部分）で所有する人は、比較的短い上顎前歯を持ち、この範囲に方向性のある強い圧力を加えることができる形状の枕を使用しているという関係を示す図である。
ｌの３　これらの図は、頚部の上方に位置する支点領域をまったく所有しない人は、極めて長い上顎前歯を持ち、この支点領域に方向性のある強い圧力を加えることができない形状の枕を使用しているという関係を示す図である。
ｍの１　これらの図は、下顎に位置する支点領域を全域（頬骨の前方の部分をも含む）で所有し、さらにこの支点領域を両側で所有している人は、極めて尖った臼歯を持ち、この支点領域に方向性のある強い圧力を極めて広い範囲で加えることができる枕という流動性の高い素材でできた枕か変形させやすい素材でできた枕を使用しているという関係を示す図である。
ｍの２　これらの図は、下顎に位置する支点領域を比較的広い範囲（頬骨の前方の部分を含まない）で所有し、さらにこの支点領域を両側で所有している人は、尖った臼歯を持ち、この支点領域に方向性のある強い圧力を広い範囲で加えることができる枕という流動性の高い素材でできた枕か変形させやすい素材でできた枕を使用しているという関係を示す図である。
ｍの３　これらの図は、下顎に位置する支点領域を狭い範囲（頬骨の前方の部分を含まない）で所有している人は、噛む面が比較的なだらかな斜面の臼歯を持ち、この支点領域に方向性のある強い圧力を狭い範囲で加えることができる枕という比較的流動性の低い素材でできた枕か、比較的変形させ難い素材でできた枕を使用しているという関係を示す図である。
ｍの４　これらの図は、下顎に位置する支点領域を所有しない人、あるいはこの支点領域を片側でしか所有していない人は、噛む面が最もなだらかな斜面の臼歯を持ち、この支点領域に方向性のある強い圧力を加えることができない枕という流動性のない素材でできた枕か、変形させ難い素材でできた枕を使用しているという関係を示す図である。
ｎの１　これらの図は、側頭部の上方に位置する支点領域を全域で所有している人は、極めて大きな上顎歯列アーチを持ち、流動性のない低い枕か極めて低い枕を使用しているという関係を示す図である。（ただし、この場合、頚部の側方に位置する支点領域を所有しないことを条件にする。）
ｎの２　これらの図は、頚部の側方に位置する支点領域を全域で所有している人は、極めて小さい上顎歯列アーチを持ち、流動性の極めて高い素材でできた枕か極めて変形させやすい素材でできた枕を使用しているという関係を示す図である。（ただし、この場合、側頭部の上方に位置する支点領域をまったく所有しないことを条件にする。）
ｏの１　これらの図は、馬蹄形状の上顎歯列アーチを持っている人は、中心部を含んだ形態（黒く塗られている部分）で後頭部にある支点領域群（後頭部の上方に位置する支点領域、後頭部の上方下部に位置する支点領域、後頭結節の上方に位置する支点領域と後頭結節に位置する支点領域）のうちのいずれかの支点領域を所有し、中心部が凹んでいる枕で首の角度を０度にした時に最も安定する枕（後頭部の一部が平らになっている人たちは平らで硬い枕）を使用しているという関係を示す図である。
ｏの２　これらの図は、放物線状の上顎歯列アーチを持っている人は、中心部を除く形態（黒く塗られている部分）で後頭部に位置する支点領域群（後頭部の上方に位置する支点領域、後頭部の上方下部に位置する支点領域、後頭結節の上方に位置する支点領域と後頭結節に位置する支点領域）のうちのいずれかの支点領域を所有し、比較的平らな枕で首の角度を１５度前後にした時に最も安定する枕を使用しているという関係を示す図である。
ｏの３　これらの図は、細長い形状の上顎歯列アーチを持っている人は、耳の後方上部に位置する支点領域（黒く塗られている部分）を所有し、端が高くなっていない枕で首の角度を３０度前後にした時に最も安定する枕を使用しているという関係を示す図である。
ｏの４　これらの図は、前歯部で狭く臼歯部に行くに従って広くなる形態の上顎歯列アーチを持っている人は、側頭部に位置する支点領域を耳の上方（黒く塗られている部分）で所有し、端が高くなっている枕で首の角度を５５度前後にした時に最も安定する枕を使用しているという関係を示す図である。
ｏの５　これらの図は、前歯部で狭く臼歯部に行くに従って極めて広くなる形態の上顎歯列アーチを持っている人は、側頭部に位置する支点領域を耳の上方から額の側方にまで達する広い範囲（黒く塗られている部分）で所有し、端が強く高くなっている枕で首の角度を１００度前後にした時に最も安定する枕を使用しているという関係を示す図である。
ｏの６　これらの図は、前歯部で平らな形態の上顎歯列アーチを持っている人は、首の付け根の側方に位置する支点領域（黒く塗られている部分）を所有し、首と肩の間に差し込み、抱きかかえるようにして使用できる枕を使用しているという関係を示す図である。（ただし、臼歯部の形態は、この支点領域に加えて、対象者が後頭部に位置する支点領域群、耳の後方上部に位置する支点領域と側頭部に位置する支点領域の中で、どの支点領域をどのような形態で所有しているのかによって異なる。）
ｐの１　これらの図は、オトガイの側方に位置する支点領域を所有していない人は、上顎臼歯が下顎臼歯を被っている正常な被蓋関係を所有し、性状に条件を必要としない枕をこの支点領域に当てない方法で使用しているという関係を示す図である。
ｐの２　これらの図は、オトガイの側方に位置する支点領域の右側だけを所有している人は、片側性の交差咬合（左側）を所有し、変形させやすい枕か、比較的変形させやすく、やわらかい枕を使用しているという関係を示す図である。
ｐの３　これらの図は、オトガイの側方に位置する支点領域の左側だけを所有している人は、片側性の交差咬合（右側）を所有し、変形させやすい枕か、比較的変形させやすく、やわらかい枕を使用しているという関係を示す図である。
ｐの４　これらの図は、オトガイの側方に位置する支点領域を両側で所有している人は、両側性の交差咬合（左右）を所有し、変形させやすい枕か、比較的変形させやすく、やわらかい枕を使用しているという関係を示す図である。
ｑの１　これらの図は、就眠時の呼吸法が常に鼻呼吸であることを条件にして、肩の背面に位置する支点領域を所有している人は、唇側に傾斜した上下の前歯を持ち、大きな枕（複数の枕を使用することが多い）を使用しているという関係を示す図である。
ｑの２　これらの図は、就眠時の呼吸法が常に鼻呼吸であることを条件にして、肩の背面に位置する支点領域を全域（黒く塗られている部分）で所有している人は、極めて強く唇側に傾斜した上下の前歯を持ち、大きくて、肩の背面の下部にまで接触させる枕（複数の枕を使用することが多い）を使用しているという関係を示す図である。
ｑの３　これらの図は、肩の背面に位置する支点領域を狭い領域（黒く塗られている部分）で所有している人は、弱く唇側に傾斜した上下の前歯を持ち、大きくて、肩の背面の上部に接触させる枕（複数の枕を使用することが多い）を使用しているという関係を示す図である。
ｑの４　これらの図は、首の付け根の側方に位置する支点領域を所有している人は、舌側に傾斜した上下の前歯を持ち、首と肩の間に差し込み、抱きかかえるようにして使用できる枕を使用しているという関係を示す図である。
ｑの５　これらの図は、首の付け根の側方に位置する支点領域を全域（黒く塗られている部分）で所有する人は、極めて強く舌側に傾斜した上下の前歯を持ち、首と肩の間に差し込み、広い範囲で抱きかかえるようにして使用できる枕を使用しているという関係を示す図である。
ｑの６　これらの図は、首の付け根の側方に位置する支点領域を狭い領域（黒く塗られている部分）で所有する人は、弱く舌側に傾斜した上下の前歯を持ち、首と肩の間に差し込み、狭い範囲で抱きかかえるようにして使用できる枕を使用しているという関係を示す図である。
ｒ　就眠時の呼吸法が常に鼻呼吸で、肩の背面に位置する支点領域を所有し、さらに特定領域に位置する支点領域（後頭部の上方に位置する支点領域、後頭部の上方下部に位置する支点領域、後頭結節の上方に位置する支点領域、後頭結節に位置する支点領域と第７頚椎の直上に位置する支点領域）のいずれかを所有している人たちの場合。
　この人たちは、唇側に傾斜した上下の前歯を共通して所有している。しかし、前歯の垂直被蓋の度合いは、対象者が上記した特定領域に位置する支点領域のうち、どの支点領域を所有しているのかによって異なる。
ｓ　就眠時の呼吸法が常に鼻呼吸で、首の付け根の側方に位置する支点領域を所有し、さらに特定領域に位置する支点領域（後頭部の上方に位置する支点領域、後頭部の上方下部に位置する支点領域、後頭結節の上方に位置する支点領域、後頭結節に位置する支点領域と第７頚椎の直上に位置する支点領域）のいずれかを所有している人たちの場合。
　この人たちは、舌側に傾斜した上下の前歯を共通して所有している。しかし、前歯の垂直被蓋の度合いは、対象者が上記した特定領域に位置する支点領域のうち、どの支点領域を所有しているのかによって異なる。
ｔ　就眠時の呼吸法が常に口呼吸で、肩の背面に位置する支点領域を所有し、さらに特定領域に位置する支点領域（後頭部の上方に位置する支点領域、後頭部の上方下部に位置する支点領域、後頭結節の上方に位置する支点領域、後頭結節に位置する支点領域と第７頚椎の直上に位置する支点領域）のいずれかを所有している人たちの場合。
　この人たちは、唇側に傾斜した上下の前歯と広い空隙のある水平被蓋を共通して所有している。しかし、前歯の垂直被蓋の度合いは、対象者が上記した特定領域に位置する支点領域のうち、どの支点領域を所有しているのかによって異なる。
ｕ　就眠時の呼吸法が常に口呼吸で、首の付け根の側方に位置する支点領域を所有し、さらに特定領域に位置する支点領域（後頭部の上方に位置する支点領域、後頭部の上方下部に位置する支点領域、後頭結節の上方に位置する支点領域、後頭結節に位置する支点領域と第７頚椎の直上に位置する支点領域）のいずれかを所有している人たちの場合。
　この人たちは、垂直的な上顎前歯と舌側に傾斜した下顎の前歯を共通して所有している。しかし、前歯の垂直被蓋の度合いは、対象者が上記した特定領域に位置する支点領域のうち、どの支点領域を所有しているのかによって異なる。
ｖ　就眠時、鼻呼吸と口呼吸を繰り返す呼吸法で、肩の背面に位置する支点領域を所有し、さらに特定領域に位置する支点領域（後頭部の上方に位置する支点領域、後頭部の上方下部に位置する支点領域、後頭結節の上方に位置する支点領域、後頭結節に位置する支点領域と第７頚椎の直上に位置する支点領域）のいずれかを所有している人たちの場合。
　この人たちは、慢性鼻疾患に罹患した時期を条件として、次の咬合形態を共通して所有している。
　７才前後までに慢性鼻疾患に罹患した人の場合−唇側に傾斜した上顎前歯と遠心部がねじれて唇側に張り出し、近心部で接触するが、遠心部で空隙を持っている上顎中切歯
　８才以降に慢性鼻疾患に罹患した人の場合−唇側に傾斜した上下の前歯と狭い空隙を持った水平被蓋
　しかし、前歯の垂直被蓋の度合いは、対象者が上記した特定領域に位置する支点領域のうち、どの支点領域を所有しているのかによって異なる。
ｗ　就眠時、鼻呼吸と口呼吸を繰り返す呼吸法で、首の付け根の側方に位置する支点領域を所有し、さらに特定領域に位置する支点領域（後頭部の上方に位置する支点領域、後頭部の上方下部に位置する支点領域、後頭結節の上方に位置する支点領域、後頭結節に位置する支点領域と第７頚椎の直上に位置する支点領域）のいずれかを所有している人たちの場合。
　この人たちは、慢性鼻疾患に罹患した時期を条件として、次の咬合形態を共通して所有している。
　７才前後までに慢性鼻疾患に罹患した人の場合−垂直的な上顎前歯、舌側に傾斜した下顎前歯と遠心部がねじれて唇側に張り出し、近心部で接触するが、遠心部で空隙を持っている上顎中切歯
　８才以降に慢性鼻疾患に罹患した人の場合−垂直的な上顎前歯、舌側に傾斜した下顎前歯と狭い空隙を持った水平被蓋
　しかし、前歯の垂直被蓋の度合いは、対象者が上記した特定領域に位置する支点領域のうち、どの支点領域を所有しているのかによって異なる。
ｘの１　これらの図は、頭頚部と肩の背面の表皮にモザイク状に存在し、成長期、常に加えられる方向性のある強い圧力に反応して特定の咬合様式に個人差を生じさせる１５の支点領域の作用内容を説明する図である。
　２１８（７３）と２２０（１１５）で重なっている部分は、位置固有の圧力がそれぞれで異なる。（この原因は、この部分が極めて変形しやすいためである。）
ｘの２　この図は、右（左）の頚部の側方に位置する支点領域において、成長期、常に加えられる方向性のある強い圧力に反応して右（左）の特定同一名称歯（永久歯で１６種類、乳歯で１０種類）を小さくさせる右（左）の特定部分（永久歯で１６の部分、乳歯で１０の部分）の作用内容を説明する図である。（後方から見た右側だけの図）
ｘの３　この図は、右（左）の頚部の側方に位置する支点領域において、成長期、常に加えられる方向性のある強い圧力に反応して右（左）の特定同一名称歯（永久歯で１６種類、乳歯で１０種類）を小さくさせる右（左）の特定部分（永久歯で１６の部分、乳歯で１０の部分）の作用内容を説明する図である。（側方から見た右側だけの図）
ｙの１　これらの図は、頚部の側方に位置する支点領域を除く１４の各支点領域に必要な位置固有の方向性のある強い圧力を示した図である。
ｙの２　この図は、頚部の側方に位置する支点領域を８つの部分した各部分に必要な位置固有の方向性のある強い圧力を示した図である。
ｚの１　この図は、指状の袋を側面から見た図である。サイズが示されていないのは、これを作成する時、個人固有の各指の形態（長さ、太さと形状）に合った形にするためである。
ｚの２　この図は、指状の袋を後方にあたる部分の断面図である。サイズが示されていないのは、これを作成する時、個人固有の各指の形態（長さ、太さと形状）に合った形にするためである。
ｚの３　この図は、指状の袋を前方にあたる部分の断面図である。サイズが示されていないのは、これを作成する時、個人固有の各指の形態（長さ、太さと形状）に合った形にするためである。
＄の１　これらの図は、被験者Ａ固有の「強い圧力で枕に接触固定させる領域」を示す図（全体像）である。
＄の２　この図は、左右の「頚部に位置する支点領域」で、被験者Ａが所有する被験者Ａ固有の「強い圧力で枕に接触固定させる領域」を示す図（全体像）である。本来、１６の部分に分類した左右の「頚部に位置する支点領域」が使用されるべきところに８つの部分に分類した左右の「頚部に位置する支点領域」が使用されているのは、白黒の表示でも被験者Ａ固有の「強い圧力で枕に接触固定させる領域」の広さと位置が良く判るようにした便宜的な配慮である。
＄の３　これらの図は、１６の部分に分類した左右の「頚部に位置する支点領域」で、被験者Ａが所有する被験者Ａ固有の「強い圧力で枕に接触固定させる領域」を示す図（全体像）である。本来、１６の部分に分類した左右の「頚部に位置する支点領域」が使用されるべきところに８つの部分に分類した左右の「頚部に位置する支点領域」が使用されているのは、白黒の表示でも被験者Ａ固有の「強い圧力で枕に接触固定させる領域」の広さと位置が良く判るようにした便宜的な配慮である。
１　第七頚椎の直上に位置する支点領域を主な支点領域として所有する人たち
　ただし、この支点領域を右側の部分で所有している人は、右側の上顎中切歯を除く前歯部の１、２本が切端咬合である。左の場合も同様である。また、この人たちは、常に、頚部中央に接触しない枕を使用しているか、あるいはその部分に枕を接触させない方法で枕を使用している。
２　後頭部の上方に位置する支点領域を主な支点領域として所有する人たち
　ただし、この人たちの誰もが、第七頚椎の直上に位置する支点領域を所有しないことを条件とする。
３　後頭部上方下部に位置する支点領域を主な支点領域として所有する人たち
　ただし、この人たちの誰もが、第七頚椎の直上に位置する支点領域を所有しないことを条件とする。
４　後頭結節の上方に位置する支点領域を主な支点領域として所有する人たち
５　後頭結節に位置する支点領域を主な支点領域として所有する人たち
６　頚部の中央に位置する支点領域と後頭部上方下部に位置する支点領域を主な支点領域として所有する人たち
　ただし、頚部の中央に位置する支点領域を右側の部分で所有する人は、右側の上顎切歯の一本だけが交差咬合になっている。左の場合も同様である。また、この人たちの誰もが、第七頚椎の直上に位置する支点領域を所有しないことを条件とする。
７　頚部の中央に位置する支点領域と後頭結節の上方に位置する支点領域を主な支点領域として所有する人たち
　ただし、頚部の中央に位置する支点領域を右側の部分で所有する人は、右側の上顎切歯の一本だけが交差咬合（反対咬合）になっている。左の場合も同様である。
８　頚部の中央に位置する支点領域と後頭結節に位置する支点領域を主な支点領域として所有する人たち
　ただし、頚部の中央に位置する支点領域を右側の部分で所有する人は、右側の上顎切歯の一本だけが交差咬合（反対咬合）になっている。左の場合も同様である。
９　後頭結節
１０　第七頚椎
１１　第七頚椎の直上に位置する支点領域
１２　後頭部の上方に位置する支点領域
１３　後頭部の上方下部に位置する支点領域
１４　後頭結節の上方に位置する支点領域
１５　後頭結節に位置する支点領域
１６　頚部の中央に位置する支点領域
１７　極めて低い枕（１センチ前後）か低い枕（２から３センチ）で、変形させやすい柔らかい枕（素材によっては極めて小さい枕）−この人たちは、常に、頚部中央に接触しない枕を使用しているか、あるいはその部分に枕を接触させない方法で枕を使用している。
１８　極めて低く、柔らかい枕で、時には、枕を必要としない（ただし、後頭部の上方が平らに変形している人の場合は、極めて低くて極めて硬い枕を使用している。）−この人たちは、常に、頚部中央に接触しない枕を使用しているか、あるいはその部分に枕を接触させない方法で枕を使用している。
１９　極めて低いか低く、柔らかい枕（時には、枕を必要としない）−この人たちは、常に、頚部中央に接触しない枕を使用しているか、あるいはその部分に枕を接触させない方法で枕を使用している。
２０　比較的高くて（８センチ前後）、比較的硬く、比較的しっかりした素材でできた枕−この人たちは、常に、頚部中央に接触しない枕を使用しているか、あるいはその部分に枕を接触させない方法で枕を使用している。
２１　高い枕（１０センチ前後）か極めて高く（１０センチ以上）て、比較的硬いか硬く（あるいは硬い）、しっかりした素材でできた枕で、縦幅が比較的短い枕−この人たちは、常に、頚部中央に接触しない枕を使用しているか、あるいはその部分に枕を接触させない方法で枕を使用している。
２２　低いか極めて低く、柔らかい枕−この人たちは、常に頚部の中央で高くなっている枕、あるいは頚部の中央を高くする方法で枕を使用している。
２３　比較的高くて、比較的硬く、比較的しっかりした素材でできた枕で、縦幅が比較的短い枕−この人たちは、常に頚部の中央で高くなっている枕、あるいは頚部の中央を高くする方法で枕を使用している。
２４　高い枕か極めて高くて、比較的硬く（あるいは硬い）、しっかりした素材でできた枕で、縦幅が比較的短い枕−この人たちは、常に頚部の中央で高くなっている枕、あるいは頚部の中央を高くする方法で枕を使用している。
２５　切端咬合（上下歯の傾斜は垂直）
２６　極めて浅い垂直被蓋（上下歯の傾斜は垂直で正常咬合）
２７　浅い垂直被蓋（上下歯の傾斜は垂直で正常咬合）
２８　比較的深い垂直被蓋（上下歯の傾斜は垂直で正常咬合）
２９　極めて深い垂直被蓋（上下歯の傾斜は垂直で正常咬合）
３０　浅い垂直被蓋（上下歯の傾斜は垂直で反対咬合）
３１　比較的深い垂直被蓋（上下歯の傾斜は垂直で反対咬合）
３２　極めて深い垂直被蓋（上下歯の傾斜は垂直で反対咬合）
３３　著しい開咬と垂直的な上下前歯（開咬とは、前歯部、あるいは前歯から臼歯の一部に至る広範囲が噛み合わない咬合形態である。そのため、誰もが、その部分で発生した空隙から舌の動きを観察できる。）
３４　前歯部、あるいは前歯から臼歯にかけての部分の上下歯との間に広い空隙が存在する水平被蓋、唇側に傾斜した上顎前歯、垂直的な下顎前歯と浅い垂直被蓋
３５　前歯部、あるいは前歯から臼歯にかけての部分の上下歯との間に広い空隙が存在する水平被蓋、唇側に傾斜した上顎前歯、垂直的な下顎前歯と比較的深い垂直被蓋
３６　前歯部、あるいは前歯から臼歯にかけての部分の上下歯との間に広い空隙が存在する水平被蓋、唇側に傾斜した上顎前歯、垂直的な下顎前歯と極めて深い垂直被蓋
３７　前歯部、あるいは前歯から臼歯にかけての部分の上下歯との間に広い空隙が存在する水平被蓋、浅い垂直被蓋、唇側に傾斜した上顎前歯、垂直的な下顎前歯と反対咬合
３８　前歯部、あるいは前歯から臼歯にかけての部分の上下歯との間に広い空隙が存在する水平被蓋、比較的深い垂直被蓋、唇側に傾斜した上顎前歯、垂直的な下顎前歯と反対咬合
３９　前歯部、あるいは前歯から臼歯にかけての部分の上下歯との間に広い空隙が存在する水平被蓋、極めて深い垂直被蓋、唇側に傾斜した上顎前歯、垂直的な下顎前歯と反対咬合
４０　近心部で切端咬合となり、遠心部で上下歯の間に空隙が存在する上顎前歯、垂直的な上下顎前歯と遠心部がねじれて唇側に張り出した上顎中切歯
４１　近心部舌側で接触するが、遠心部では上下歯の間に空隙が存在する水平被蓋、唇側に傾斜した上顎前歯、垂直的な下顎前歯、浅い垂直被蓋と遠心部がねじれて唇側に張り出した上顎中切歯
４２　近心部舌側で接触するが、遠心部では上下歯の間に空隙が存在する水平被蓋、唇側に傾斜した上顎前歯、垂直的な下顎前歯、比較的深い垂直被蓋と遠心部がねじれて唇側に張り出した上顎中切歯
４３　近心部舌側で接触するが、遠心部では上下歯の間に空隙が存在する水平被蓋、唇側に傾斜した上顎前歯、垂直的な下顎前歯、極めて深い垂直被蓋と遠心部がねじれて唇側に張り出した上顎中切歯
４４　弱い開咬と垂直的な上下前歯
４５　上下歯の間に狭い空隙のある水平被蓋、唇側に傾斜した上顎前歯、垂直的な下顎前歯と浅い垂直被蓋
４６　上下歯の間に狭い空隙のある水平被蓋、比較的深い垂直被蓋、唇側に傾斜した上顎前歯、垂直的な下顎前歯
４７　上下歯の間に狭い空隙のある水平被蓋、極めて深い垂直被蓋
４８　第７頚椎の直上と後頭部の上方下部に位置する支点領域（あるいは、後頭部の上方に位置する支点領域）を主な支点領域として所有している人たち
４９　後頭部の上方に位置する支点領域を主な支点領域として所有している人たち
５０　後頭部の上方下部に位置する支点領域を主な支点領域として所有している人たち
５１　後頭結節の上方に位置する支点領域を主な支点領域として所有している人たち
５２　後頭結節に位置する支点領域を主な支点領域として所有している人たち
５３　後方から見た図
５４　上方から見た図
５５　右側方から見た図
５６　低いか極めて低くて柔らかい枕を使用している人たちの睡眠姿勢
５７　枕を使用しないか、極めて低くて柔らかい枕を使用している人たちの睡眠姿勢（ただし、後頭部が平らになっている人は、極めて低くて上方部だけが極めて硬い枕を使用している。）
５８　極めて低いか、低くて柔らかい枕を使用している人たちの睡眠姿勢（時々、この人たちは、枕を使用しない。）
５９　比較的高くて、比較的硬く比較的しっかりした素材でできた枕を使用している人たちの睡眠姿勢
６０　高い枕か極めて高くて、比較的硬く（あるいは硬い）しっかりした素材でできた枕を使用している人たちの睡眠姿勢
６１　頚部の中央に位置する支点領域と後頭部の上方下部に位置する支点領域を主な支点領域として所有している人たち
６２　頚部の中央に位置する支点領域と後頭結節の上方に位置する支点領域を主な支点領域として所有している人たち
６３　頚部の中央に位置する支点領域と後頭結節に位置する支点領域を主な支点領域として所有している人たち
６４　首の付け根の側方に位置する支点領域と頚部の側方に位置する支点領域を主な支点領域として所有している人たち（表示は、上記した支点領域に加えて、さらに後頭結節に位置する支点領域を所有している人の場合を取り上げてある。）
６５　肩の背面に位置する支点領域を主な支点領域として所有している人たち（表示は、上記した支点領域に加えて、さらに後頭部の上方下部に位置する支点領域と下顎に位置する支点領域を所有している人の場合を取り上げてある。）
６６　第７頚椎の直上に位置する支点領域と肩の背面に位置する支点領域を主な支点領域として所有している人たち（表示は、上記した支点領域に加えて、さらに後頭部の上方に位置する支点領域を所有している人の場合を取り上げてある。）
６７　極めて低いか、低くて柔らかい枕を使用している人たちの睡眠姿勢（この人たちは、頚部の中央が高くなった枕を使用している。）
６８　比較的高くて、比較的硬く比較的しっかりした素材でできた枕を使用している人たちの睡眠姿勢（この人たちは、頚部の中央が高くなった枕を使用している。）
６９　高い枕か極めて高くて、比較的硬く（あるいは硬い）しっかりした素材でできた枕を使用している人たちの睡眠姿勢（この人たちは、頚部の中央が高くなった枕を使用している。）
７０　高い枕か極めて高くて、比較的硬く（あるいは硬い）しっかりした素材でできた枕を使用している人たちの睡眠姿勢（これらの人たちは、肩の上部に枕を乗せ、首の付け根の側方に方向性のある強い圧力を加えている。）
７１　比較的高いか高くて比較的柔らかく、大きな枕を使用している人たちの睡眠姿勢（これらの人たちは、複数の枕を使用する場合が多い。）
７２　枕を使用せず、マットレスから頭部を床などに落として陲眠をとっている人たち唾眠姿勢（この人たちにとって、マットレスと床が巨大な枕である。）
７３　頚部の側方に位置する支点領域
７４　すべての歯が極めて小さな人
７５　頚部の側方に位置する支点領域の全域に方向性のある強い圧力を加えることができる枕（流動性の極めて高い性状の枕か変形させやすい性状の枕）
７６　すべての歯が極めて大きな人
７７　頚部の側方に位置する支点領域に方向性のある強い圧力を加えることができない枕（流動性のない硬い枕か変形させ難い枕）
７８　大きな歯が多くて小さな歯が少ない人（表示は、下顎の右第１第臼歯と上顎右犬歯と下顎右犬歯の３本だけが小さい人の場合を取り上げてある。）
７９　小さな歯が多くて大きな歯が少ない人（表示は、下顎の左右第３第臼歯だけが極めて大きい人の場合を取り上げてある。）
８０　頚部の側方に位置する支点領域のいくつかの部分に方向性のある強い圧力を加えることができる枕（この人たちのほとんどが、流動性の低い枕か比較的変形させ難い枕を使用して枕の上に置いた指の特定部分でこの圧力を発生させている。）
８１　小さな歯が多くて大きな歯が少ない人（表示は、下顎左右の第３第臼歯だけが小さい人の場合を取り上げてある。）
８２　頚部の側方に位置する支点領域の比較的広い部分に方向性のある強い圧力を加えることができる枕（比較的流動性のある枕か比較的変形させ易い枕）
８３　この部分は、上下の右中切歯（乳歯の場合、右乳中切歯）の大きさに関係する。
８４　この部分は、上下の右側切歯（乳歯の場合、右乳側切歯）の大きさに関係する。
８５　この部分は、上下の右犬歯（乳歯の場合、右乳犬歯）の大きさに関係する。
８６　この部分は、上下の右第１小臼歯（乳歯の場合、右第１乳臼歯）の大きさに関係する。
８７　この部分は、上下の右第２小臼歯（乳歯の場合、右第２乳臼歯）の大きさに関係する。
８８　この部分は、上下の右第１大臼歯の大きさに関係する。
８９　この部分は、上下の右第２大臼歯の大きさに関係する。
９０　この部分は、上下の右第３大臼歯の大きさに関係する。
９１　この部分は、上顎の右中切歯（乳歯の場合、右乳中切歯）の大きさに関係する。
９２　この部分は、下顎の右中切歯（乳歯の場合、右乳中切歯）の大きさに関係する。
９３　この部分は、上顎の右側切歯（乳歯の場合、右乳側切歯）の大きさに関係する。
９４　この部分は、下顎の右側切歯（乳歯の場合、右乳側切歯）の大きさに関係する。
９５　この部分は、上顎の右犬歯（乳歯の場合、右乳犬歯）の大きさに関係する。
９６　この部分は、下顎の右犬歯（乳歯の場合、右乳犬歯）の大きさに関係する。
９７　この部分は、上顎の右第１小臼歯（乳歯の場合、右第１乳臼歯）の大きさに関係する。
９８　この部分は、下顎の右第１小臼歯（乳歯の場合、右第１乳臼歯）の大きさに関係する。
９９　この部分は、上顎の右第２小臼歯（乳歯の場合、右第２乳臼歯）の大きさに関係する。
１００　この部分は、下顎の右第２小臼歯（乳歯の場合、右第２乳臼歯）の大きさに関係する。
１０１　この部分は、上顎の右第１大臼歯の大きさに関係する。
１０２　この部分は、下顎の右第１大臼歯の大きさに関係する。
１０３　この部分は、上顎の右第２大臼歯の大きさに関係する。
１０４　この部分は、下顎の右第２大臼歯の大きさに関係する。
１０５　この部分は、上顎の右第３大臼歯の大きさに関係する。
１０６　この部分は、下顎の右第３大臼歯の大きさに関係する。
１０７　上下の右中切歯（乳歯の場合、右乳中切歯）の大きさに関係するこの部分は、次の位置にある。
　横の上部は、下項線に沿ってあり、乳様突起の後方上部にある乳突孔から後頭鱗の上部に掛けての位置にある。
　横の下部は、乳様突起の下部の後方から後頭鱗の下部に掛けての位置にある。
　縦の前部は、乳突孔から第１頚椎の側方下部に掛けての位置にある。
　縦の後部は、後頭鱗から第１頚椎の側方中段に掛けての位置にある。
１０８　上下の右側切歯（乳歯の場合、右乳側切歯）の大きさに関係するこの部分は、僧帽筋の外側で、後頭鱗から第１頚椎の側方を通り、第４頚椎の側方下部に至る位置にある。
１０９　上下の右犬歯（乳歯の場合、右乳犬歯）の大きさに関係するこの部分は、僧帽筋の外側で、第５頚椎の側方に位置する。
１１０　上下の右第１小臼歯（乳歯の場合、右第１乳臼歯）の大きさに関係するこの部分は、喉側寄りで、側方上部から第６頚椎の側方の中段を通って上方に転じ、乳様突起の下部に至る部分にある。
１１１　上下の右第２小臼歯（乳歯の場合、右第２乳臼歯）の大きさに関係するこの部分は、喉側寄りで、第１頚椎の側方上部から乳様突起の後方下部を通り、その上方に至る位置にある。
１１２　上下の右第１大臼歯の大きさに関係するこの部分は、やや喉側寄りで、乳突孔から第４頚椎の側方に掛けての位置にある。また、この部分は、上下の右中切歯（乳歯の場合、右乳中切歯）、上下の右側切歯（乳歯の場合、右乳側切歯）、上下の右第２大臼歯、上下の右第１小臼歯（乳歯の場合、右第１乳臼歯）と上下の右第２小臼歯（乳歯の場合、右第２乳臼歯）の大きさに関係する部分で囲まれている。
１１３　上下の右第２大臼歯の大きさに関係するこの部分は、やや喉側寄りで、第４頚椎の側方下部から第６頚椎の側方上部に掛けての位置にある。また、この部分は、上下の右側切歯（乳歯の場合、右乳側切歯）、右犬歯（乳歯の場合、右乳犬歯）、上下の右第１小臼歯（乳歯の場合、右第１乳臼歯）と右第１大臼歯の大きさに関係する部分で囲まれている。
１１４　上下の右第３大臼歯の大きさに関係するこの部分は、喉側寄りで、第６頚椎の側方上部から第７頚椎の側方下部に掛けての位置にある。
１１５　頚部の上方に位置する支点領域
１１６　極めて短い上顎前歯
１１７　この領域全体に方向性のある強い圧力を加えることができる形状の枕
１１８　比較的短い上顎前歯
１１９　この領域の一部分に方向性のある強い圧力を加えることができる形状の枕
１２０　極めて長い上顎前歯
１２１　この領域に方向性のある強い圧力を加えることができない形状の枕
１２２　下顎に位置する支点領域
１２３　極めて尖った臼歯
１２４　下顎に位置する支点領域に方向性のある強い圧力を加えることができる枕（流動性の高い枕か変形させやすい枕）
１２５　尖った臼歯
１２６　下顎に位置する支点領域に方向性のある強い圧力を比較的広い範囲で加えることができる枕（流動性の高い枕か変形させやすい枕）
１２７　噛む面が比較的なだらかな斜面を持った臼歯
１２８　下顎に位置する支点領域に方向性のある強い圧力を狭い範囲で加えることができる枕（比較的流動性の低い枕か、比較的変形させ難い枕）
１２９　噛む面が極めてなだらかな斜面を持った臼歯
１３０　下顎に位置する支点領域に方向性のある強い圧力を加えることができない枕（流動性の低い枕か変形させ難い枕）
１３１　上顎犬歯が歯列アーチからはみ出した位置にある歯列
１３２　側頭部に位置する支点領域
１３３　端が緩やかに高くなっていく枕で、首の角度を５５度前後の角度にした時に最も安定する枕
１３４　流動性が低く、端が強く高くなっている枕で、首の角度を１００度前後にした時に最も安定する枕
１３５　側頭部の上方に位置する支点領域
１３６　最も大きな上顎歯列アーチ（表示は、放物線状の上顎歯列アーチを便宜的に取り上げてある。）
１３７　流動性のない低い枕か極めて低い枕
１３８　最も小さい上顎歯列アーチ（表示は、放物線状の上顎歯列アーチを便宜的に取り上げてある。）
１３９　流動性の極めて高い枕か極めて変形させやすい枕
１４０　馬蹄形状の上顎歯列アーチ
１４１　中心部が凹んでいる枕で、首の角度を０度（真正面）にした時に最も安定する枕
１４２　平らで硬い枕（この枕を使用する人たちは、後頭部の一部が平らになっている。）
１４３　放物線状の上顎歯列アーチ
１４４　比較的平らな枕で、首の角度を１５度前後にした時に最も安定する枕
１４５　細長い形状の上顎歯列アーチ
１４６　耳の後方上部に位置する支点領域
１４７　端が高くなっていない枕で、首の角度を３０度前後にした時に最も安定する枕
１４８　前歯部で狭く、臼歯部に行くに従って広くなる形態の上顎歯列アーチ
１４９　前歯部で狭く、臼歯部に行くに従って極めて広くなる形態の上顎歯列アーチ
１５０　前歯部が平らな形態の上顎歯列アーチ（臼歯部の形態は、前歯部で狭く、臼歯部に行くに従って広くなる形態の上顎歯列アーチを便宜的に取り上げた。）
１５１　首の付け根の側方に位置する支点領域
１５２　オトガイの側方に位置する支点領域
１５３　上顎臼歯が下顎臼歯を被っている被蓋関係（正常）
１５４　オトガイの側方に位置する支点領域に枕を当てない使用方法（枕の性状に条件を必要としない）
１５５　オトガイの側方に位置する支点領域に枕を当てない使用方法（枕の性状に条件を必要としない）
１５６　片側性の交差咬合（左側）
１５７　変形させ易い枕か、比較的変形させやすく、やわらかい枕
１５８　片側性の交差咬合（右側）
１５９　変形させ易い枕か、比較的変形させやすく、やわらかい枕
１６０　両側性の交差咬合（左右）
１６１　肩の背面に位置する支点領域
１６２　唇側に傾斜した上下の前歯
１６３　強く唇側に傾斜した上下の前歯
１６４　大きくて、肩の背面の下部にまで接触させる枕（複数の枕を使用することが多い）
１６５　弱く唇側に傾斜した上下の前歯
１６６　肩の背面の上部に接触させる枕（複数の枕を使用することが多い）
１６７　舌側に傾斜した上下の前歯
１６８　首と肩の間に差し込み、抱きかかえるようにして使用できる枕
１６９　強く舌側に傾斜した上下の前歯
１７０　首と肩の間に差し込み、広い範囲で抱きかかえるようにして使用できる枕で、比較的柔らかく、変形させやすい枕
１７１　弱く舌側に傾斜した上下の前歯
１７２　首と肩の間に差し込み、狭い範囲で抱きかかえるようにして使用できる枕で、比較的硬い素材でできた枕
１７３　肩の背面に位置する支点領域と第７頚椎の直上に位置する支点領域を主な支点領域として所有している人たち
１７４　肩の背面に位置する支点領域と後頭部の上方に位置する支点領域を主な支点領域として所有している人たち
　ただし、この人たちの誰もが、第７頚椎の直上に位置する支点領域を所有しないことを条件とする。
１７５　肩の背面に位置する支点領域と後頭部の上方下部に位置する支点領域を主な支点領域として所有している人たち
　ただし、この人たちの誰もが、第７頚椎の直上に位置する支点領域を所有しないことを条件とする。
１７６　肩の背面に位置する支点領域と後頭結節の上方に位置する支点領域を主な支点領域として所有している人たち
１７７　肩の背面に位置する支点領域と後頭結節に位置する支点領域を主な支点領域として所有している人たち
１７８　首の付け根の側方に位置する支点領域と第７頚椎の直上に位置する支点領域を主な支点領域として所有している人たち
１７９　首の付け根の側方に位置する支点領域と後頭部の上方に位置する支点領域を主な支点領域として所有している人たち
　ただし、この人たちの誰もが、第７頚椎の直上に位置する支点領域を所有しないことを条件とする。
１８０　首の付け根の側方に位置する支点領域と後頭部の上方下部に位置する支点領域を主な支点領域として所有している人たち
１８１　首の付け根の側方に位置する支点領域と後頭結節の上方に位置する支点領域を主な支点領域として所有している人たち
１８２　首の付け根の側方に位置する支点領域と後頭結節に位置する支点領域を主な支点領域として所有している人たち
１８３　枕を使用しないか、マットレスから頭部を床などに落として睡眠をとっている人たち（この人たちにとって、マットレスと床が巨大な枕である。）
１８４　極めて大きくて比較的高く、極めて柔らかい枕（多くの場合、枕の数は複数である。）
１８５　極めて大きくて比較的高く、柔らかい枕（多くの場合、枕の数は複数である。）
１８６　大きくて高く、比較的柔らかい枕（多くの場合、枕の数は複数である。）
１８７　大きくて極めて高く、比較的硬い枕で、縦幅が比較的短い枕（多くの場合、枕の数は複数である。）
１８８　首と肩の間に差し込み、抱きかかえるようにして使用できる枕で、が極めて低く柔らかい枕
１８９　首と肩の間に差し込み、抱きかかえるようにして使用できる枕で、低いか、極めて低く、柔らかい枕
１９０　首と肩の間に差し込み、抱きかかえるようにして使用できる枕で、比較的高くて比較的硬く、比較的しっかりした素材でできている枕
１９１　首と肩の間に差し込み、抱きかかえるようにして使用できる枕で、高いか極めて高くて比較的硬く、縦幅が比較的短い枕
１９２　唇側に傾斜した上下の前歯と切端咬合
１９３　唇側に傾斜した上下の前歯と極めて浅い垂直被蓋
１９４　唇側に傾斜した上下の前歯と浅い垂直被蓋
１９５　唇側に傾斜した上下の前歯と比較的深い垂直被蓋
１９６　唇側に傾斜した上下の前歯と極めて深い垂直被蓋
１９７　舌側に傾斜した上下の前歯と極めて浅い垂直被蓋
１９８　舌側に傾斜した上下の前歯と浅い垂直被蓋
１９９　舌側に傾斜した上下の前歯と比較的深い垂直被蓋
２００　舌側に傾斜した上下の前歯と極めて深い垂直被蓋
２０１　唇側に傾斜した上下の前歯、広い空隙のある水平被蓋と比較的深い垂直被蓋
２０２　唇側に傾斜した上下の前歯、広い空隙のある水平被蓋と極めて深い垂直被蓋
２０３　舌側に傾斜した下顎の前歯、垂直的な上顎の前歯、広い空隙のある水平被蓋と極めて深い垂直被蓋
２０４　唇側に傾斜した上下顎前歯、遠心部がねじれて唇側に張り出していると同時に、近心部で切端咬合であるが、遠心部で狭い空隙を持っている上顎中切歯
２０５　唇側に傾斜した上下顎前歯、遠心部がねじれて唇側に張り出していると同時に、近心部で接触しているが、遠心部で狭い空隙を持っている上顎中切歯と浅い垂直被蓋
２０６　唇側に傾斜した上顎前歯、遠心部がねじれて唇側に張り出していると同時に、近心部で接触しているが、遠心部で狭い空隙を持っている上顎中切歯と比較的深い垂直被蓋
２０７　舌側に傾斜した下顎前歯、垂直的な下顎前歯、遠心部がねじれて唇側に張り出していると同時に近心部で接触しているが、遠心部で狭い空隙を持っている上顎中切歯と比較的深い垂直被蓋
２０８　唇側に傾斜した上下の前歯と弱い開咬
２０９　唇側に傾斜した上下の前歯、狭い空隙を持った前歯の水平被蓋と浅い垂直被蓋
２１０　唇側に傾斜した上下の前歯、狭い空隙を持った前歯の水平被蓋と比較的深い垂直被蓋
２１１　舌側に傾斜した下顎の前歯、垂直的な上顎の前歯、狭い空隙のある水平被蓋と比較的深い垂直被蓋
２１２　舌側に傾斜した下顎の前歯、垂直的な上顎の前歯、狭い空隙のある水平被蓋と極めて深い垂直被蓋
２１３（１２）　後頭部の上方に位置する支点領域：この支点領域は、上顎前歯に極めて浅い垂直被蓋を発生させる。ただし、誰もが、第７頚椎の直上に位置する支点領域を所有しないことを条件にする。この支点領域で中心部を除く部分は、上顎歯列アーチの形態を放物線状にするが、中心部を含んだ部分は、この形態を馬蹄形状にする。ただし、この場合、誰もが側頭部に位置する支点領域を所有しないことを条件にする。
　また、この領域は枕の高さを決定し、この領域の所有者に極めて低い枕を使用させる。
２１４（１３５）　側頭部の上方に位置する支点領域：この支点領域は、大きな上顎歯列アーチを発生させる。頚部の側方に位置する支点領域を所有せず、この支点領域だけを広い範囲で所有する場合、この形態は極めて大きくなる。
　また、この領域は枕の高さと形状を決定し、この領域の所有者に極めて低く、比較的平らな枕を使用させる。
２１５（１３２）　側頭部に位置する支点領域：この支点領域は、前歯部で狭く、臼歯部に行くに従って広くなる上顎歯列アーチを発生させる。
　また、この領域は枕の高さを決定し、この領域の所有者に比較的高いか高い枕を使用させる。
２１６（１３）　後頭部の上方下部に位置する支点領域：この支点領域は、上顎前歯に浅い垂直被蓋を発生させる。この支点領域で中心部を除く部分は、上顎歯列アーチの形態を放物線状にするが、中心部を含んだ部分は、この形態を馬蹄形状にする。ただし、この場合、誰もが側頭部に位置する支点領域を所有しないことを条件にする。
　また、この領域は枕の高さを決定し、この領域の所有者に低い枕か極めて低い枕を使用させる。
２１７（１４）　後頭結節の上方に位置する支点領域：この支点領域は、上顎前歯に比較的深い垂直被蓋を発生させる。この支点領域で中心部を除く部分は、上顎歯列アーチの形態を放物線状にするが、中心部を含んだ部分は、この形態を馬蹄形状にする。ただし、この場合、側頭部に位置する支点領域を所有しないことを条件にする。
　また、この領域は主に枕の高さ、硬さと素材を決定し、この領域の所有者に比較的高くて比較的硬く、しっかりした枕を使用させる。
２１８（７３）　頚部の側方に位置する支点領域：この支点領域は、左右のそれぞれで、１６種類の歯を小さくさせる１６の部分に分かれ、特定部分で特定の歯を小さくさせる。また、この支点領域は、小さな上顎歯列アーチをも発生させる。
　また、この領域は枕の素材と形状を決定し、この領域の所有者に極めて流動性があり、極めて変形させ易い枕か、流動性があり、変形させ易い枕を使用させる。
２１９（１５）　後頭結節に位置する支点領域：この支点領域は、上顎前歯に極めて深い垂直被蓋を発生させる。この支点領域で中心部を除く部分は、上顎歯列アーチの形態を放物線状にするが、中心部を含んだ部分は、この形態を馬蹄形状にする。ただし、この場合、側頭部に位置する支点領域を所有しないことを条件にする。
　また、この領域は主に枕の高さ、硬さ、素材と形状を決定し、この領域の所有者に高いか、極めて高くて比較的硬く、しっかりした素材でできた枕を使用させる。
２２０（１１５）　頚部の上方に位置する支点領域：この支点領域は、短い上顎前歯を発生させる。ただし、この支点領域を広い範囲で所有することは、この歯を極めて短くさせるが、狭い場合は、この歯をより長くさせる。この支点領域をまったく所有しない場合、この歯は極めて長くなる。
　また、この領域は主に枕の形状を決定し、この領域の所有者に頚部の上方が高くなった形状の枕を使用させる。
２２１（１６）　頚部の中央に位置する支点領域：この支点領域は、反対咬合を発生させる。ただし、この支点領域が右（左）側方にある場合は、右側（左側）前歯部の１、２本が反対咬合となる。
　　また、この領域は主に枕の形状を決定し、この領域の所有者に頚部の上方が高くなった形状の枕を使用させる。
２２２（１１）　第７頚椎の直上に位置する支点領域：この支点領域は、切端咬合を発生させる。ただし、この支点領域が右（あるいは左）側方にある場合は、右側（あるいは左側）前歯部の１、２本が切端咬合となる。
　また、この領域は主に枕の形状を決定し、この領域の所有者にこの領域に当たる部分が高くなった枕を使用させる。
２２３（１５１）　頚の付け根の側方に位置する支点領域：この支点領域は、舌側に傾斜した上下の前歯を発生させる。さらに、この支点領域は、上顎歯列アーチの形態を前歯部で平らな形状にする。
　また、この領域は主に枕の硬さと素材を決定し、この領域の所有者に首と肩の間に差し込み、抱きかかえるようにして使用できる枕を使用させる。
２２４（１６１）　肩の背面に位置する支点領域：この支点領域は、唇側に傾斜した上下の前歯を発生させる。
　また、この領域は主に枕の大きさを決定し、この領域の所有者に極めて大きな枕を使用させる。
２２５（１２２）　下顎に位置する支点領域：この支点領域は、尖った臼歯を発生させる。ただし、この支点領域を両側に所有することを条件とする。この支点領域を全域で所有することは、極めて尖った臼歯になるが、狭い場合は、平らな臼歯になる。しかし、この支点領域をまったく所有しない場合、臼歯は極めて平らになる。
　また、この領域は主に枕の素材を決定し、この領域の所有者に柔らかいか、比較的柔らかい枕を使用させる。
２２６（１５２）　オトガイの側方に位置する支点領域：この支点領域は、交差咬合を発生させる。ただし、この支点領域を右（あるいは左）の片側だけに所有すると、左（あるいは右）の片側性の交差咬合となるが、この支点領域を両側に所有すると、両側性（左右）の交差咬合となる。
　また、この領域は主に枕の素材を決定し、この領域の所有者に柔らかいか、比較的柔らかい枕を使用させる。
２２７（１４６）　耳の後方上部に位置する支点領域：この支点領域は、細長い上顎歯列アーチを発生させる。ただし、側頭部に位置する支点領域を所有しないことを条件にする。
　また、この領域は主に枕の形状を決定し、この領域の所有者に端が緩やかに高くなっていく枕で、首の角度を５５度前後の角度にした時に最も安定する枕を使用させる。
２２８（９１）　この部分は、上顎の右中切歯（乳歯の場合、上顎の右乳中切歯）を小さくさせる。
２２９（９２）　この部分は、下顎の右中切歯（乳歯の場合、下顎の右乳中切歯）を小さくさせる。
２３０（９３）　この部分は、上顎の右側切歯（乳歯の場合、上顎の右乳側切歯）を小さくさせる。
２３１（９４）　この部分は、下顎の右側切歯（乳歯の場合、下顎の右乳側切歯）を小さくさせる。
２３２（９５）　この部分は、上顎の右犬歯（乳歯の場合、上顎の右乳犬歯）を小さくさせる。
２３３（９６）　この部分は、下顎の右犬歯（乳歯の場合、下顎の右乳犬歯）を小さくさせる。
２３４（９７）　この部分は、上顎の第１小臼歯（乳歯の場合、上顎の右第１乳臼歯）を小さくさせる。
２３５（９８）　この部分は、下顎の右第１小臼歯（乳歯の場合、下顎の右第１乳臼歯）を小さくさせる。
２３６（９９）　この部分は、上顎の右第２小臼歯（乳歯の場合、上顎の右第２乳臼歯）を小さくさせる。
２３７（１００）　この部分は、下顎の右第２小臼歯（乳歯の場合、下顎の右第２乳臼歯）を小さくさせる。
２３８（１０１）　この部分は、上顎の右第１大臼歯を小さくさせる。
２３９（１０２）　この部分は、下顎の右第１大臼歯を小さくさせる。
２４０（１０３）　この部分は、上顎の右第２大臼歯を小さくさせる。
２４１（１０４）　この部分は、下顎の右第２大臼歯を小さくさせる。
２４２（１０５）　この部分は、上顎の右第３大臼歯を小さくさせる。
２４３（１０６）　この部分は、下顎の右第３大臼歯を小さくさせる。
２４４　後頭部の上方に位置する支点領域の中央部分に必要な方向性のある強い圧力は、口の中央（あるいは鼻）に向かう圧力であるが、この支点領域の側方部分に必要な圧力は、口の側方（あるいは鼻）に向かう圧力である。
２４５　側頭部の上方に位置する支点領域の上部に必要な方向性のある強い圧力は、口の側方に向かう圧力であるが、この支点領域の下部に必要な圧力は、鼻の側方に向かう圧力である。
２４６　側頭部に位置する支点領域の額に近い部分に必要な方向性のある強い圧力は、反対側の耳の上方に向かう圧力であるが、この支点領域の耳の上方部に必要な圧力は、鼻の側方に向かう圧力である。
２４７　後頭部の上方下部に位置する支点領域に必要な方向性のある強い圧力は、額付近に向かう圧力である。
２４８　後頭結節の直上から後頭部にかけての部分に位置する支点領域の中央部分に必要な方向性のある強い圧力は、鼻に向かう圧力であるが、この支点領域の側方部分に必要な圧力は、頬骨に向かう圧力である。
２４９　後頭結節に位置する支点領域の中央部分に必要な方向性のある強い圧力は、頭頂部の中央に向かう圧力であるが、この支点領域の側方部分に必要な圧力は、反対側の頭頂部に向かう圧力である。
２５０　後頭結節の下部から頚部の上方にかけての部分に位置する支点領域中央部分に必要な方向性のある強い圧力は、口に向かう圧力であるが、この支点領域の側方部分に必要な圧力は、同一側の頬に向かう圧力である。
２５１　頚部の中央に位置する支点領域の中央部分に必要な方向性のある強い圧力は、甲状軟骨上方の中央に向かう圧力であるが、この支点領域の側方部分に必要な圧力は、同一側の甲状軟骨上方の側方に向かう圧力である。
２５２　第７頚椎の直上に位置する支点領域の中央部分に必要な方向性のある強い圧力は、胸部中央に向かう圧力であるが、この支点領域の側方部分に必要な圧力は、胸部側方に向かう圧力である。
２５３　頚の付け根の側方部分に位置する支点領域に必要な方向性のある強い圧力は、反対側の胸部側方に向かう圧力である。
２５４　肩の背面に位置する支点領域に必要な方向性のある強い圧力は、鎖骨、あるいは鎖骨下部に向かう圧力である。
２５５　下顎に位置する支点領域の下顎骨体部の部分に必要な方向性のある強い圧力は、反対側の臼歯に向かう圧力であるが、この支点領域の頬骨の部分に必要な圧力は、反対側の耳の後ろに向かう圧力である。
２５６　オトガイの側方に位置する支点領域に必要な方向性のある強い圧力は、反対側の臼歯に向かう圧力である。
２５７　耳の後方上部に位置する支点領域に必要な方向性のある強い圧力は、反体側の額に向かう圧力である。
２５８　上下顎の中切歯を小さくさせる部分が必要とする方向性のある強い圧力は、反対側の目に向かう圧力である。
２５９　上下顎の側切歯を小さくさせる部分が必要とする方向性のある強い圧力は、反対側の額に向かう圧力である。
２６０　上下顎の犬歯を小さくさせる部分が必要とする方向性のある強い圧力は、反対側の口元に向かう圧力である。
２６１　上下顎の第１小臼歯犬歯を小さくさせる部分が必要とする方向性のある強い圧力は、同一側の目に向かう圧力である。
２６２　上下顎の第２小臼歯を小さくさせる部分が必要とする方向性のある強い圧力は、同一側の目と鼻の間に向かう圧力である。
２６３　上下顎の第１大臼歯を小さくさせる部分が必要とする方向性のある強い圧力は、同一側の目の下部に向かう圧力である。
２６４　上下顎の第２大臼歯を小さくさせる部分が必要とする方向性のある強い圧力は、同一側の目の上部に向かう圧力である。
２６５　上下顎の第３大臼歯を小さくさせる部分が必要とする方向性のある強い圧力は、同一側の鼻に向かう圧力である。
２６６　背面から見た図
２６７　上方から見た図
２６８　左側方から見た図
２６９　右側方から見た図
２７０　後方から見た図
２７１　左側方から見た図
２７２　右側方から見た図
【図１】
2004113806.tif 000003
【図２】
2004113806.tif 000004
【図３】
2004113806.tif 000005
【図４】
2004113806.tif 000006
【図５】
2004113806.tif 000007
【図６】
2004113806.tif 000008
【図７】
2004113806.tif 000009
【図８】
2004113806.tif 000010
【図９】
2004113806.tif 000011
【図１０】
2004113806.tif 000012
【図１１】
2004113806.tif 000013
【図１２】
2004113806.tif 000014
【図１３】
2004113806.tif 000015
【図１４】
2004113806.tif 000016
【図１５】
2004113806.tif 000017
【図１６】
2004113806.tif 000018
【図１７】
2004113806.tif 000019
【図１８】
2004113806.tif 000020
【図１９】
2004113806.tif 000021